(57)【要約】  この出願は、リソース指示方法、端末デバイス、及びネットワークデバイスを提供する。その方法は、ネットワークデバイスによって第1の指示情報を決定するステップと、端末デバイスに第1の指示情報を送信するステップであって、第1の指示情報は、リソースユニットの中で参照信号の構成要素パターンが占有する時間領域位置を示すのに使用される、ステップと、第1の指示情報を端末デバイスによって受信するステップと、第1の指示情報に基づいて、リソースユニットの中で参照信号が占有する時間領域位置を決定するステップと、を含む。この出願の複数の実施形態におけるリソース指示方法、端末デバイス、及びネットワークデバイスは、参照信号の複数の異なるマッピングモードの実装を支援する。
2021510276.tif 000002
【特許請求の範囲】
【請求項１】
リソース指示方法であって、
ネットワークデバイスが送信する第1の指示情報を端末デバイスによって受信するステップであって、前記第1の指示情報は、リソースユニットの中で参照信号の構成要素パターンが占有する時間領域位置を示すのに使用される、ステップと、
前記端末デバイスによって、前記第1の指示情報に基づいて、前記リソースユニットの中で前記参照信号が占有する前記時間領域位置を決定するステップと、を含む、
方法。
【請求項２】
前記端末デバイスによって、前記第1の指示情報に基づいて、前記リソースユニットの中の前記参照信号の前記時間領域位置を決定する前記ステップの前に、当該方法は、
前記ネットワークデバイスが送信する第2の指示情報を前記端末デバイスによって受信するステップであって、前記第2の指示情報は、前記ネットワークデバイスが前記参照信号を送信するのに使用するポート数、ポート密度、前記リソースユニットの中で前記構成要素パターンが占有する周波数領域位置、及び符号分割多重化CDMタイプのうちの少なくとも1つの情報を示すのに使用される、ステップと、
前記端末デバイスによって、前記第2の指示情報及び第1のマッピング関係に基づいて、構成要素パターンのタイプ及び数を決定するステップであって、前記第1のマッピング関係は、構成要素パターンの前記タイプ及び前記数と前記第2の指示情報との間の対応関係を示すのに使用される、ステップと、をさらに含み、
前記端末デバイスによって、前記第1の指示情報に基づいて、前記リソースユニットの中で前記参照信号が占有する前記時間領域位置を決定する前記ステップは、
前記端末デバイスによって、構成要素パターンの前記タイプ及び前記数と前記第1の指示情報とに基づいて、前記リソースユニットの中で前記参照信号が占有する前記時間領域位置を決定するステップを含む、請求項1に記載の方法。
【請求項３】
前記第1の指示情報は、
前記リソースユニットの中で前記構成要素パターンが占有する開始シンボル位置、参照シンボルに対する前記開始シンボル位置のオフセット、前記リソースユニットの中で前記構成要素パターンが占有するシンボルのインデックス、及び第1のビットマップbitmap、のうちのいずれか1つの情報を含み、前記第1のビットマップは、前記リソースユニットの中での前記構成要素パターンのシンボル占有状態を示すのに使用される、請求項1又は2に記載の方法。
【請求項４】
前記参照信号は、少なくとも2つの構成要素パターンを含み、前記リソースユニットの中で前記少なくとも2つの構成要素パターンが占有するシンボル位置は、非連続的であり、
前記第1の指示情報は、前記リソースユニットの中で前記少なくとも2つの構成要素パターンの各々が占有する開始シンボル位置を示すのに使用される、請求項1乃至3のうちのいずれか1項に記載の方法。
【請求項５】
前記第1の指示情報は、前記リソースユニットの中で各々の構成要素パターンが占有する前記開始シンボル位置を含むか、又は、
前記第1の指示情報は、開始シンボル位置セットを含み、前記開始シンボル位置セットは、前記リソースユニットの中で各々の構成要素パターンが占有する前記開始シンボル位置を含むか、又は、
前記第1の指示情報は、前記開始シンボル位置セットのインデックスを含む、請求項4に記載の方法。
【請求項６】
前記参照信号は、チャネル状態情報参照信号CSI-RSである、請求項1乃至5のうちのいずれか1項に記載の方法。
【請求項７】
リソース指示方法であって、
ネットワークデバイスによって第1の指示情報を決定するステップであって、前記第1の指示情報は、リソースユニットの中で参照信号の構成要素パターンが占有する時間領域位置を示すのに使用される、ステップと、
前記ネットワークデバイスによって端末デバイスに、前記第1の指示情報を送信し、それによって、前記端末デバイスは、前記リソースユニットの中で前記参照信号が占有する前記時間領域位置を決定する、ステップと、を含む、
方法。
【請求項８】
当該方法は、
前記ネットワークデバイスによって前記端末デバイスに、第2の指示情報を送信するステップであって、前記第2の指示情報は、前記ネットワークデバイスが前記参照信号を送信するのに使用するポート数、ポート密度、前記リソースユニットの中で前記構成要素パターンが占有する周波数領域位置、及び符号分割多重化CDMタイプのうちの少なくとも1つの情報を示すのに使用される、ステップをさらに含む、請求項7に記載の方法。
【請求項９】
前記第1の指示情報は、
前記リソースユニットの中で前記構成要素パターンが占有する開始シンボル位置、参照シンボルに対する前記開始シンボル位置のオフセット、前記リソースユニットの中で前記構成要素パターンが占有するシンボルのインデックス、及び第1のビットマップbitmap、のうちのいずれか1つの情報を含み、前記第1のビットマップは、前記リソースユニットの中での前記構成要素パターンのシンボル占有状態を示すのに使用される、請求項7又は8に記載の方法。
【請求項１０】
前記参照信号は、少なくとも2つの構成要素パターンを含み、前記リソースユニットの中で前記少なくとも2つの構成要素パターンが占有するシンボル位置は、非連続的であり、
前記第1の指示情報は、前記リソースユニットの中で前記少なくとも2つの構成要素パターンの各々が占有する開始シンボル位置を示すのに使用される、請求項7乃至9のうちのいずれか1項に記載の方法。
【請求項１１】
前記第1の指示情報は、前記リソースユニットの中で各々の構成要素パターンが占有する前記開始シンボル位置を含むか、又は、
前記第1の指示情報は、開始シンボル位置セットを含み、前記開始シンボル位置セットは、前記リソースユニットの中で各々の構成要素パターンが占有する前記開始シンボル位置を含むか、又は、
前記第1の指示情報は、前記開始シンボル位置セットのインデックスを含む、請求項10に記載の方法。
【請求項１２】
前記参照信号は、チャネル状態情報参照信号CSI-RSである、請求項7乃至11のうちのいずれか1項に記載の方法。
【請求項１３】
リソース指示方法であって、
ネットワークデバイスが送信する第2のビットマップbitmapを端末デバイスによって受信するステップであって、前記第2のビットマップは、リソースユニットの中での参照信号の構成要素パターンの周波数領域占有状態を示すのに使用される、ステップと、
前記ネットワークデバイスが送信する第3の指示情報を前記端末デバイスによって受信するステップであって、前記第3の指示情報は、前記ネットワークデバイスが前記参照信号を送信するのに使用するポート数、ポート密度、及び符号分割多重化CDMタイプのうちの少なくとも1つの情報を示すのに使用される、ステップと、
前記端末デバイスによって、前記第2のビットマップの長さ及び内容と前記第3の指示情報とに基づいて、構成要素パターンのタイプ及び数を決定するステップと、を含む、
方法。
【請求項１４】
前記参照信号は、チャネル状態情報参照信号CSI-RSである、請求項13に記載の方法。
【請求項１５】
端末デバイスであって、
ネットワークデバイスが送信する第1の指示情報を受信するように構成されるトランシーバーであって、前記第1の指示情報は、リソースユニットの中で参照信号の構成要素パターンが占有する時間領域位置を示すのに使用される、トランシーバーと、
前記第1の指示情報に基づいて、前記リソースユニットの中で前記参照信号が占有する前記時間領域位置を決定するように構成されるプロセッサと、を含む、
端末デバイス。
【請求項１６】
前記トランシーバーは、さらに、
前記リソースユニットの中の前記参照信号の前記時間領域位置が、前記第1の指示情報に基づいて決定される前に、前記ネットワークデバイスが送信する第2の指示情報を受信するように構成され、前記第2の指示情報は、前記ネットワークデバイスが前記参照信号を送信するのに使用するポート数、ポート密度、前記リソースユニットの中で前記構成要素パターンが占有する周波数領域位置、及び符号分割多重化CDMタイプのうちの少なくとも1つの情報を示すのに使用され、
前記プロセッサは、さらに、
前記第2の指示情報及び第1のマッピング関係に基づいて、構成要素パターンのタイプ及び数を決定し、前記第1のマッピング関係は、構成要素パターンの前記タイプ及び前記数と前記第2の指示情報との間の対応関係を示すのに使用され、そして、
構成要素パターンの前記タイプ及び前記数と前記第1の指示情報とに基づいて、前記リソースユニットの中で前記参照信号が占有する前記時間領域位置を決定する、ように構成される、請求項15に記載の端末デバイス。
【請求項１７】
前記第1の指示情報は、
前記リソースユニットの中で前記構成要素パターンが占有する開始シンボル位置、参照シンボルに対する前記開始シンボル位置のオフセット、前記リソースユニットの中で前記構成要素パターンが占有するシンボルのインデックス、及び第1のビットマップbitmap、のうちのいずれか1つの情報を含み、前記第1のビットマップは、前記リソースユニットの中での前記構成要素パターンのシンボル占有状態を示すのに使用される、請求項15又は16に記載の端末デバイス。
【請求項１８】
前記参照信号は、少なくとも2つの構成要素パターンを含み、前記リソースユニットの中で前記少なくとも2つの構成要素パターンが占有するシンボル位置は、非連続的であり、
前記第1の指示情報は、前記リソースユニットの中で前記少なくとも2つの構成要素パターンの各々が占有する開始シンボル位置を示すのに使用される、請求項15乃至17のうちのいずれか1項に記載の端末デバイス。
【請求項１９】
前記第1の指示情報は、前記リソースユニットの中で各々の構成要素パターンが占有する前記開始シンボル位置を含むか、又は、
前記第1の指示情報は、開始シンボル位置セットを含み、前記開始シンボル位置セットは、前記リソースユニットの中で各々の構成要素パターンが占有する前記開始シンボル位置を含むか、又は、
前記第1の指示情報は、前記開始シンボル位置セットのインデックスを含む、請求項18に記載の端末デバイス。
【請求項２０】
前記参照信号は、チャネル状態情報参照信号CSI-RSである、請求項15乃至19のうちのいずれか1項に記載の端末デバイス。
【請求項２１】
ネットワークデバイスであって、
第1の指示情報を決定するように構成されるプロセッサであって、前記第1の指示情報は、リソースユニットの中で参照信号の構成要素パターンが占有する時間領域位置を示すのに使用される、プロセッサと、
端末デバイスに前記第1の指示情報を送信するように構成され、それによって、前記端末デバイスは、前記リソースユニットの中で前記参照信号が占有する前記時間領域位置を決定する、トランシーバーと、を含む、
ネットワークデバイス。
【請求項２２】
前記トランシーバーは、さらに、
前記端末デバイスに第2の指示情報を送信するように構成され、前記第2の指示情報は、当該ネットワークデバイスが前記参照信号を送信するのに使用するポート数、ポート密度、前記リソースユニットの中で前記構成要素パターンが占有する周波数領域位置、及び符号分割多重化CDMタイプのうちの少なくとも1つの情報を示すのに使用される、請求項21に記載のネットワークデバイス。
【請求項２３】
前記第1の指示情報は、
前記リソースユニットの中で前記構成要素パターンが占有する開始シンボル位置、参照シンボルに対する前記開始シンボル位置のオフセット、前記リソースユニットの中で前記構成要素パターンが占有するシンボルのインデックス、及び第1のビットマップbitmap、のうちのいずれか1つの情報を含み、前記第1のビットマップは、前記リソースユニットの中での前記構成要素パターンのシンボル占有状態を示すのに使用される、請求項21又は22に記載のネットワークデバイス。
【請求項２４】
前記参照信号は、少なくとも2つの構成要素パターンを含み、前記リソースユニットの中で前記少なくとも2つの構成要素パターンが占有するシンボル位置は、非連続的であり、
前記第1の指示情報は、前記リソースユニットの中で前記少なくとも2つの構成要素パターンの各々が占有する開始シンボル位置を示すのに使用される、請求項21乃至23のうちのいずれか1項に記載のネットワークデバイス。
【請求項２５】
前記第1の指示情報は、前記リソースユニットの中で各々の構成要素パターンが占有する前記開始シンボル位置を含むか、又は、
前記第1の指示情報は、開始シンボル位置セットを含み、前記開始シンボル位置セットは、前記リソースユニットの中で各々の構成要素パターンが占有する前記開始シンボル位置を含むか、又は、
前記第1の指示情報は、前記開始シンボル位置セットのインデックスを含む、請求項24に記載のネットワークデバイス。
【請求項２６】
前記参照信号は、チャネル状態情報参照信号CSI-RSである、請求項21乃至25のうちのいずれか1項に記載のネットワークデバイス。
【請求項２７】
端末デバイスであって、
ネットワークデバイスが送信する第2のビットマップbitmapを受信するように構成されるトランシーバーであって、前記第2のビットマップは、リソースユニットの中での参照信号の構成要素パターンの周波数領域占有状態を示すのに使用され、
前記トランシーバーは、さらに、前記ネットワークデバイスが送信する第3の指示情報を受信するように構成され、前記第3の指示情報は、前記ネットワークデバイスが前記参照信号を送信するのに使用するポート数、ポート密度、及び符号分割多重化CDMタイプのうちの少なくとも1つの情報を示すのに使用される、トランシーバーと、
前記第2のビットマップの長さ及び内容と前記第3の指示情報とに基づいて、構成要素パターンのタイプ及び数を決定するように構成されるプロセッサと、を含む、
端末デバイス。
【請求項２８】
前記参照信号は、チャネル状態情報参照信号CSI-RSである、請求項27に記載の端末デバイス。
【請求項２９】
端末デバイスであって、
ネットワークデバイスが送信する第1の指示情報を受信するように構成されるトランシーバーユニットであって、前記第1の指示情報は、リソースユニットの中で参照信号の構成要素パターンが占有する時間領域位置を示すのに使用される、トランシーバーユニットと、
前記第1の指示情報に基づいて、前記リソースユニットの中で前記参照信号が占有する前記時間領域位置を決定するように構成される処理ユニットと、を含む、
端末デバイス。
【請求項３０】
前記トランシーバーユニットは、さらに、
前記リソースユニットの中の前記参照信号の前記時間領域位置が、前記第1の指示情報に基づいて決定される前に、前記ネットワークデバイスが送信する第2の指示情報を受信するように構成され、前記第2の指示情報は、前記ネットワークデバイスが前記参照信号を送信するのに使用するポート数、ポート密度、前記リソースユニットの中で前記構成要素パターンが占有する周波数領域位置、及び符号分割多重化CDMタイプのうちの少なくとも1つの情報を示すのに使用され、
前記処理ユニットは、さらに、
前記第2の指示情報及び第1のマッピング関係に基づいて、構成要素パターンのタイプ及び数を決定し、前記第1のマッピング関係は、構成要素パターンの前記タイプ及び前記数と前記第2の指示情報との間の対応関係を示すのに使用され、そして、
構成要素パターンの前記タイプ及び前記数と前記第1の指示情報とに基づいて、前記リソースユニットの中で前記参照信号が占有する前記時間領域位置を決定する、ように構成される、請求項29に記載の端末デバイス。
【請求項３１】
前記第1の指示情報は、
前記リソースユニットの中で前記構成要素パターンが占有する開始シンボル位置、参照シンボルに対する前記開始シンボル位置のオフセット、前記リソースユニットの中で前記構成要素パターンが占有するシンボルのインデックス、及び第1のビットマップbitmap、のうちのいずれか1つの情報を含み、前記第1のビットマップは、前記リソースユニットの中での前記構成要素パターンのシンボル占有状態を示すのに使用される、請求項29又は30に記載の端末デバイス。
【請求項３２】
前記参照信号は、少なくとも2つの構成要素パターンを含み、前記リソースユニットの中で前記少なくとも2つの構成要素パターンが占有するシンボル位置は、非連続的であり、
前記第1の指示情報は、前記リソースユニットの中で前記少なくとも2つの構成要素パターンの各々が占有する開始シンボル位置を示すのに使用される、請求項29乃至31に記載の端末デバイス。
【請求項３３】
前記第1の指示情報は、前記リソースユニットの中で各々の構成要素パターンが占有する前記開始シンボル位置を含むか、又は、
前記第1の指示情報は、開始シンボル位置セットを含み、前記開始シンボル位置セットは、前記リソースユニットの中で各々の構成要素パターンが占有する前記開始シンボル位置を含むか、又は、
前記第1の指示情報は、前記開始シンボル位置セットのインデックスを含む、請求項32に記載の端末デバイス。
【請求項３４】
前記参照信号は、チャネル状態情報参照信号CSI-RSである、請求項29乃至33のうちのいずれか1項に記載の端末デバイス。
【請求項３５】
ネットワークデバイスであって、
第1の指示情報を決定するように構成される処理ユニットであって、前記第1の指示情報は、リソースユニットの中で参照信号の構成要素パターンが占有する時間領域位置を示すのに使用される、処理ユニットと、
端末デバイスに前記第1の指示情報を送信するように構成され、それによって、前記端末デバイスは、前記リソースユニットの中で前記参照信号が占有する前記時間領域位置を決定する、トランシーバーユニットと、を含む、
ネットワークデバイス。
【請求項３６】
前記トランシーバーユニットは、さらに、
前記端末デバイスに第2の指示情報を送信するように構成され、前記第2の指示情報は、当該ネットワークデバイスが前記参照信号を送信するのに使用するポート数、ポート密度、前記リソースユニットの中で前記構成要素パターンが占有する周波数領域位置、及び符号分割多重化CDMタイプのうちの少なくとも1つの情報を示すのに使用される、請求項35に記載のネットワークデバイス。
【請求項３７】
前記第1の指示情報は、
前記リソースユニットの中で前記構成要素パターンが占有する開始シンボル位置、参照シンボルに対する前記開始シンボル位置のオフセット、前記リソースユニットの中で前記構成要素パターンが占有するシンボルのインデックス、及び第1のビットマップbitmap、のうちのいずれか1つの情報を含み、前記第1のビットマップは、前記リソースユニットの中での前記構成要素パターンのシンボル占有状態を示すのに使用される、請求項35又は36に記載のネットワークデバイス。
【請求項３８】
前記参照信号は、少なくとも2つの構成要素パターンを含み、前記リソースユニットの中で前記少なくとも2つの構成要素パターンが占有するシンボル位置は、非連続的であり、
前記第1の指示情報は、前記リソースユニットの中で前記少なくとも2つの構成要素パターンの各々が占有する開始シンボル位置を示すのに使用される、請求項35乃至37のうちのいずれか1項に記載のネットワークデバイス。
【請求項３９】
前記第1の指示情報は、前記リソースユニットの中で各々の構成要素パターンが占有する前記開始シンボル位置を含むか、又は、
前記第1の指示情報は、開始シンボル位置セットを含み、前記開始シンボル位置セットは、前記リソースユニットの中で各々の構成要素パターンが占有する前記開始シンボル位置を含むか、又は、
前記第1の指示情報は、前記開始シンボル位置セットのインデックスを含む、請求項38に記載のネットワークデバイス。
【請求項４０】
前記参照信号は、チャネル状態情報参照信号CSI-RSである、請求項35乃至39のうちのいずれか1項に記載のネットワークデバイス。
【請求項４１】
端末デバイスであって、
ネットワークデバイスが送信する第2のビットマップbitmapを受信するように構成されるトランシーバーユニットであって、前記第2のビットマップは、リソースユニットの中での参照信号の構成要素パターンの周波数領域占有状態を示すのに使用され、
前記トランシーバーユニットは、さらに、前記ネットワークデバイスが送信する第3の指示情報を受信するように構成され、前記第3の指示情報は、前記ネットワークデバイスが前記参照信号を送信するのに使用するポート数、ポート密度、及び符号分割多重化CDMタイプのうちの少なくとも1つの情報を示すのに使用される、トランシーバーユニットと、
前記第2のビットマップの長さ及び内容と前記第3の指示情報とに基づいて、構成要素パターンのタイプ及び数を決定するように構成される処理ユニットと、を含む、
端末デバイス。
【請求項４２】
前記参照信号は、チャネル状態情報参照信号CSI-RSである、請求項41に記載の端末デバイス。
【請求項４３】
コンピュータプログラムを格納するように構成されるコンピュータ読み取り可能な媒体であって、前記コンピュータプログラムは、請求項1乃至14のうちのいずれか1項に記載の方法を実装するのに使用される命令を含む、コンピュータ読み取り可能な媒体。
【請求項４４】
コンピュータプログラム製品であって、当該コンピュータプログラム製品は、コンピュータプログラムコードを含み、前記コンピュータプログラムコードがコンピュータによって実行されるときに、前記コンピュータが、請求項1乃至14のうちのいずれか1項に記載の方法を実行することを可能とする、コンピュータプログラム製品。
【請求項４５】
メモリの中に格納されている命令を読み出すように構成されるプロセッサを含むチップであって、前記プロセッサが前記命令を実行するときに、当該チップが、請求項1乃至14のうちのいずれか1項に記載の方法を実装するための前記命令を実行することを可能とする、チップ。
【発明の詳細な説明】
【技術分野】
【０００１】
[関連出願への相互参照]
この出願は、2018年1月12日付で中国国家知的財産権管理局に出願された"リソース指示方法、端末デバイス、及びネットワークデバイス"と題する中国特許出願番号第201810031914.2号に基づく優先権を主張し、その内容は、その全体が参照により本明細書に組み込まれる。
【０００２】
[技術分野]
この出願は、通信分野に関し、特に、通信分野におけるリソース指示方法、端末デバイス、及びネットワークデバイスに関する。
【背景技術】
【０００３】
高次マルチアンテナシステムにおいてチャネル品質測定及びデータ復調を実装するために、例えば、ダウンリンクリンクにおけるセル特有参照信号(cell-specific  reference  signals,  CRS)、復調参照信号(demodulation  reference  signal,  DMRS)、及びチャネル状態情報参照信号(channel  state  information-reference  signal,  CSI-RS)等の複数の参照信号は、既存の通信システムにおいて定義される。DMRSは、物理ダウンリンク共有チャネル(physical  downlink  shared  channel,  PDSCH)の復調を支援するのに使用される。CSI-RSは、チャネル品質インジケータ(channel  quality  indicator,  CQI)、プリコーディングマトリックスインジケータ(precoding  matrix  indicator,  PMI)、及びランクインジケータ(rank  indicator,  RI)等の情報を報告するのに使用されてもよい。
【０００４】
端末デバイスの正しいチャネル推定を実装するために、端末デバイスは、リソースユニットの中の参照信号のマッピングされている位置を知る必要がある。リソースユニットの中の参照信号のマッピングされている位置は、ネットワークデバイスがシグナリングによって端末デバイスのために構成してもよい。端末デバイスは、複数の異なるマッピングモードにおいて複数の異なるマッピング位置を取得してもよい。したがって、参照信号の複数の異なるマッピングモードを示すためのシグナリングの解決方法をどのように設計するかは、解決する必要がある緊急の問題となっている。
【発明の概要】
【０００５】
この出願は、リソース指示方法、端末デバイス、及びネットワークデバイスを提供して、参照信号の複数の異なるマッピングモードの実装を支援する。
【０００６】
第1の態様によれば、リソース指示方法であって、ネットワークデバイスが送信する第1の指示情報を端末デバイスによって受信するステップであって、前記第1の指示情報は、リソースユニットの中で参照信号の構成要素パターンが占有する時間領域位置を示すのに使用される、ステップと、前記端末デバイスによって、前記第1の指示情報に基づいて、前記リソースユニットの中で前記参照信号が占有する前記時間領域位置を決定するステップと、を含む、リソース指示方法が提供される。
【０００７】
端末デバイスは、複数の異なるマッピングモードにおいて複数の異なる時間領域位置を取得することが可能であり、端末デバイスは、リソースユニットの中で参照信号の各々の構成パターンが占有する時間周波数位置を決定して、最終的に、リソースユニットの中で参照信号が占有する時間周波数位置を決定することが可能であるということを理解すべきである。さらに、この出願のこの実施形態においては、参照信号の1つ又は複数の構成要素パターンが存在してもよいということを理解すべきである。このことは、この出願のこの実施形態においては限定されない。
【０００８】
この出願のこの実施形態におけるリソース指示方法において、ネットワークデバイスは、リソースユニットの中で参照信号の構成要素パターンが占有する時間領域位置を示すのに使用される指示情報を端末デバイスに送信し、それによって、その端末デバイスは、その指示情報に基づいて、リソースユニットの中で参照信号が占有する時間領域位置を決定して、参照信号の複数の異なるマッピングモード及び正確なチャネル推定の実装を支援することが可能であるとともに、データ伝送効率を改善することが可能である。
【０００９】
第1の態様に関して、第1の態様の複数の実装のうちのいくつかにおいて、前記第1の指示情報は、前記リソースユニットの中で前記構成要素パターンが占有する開始シンボル位置、参照シンボルに対する前記開始シンボル位置のオフセット、前記リソースユニットの中で前記構成要素パターンが占有するシンボルのインデックス、及び第1のビットマップbitmap、のうちのいずれか1つの情報を含み、前記第1のビットマップは、前記リソースユニットの中での前記構成要素パターンのシンボル占有状態を示すのに使用される。
【００１０】
上記の4つの異なる指示方式は、端末デバイスに、リソースユニットの中での参照信号の時間領域位置を直接的に又は間接的に示すことが可能であるということを理解すべきである。プロトコルによって前もって、ある特定の指示方式について合意していてもよく、又は、ネットワークデバイスによって、シグナリングにより端末デバイスのためにその特定の指示方式を構成してもよい。このことは、この出願のこの実施形態においては限定されない。
【００１１】
この出願のこの実施形態におけるリソース指示方法において、ネットワークデバイスは、端末デバイスに、複数の異なる方式によって、リソースユニットの中で参照信号の構成要素パターンが占有する時間領域位置を示してもよく、それによって、その端末デバイスは、その指示情報に基づいて、複数の異なるマッピングモードを正しく判別することが可能であるとともに、リソースユニットの中での参照信号の時間領域位置を決定することが可能であり、その結果、正確なチャネル推定の実装を支援するとともに、データ伝送効率を改善する。
【００１２】
第1の態様に関して、第1の態様の複数の実装のうちのいくつかにおいて、前記参照信号は、少なくとも2つの構成要素パターンを含み、前記リソースユニットの中で前記少なくとも2つの構成要素パターンが占有するシンボル位置は、非連続的であり、前記第1の指示情報は、前記リソースユニットの中で前記少なくとも2つの構成要素パターンの各々が占有する開始シンボル位置を示すのに使用される。
【００１３】
参照信号が、時間領域において非連続的である2つの構成要素パターンを含むときに、ネットワークデバイスは、端末デバイスに、それらの2つの構成要素パターンの時間領域開始位置を個別に示す必要があり、それによって、その端末デバイスは、時間領域における参照信号の分布状態を決定する。開始シンボル位置は、リソースユニットの中での参照信号の時間領域位置を示すのに使用され、それによって、ネットワークデバイスのシグナリングオーバーヘッドを減少させることが可能であるということを理解すべきである。
【００１４】
第1の態様に関して、第1の態様の複数の実装のうちのいくつかにおいて、前記第1の指示情報は、前記リソースユニットの中で各々の構成要素パターンが占有する前記開始シンボル位置を含むか、又は、前記第1の指示情報は、開始シンボル位置セットを含み、前記開始シンボル位置セットは、前記リソースユニットの中で各々の構成要素パターンが占有する前記開始シンボル位置を含むか、又は、前記第1の指示情報は、前記開始シンボル位置セットのインデックスを含む。
【００１５】
具体的には、第1の指示情報は、そのまま、構成要素パターンの開始シンボルのインデックスであってもよく、或いは、開始シンボル位置セット(又は、アレイ)であってもよく、或いは、開始シンボル位置セットのインデックスであってもよい。このことは、この出願のこの実施形態においては限定されない。構成要素パターンの開始シンボルを示すのに開始シンボル位置セットのインデックスを使用するときに、複数の開始シンボル位置セットを構成し、そして、番号を付して、ネットワークデバイスによる指示を容易にしてもよい。例えば、3つの開始シンボル位置セット{5,8}、{5,9}、及び{5,10}が存在し、それらの開始シンボル位置セットのインデックスは、順次的に、0、1、及び2となる。図5において、第1の指示情報は、そのまま、5及び9の2つの値であってもよく、或いは、第1の指示情報は、2つのシンボル位置5及び9を含むセット又はアレイであってもよく、或いは、第1の指示情報は、セット{5,9}のインデックス1であってもよい。端末デバイスは、インデックス1に基づいて、対応する開始シンボル位置セット{5,9}を決定して、さらに、参照信号の時間領域位置を決定してもよい。
【００１６】
第1の態様に関し、第1の態様の複数の実装のうちのいくつかにおいて、前記端末デバイスによって、前記第1の指示情報に基づいて、前記リソースユニットの中での前記参照信号の前記時間領域位置を決定する前記ステップの前に、当該方法は、前記ネットワークデバイスが送信する第2の指示情報を前記端末デバイスによって受信するステップであって、前記第2の指示情報は、前記ネットワークデバイスが前記参照信号を送信するのに使用するポート数、ポート密度、前記リソースユニットの中で前記構成要素パターンが占有する周波数領域位置、及び符号分割多重化CDMタイプのうちの少なくとも1つの情報を示すのに使用される、ステップと、前記端末デバイスによって、前記第2の指示情報及び第1のマッピング関係に基づいて、構成要素パターンのタイプ及び数を決定するステップであって、前記第1のマッピング関係は、構成要素パターンの前記タイプ及び前記数と前記第2の指示情報との間の対応関係を示すのに使用される、ステップと、をさらに含み、前記端末デバイスによって、前記第1の指示情報に基づいて、前記リソースユニットの中で前記参照信号が占有する前記時間領域位置を決定する前記ステップは、前記端末デバイスによって、構成要素パターンの前記タイプ及び前記数と前記第1の指示情報とに基づいて、前記リソースユニットの中で前記参照信号が占有する前記時間領域位置を決定するステップを含む。
【００１７】
第1の指示情報が、リソースユニットの中で構成要素パターンが占有する開始シンボル位置を示すのに使用される場合に、端末デバイスは、構成要素パターンのタイプ及び数とリソースユニットの中で構成要素パターンが占有する開始シンボル位置とに基づいて、リソースユニットの中で参照信号が占有する時間領域位置を決定してもよく、第1の指示情報が、参照シンボルに対する開始シンボル位置のオフセットを示すのに使用される場合に、端末デバイスは、構成要素パターンのタイプ及び数と参照シンボルに対する開始シンボル位置のオフセットとに基づいて、リソースユニットの中で参照信号が占有する時間領域位置を決定してもよく、第1の指示情報が、リソースユニットの中で構成要素パターンが占有するシンボルのインデックスを示すのに使用される場合に、端末デバイスは、構成要素パターンのタイプ及び数とリソースユニットの中で構成要素パターンが占有するシンボルのインデックスとに基づいて、リソースユニットの中で参照信号が占有する時間領域位置を決定してもよく、第1の指示情報が、第1のビットマップを示すのに使用される場合に、端末デバイスは、構成要素パターンのタイプ及び数と第1のビットマップとに基づいて、リソースユニットの中で参照信号が占有する時間領域位置を決定してもよいということを理解すべきである。
【００１８】
第1の態様に関して、第1の態様の複数の実装のうちのいくつかにおいて、前記参照信号は、チャネル状態情報参照信号CSI-RSである。
【００１９】
第2の態様によれば、他のリソース指示方法であって、ネットワークデバイスによって第1の指示情報を決定するステップであって、前記第1の指示情報は、リソースユニットの中で参照信号の構成要素パターンが占有する時間領域位置を示すのに使用される、ステップと、前記ネットワークデバイスによって端末デバイスに、前記第1の指示情報を送信し、それによって、前記端末デバイスは、前記リソースユニットの中で前記参照信号が占有する前記時間領域位置を決定する、ステップと、を含む、リソース指示方法が提供される。
【００２０】
第2の態様に関して、第2の態様の複数の実装のうちのいくつかにおいて、前記第1の指示情報は、前記リソースユニットの中で前記構成要素パターンが占有する開始シンボル位置、参照シンボルに対する前記開始シンボル位置のオフセット、前記リソースユニットの中で前記構成要素パターンが占有するシンボルのインデックス、及び第1のビットマップbitmap、のうちのいずれか1つの情報を含み、前記第1のビットマップは、前記リソースユニットの中での前記構成要素パターンのシンボル占有状態を示すのに使用される。
【００２１】
第2の態様に関して、第2の態様の複数の実装のうちのいくつかにおいて、前記参照信号は、少なくとも2つの構成要素パターンを含み、前記リソースユニットの中で前記少なくとも2つの構成要素パターンが占有するシンボル位置は、非連続的であり、前記第1の指示情報は、前記リソースユニットの中で前記少なくとも2つの構成要素パターンの各々が占有する開始シンボル位置を示すのに使用される。
【００２２】
第2の態様に関して、第2の態様の複数の実装のうちのいくつかにおいて、前記第1の指示情報は、前記リソースユニットの中で各々の構成要素パターンが占有する前記開始シンボル位置を含むか、又は、前記第1の指示情報は、開始シンボル位置セットを含み、前記開始シンボル位置セットは、前記リソースユニットの中で各々の構成要素パターンが占有する前記開始シンボル位置を含むか、又は、前記第1の指示情報は、前記開始シンボル位置セットのインデックスを含む。
【００２３】
第2の態様に関して、第2の態様の複数の実装のうちのいくつかにおいて、当該方法は、前記ネットワークデバイスによって前記端末デバイスに、第2の指示情報を送信するステップであって、前記第2の指示情報は、前記ネットワークデバイスが前記参照信号を送信するのに使用するポート数、ポート密度、前記リソースユニットの中で前記構成要素パターンが占有する周波数領域位置、及び符号分割多重化CDMタイプのうちの少なくとも1つの情報を示すのに使用される、ステップをさらに含む。
【００２４】
第2の態様に関して、第2の態様の複数の実装のうちのいくつかにおいて、前記参照信号は、チャネル状態情報参照信号CSI-RSである。
【００２５】
第3の態様によれば、他のリソース指示方法であって、ネットワークデバイスが送信する第2のビットマップbitmapを端末デバイスによって受信するステップであって、前記第2のビットマップは、リソースユニットの中での参照信号の構成要素パターンの周波数領域占有状態を示すのに使用される、ステップと、前記ネットワークデバイスが送信する第3の指示情報を前記端末デバイスによって受信するステップであって、前記第3の指示情報は、前記ネットワークデバイスが前記参照信号を送信するのに使用するポート数、ポート密度、及び符号分割多重化CDMタイプのうちの少なくとも1つの情報を示すのに使用される、ステップと、前記端末デバイスによって、前記第2のビットマップの長さ及び内容と前記第3の指示情報とに基づいて、構成要素パターンのタイプ及び数を決定するステップと、を含む、リソース指示方法が提供される。
【００２６】
この出願のこの実施形態におけるリソース指示方法においては、端末デバイスは、構成要素パターンの周波数領域占有状態を示すのに使用されるビットマップの内容を参照して、構成要素パターンのタイプ及び数を決定し、したがって、リソースユニットの中で参照信号が占有する時間領域位置及び周波数領域位置を決定して、正確なチャネル推定の実装を支援することが可能であるとともに、データ伝送効率を改善することが可能である。
【００２７】
第3の態様に関し、第3の態様の複数の実装のうちのいくつかにおいて、端末デバイスは、最初に、ポート数、ポート密度、及び符号分割多重化CDMタイプに基づいて、構成要素パターンのタイプ及び数を決定し、構成要素パターンのタイプ及び数を決定することが不可能であるときに、端末デバイスは、さらに、第2のビットマップの中に含まれているビット数を参照して、構成要素パターンのタイプ及び数を決定し、依然として、構成要素パターンのタイプ及び数を決定することが不可能である場合に、端末デバイスは、さらに、第2のビットマップの特定の内容を参照して、構成要素パターンのタイプ及び数を決定する。しかしながら、このことは、この出願のこの実施形態においては限定されない。
【００２８】
第4の態様によれば、端末デバイスが提供される。その端末デバイスは、第1の態様又は第1の態様の複数の可能な実装のうちのいずれか1つにしたがった方法を実行するように構成される。具体的には、装置は、第1の態様又は第1の態様の複数の可能な実装のうちのいずれか1つにしたがった方法を実行するように構成されるユニットを含む。
【００２９】
第5の態様によれば、ネットワークデバイスが提供される。そのネットワークデバイスは、第2の態様又は第2の態様の複数の可能な実装のうちのいずれか1つにしたがった方法を実行するように構成される。具体的には、装置は、第2の態様又は第2の態様の複数の可能な実装のうちのいずれか1つにしたがった方法を実行するように構成されるユニットを含む。
【００３０】
第6の態様によれば、端末デバイスが提供される。その端末デバイスは、第3の態様又は第3の態様の複数の可能な実装のうちのいずれか1つにしたがった方法を実行するように構成される。具体的には、装置は、第3の態様又は第3の態様の複数の可能な実装のうちのいずれか1つにしたがった方法を実行するように構成されるユニットを含む。
【００３１】
第7の態様によれば、他の端末デバイスが提供される。装置は、トランシーバー、メモリ、及びプロセッサを含む。トランシーバー、メモリ、及びプロセッサは、内部接続経路を介して互いに通信する。メモリは、命令を格納するように構成される。プロセッサは、メモリが格納している命令を実行し、信号を受信するように受信機を制御し、そして、信号を送信するように送信機を制御するように構成される。加えて、プロセッサが、メモリが格納している命令を実行するときに、そのプロセッサが、第1の態様又は第1の態様の複数の可能な実装のうちのいずれか1つにしたがった方法を実行することを可能とする。
【００３２】
第8の態様によれば、他のネットワークデバイスが提供される。装置は、トランシーバー、メモリ、及びプロセッサを含む。トランシーバー、メモリ、及びプロセッサは、内部接続経路を介して互いに通信する。メモリは、命令を格納するように構成される。プロセッサは、メモリが格納している命令を実行し、信号を受信するように受信機を制御し、そして、信号を送信するように送信機を制御するように構成される。加えて、プロセッサが、メモリが格納している命令を実行するときに、そのプロセッサが、第2の態様又は第2の態様の複数の可能な実装のうちのいずれか1つにしたがった方法を実行することを可能とする。
【００３３】
第9の態様によれば、他の端末デバイスが提供される。装置は、トランシーバー、メモリ、及びプロセッサを含む。トランシーバー、メモリ、及びプロセッサは、内部接続経路を介して互いに通信する。メモリは、命令を格納するように構成される。プロセッサは、メモリが格納している命令を実行し、信号を受信するように受信機を制御し、そして、信号を送信するように送信機を制御するように構成される。加えて、プロセッサが、メモリが格納している命令を実行するときに、そのプロセッサが、第3の態様又は第3の態様の複数の可能な実装のうちのいずれか1つにしたがった方法を実行することを可能とする。
【００３４】
第10の態様によれば、コンピュータプログラム製品が提供される。そのコンピュータプログラム製品は、コンピュータプログラムコードを含み、そのコンピュータプログラムコードがコンピュータによって実行されるときに、そのコンピュータが、上記の複数の態様にしたがった方法を実行することを可能とする。
【００３５】
第11の態様によれば、コンピュータ読み取り可能な媒体が提供され、そのコンピュータ読み取り可能な媒体は、コンピュータプログラムを格納するように構成される。そのコンピュータプログラムは、命令を含み、その命令は、上記の複数の態様にしたがった方法を実行するのに使用される。
【００３６】
第12の態様によれば、チップシステムが提供され、そのチップシステムは、プロセッサを含む。プロセッサは、メモリからコンピュータプログラムを呼び出し、そして、そのコンピュータプログラムを実行するように構成され、コンピュータプログラムは、上記の複数の態様にしたがった方法を実行するように構成される。
【図面の簡単な説明】
【００３７】
【図１】この出願のある1つの実施形態にしたがった通信システムの概略的な図である。
【図２】この出願のある1つの実施形態にしたがったリソースユニットの概略的な図である。
【図３】この出願のある1つの実施形態にしたがったリソース指示方法の概略的なフローチャートである。
【図４】この出願のある1つの実施形態にしたがった他のリソース指示方法の概略的なフローチャートである。
【図５】この出願のある1つの実施形態にしたがったCSI-RSパターンの概略的な図である。
【図６】この出願のある1つの実施形態にしたがった他のCSI-RSパターンの概略的な図である。
【図７】この出願のある1つの実施形態にしたがった他のCSI-RSパターンの概略的な図である。
【図８】この出願のある1つの実施形態にしたがった他のCSI-RSパターンの概略的な図である。
【図９】この出願のある1つの実施形態にしたがった端末デバイスの概略的なブロック図である。
【図１０】この出願のある1つの実施形態にしたがったネットワークデバイスの概略的なブロック図である。
【図１１】この出願のある1つの実施形態にしたがった他の端末デバイスの概略的なブロック図である。
【図１２】この出願のある1つの実施形態にしたがった他の端末デバイスの概略的なブロック図である。
【図１３】この出願のある1つの実施形態にしたがった他のネットワークデバイスの概略的なブロック図である。
【図１４】この出願のある1つの実施形態にしたがった他の端末デバイスの概略的なブロック図である。
【発明を実施するための形態】
【００３８】
以下の記載は、複数の添付の図面を参照して、この出願の複数の技術的解決方法を説明する。
【００３９】
汎欧州ディジタル移動体通信システム(global  system  for  mobile  communications,  GSM)システム、符号分割多元接続(code  division  multiple  access,  CDMA)システム、広帯域符号分割多元接続(wideband  code  division  multiple  access,  WCDMA)システム、汎用パケット無線サービス(general  packet  radio  service,  GPRS)、ロングタームエボリューション(long  term  evolution,  LTE)システム、LTE周波数分割複信(frequency  division  duplex,  FDD)システム、LTE時分割複信(time  division  duplex,  TDD)、ユニバーサル移動体通信システム(universal  mobile  telecommunication  system,  UMTS)、マイクロ波アクセスのための世界的相互運用性(worldwide  interoperability  for  microwave  access,  WiMAX)通信システム、将来的な第5世代(5th  generation,  5G)システム、又は新たな無線(new  radio,  NR)システム等のさまざまな通信システムに、この出願の複数の実施形態の複数の技術的解決方法を適用してもよいということを理解すべきである。
【００４０】
さらに、例えば、非直交多元接続技術に基づくスパース符号多元接続(sparse  code  multiple  access,  SCMA)システム等のさまざまな通信システムに、この出願の複数の実施形態における複数の技術的解決方法を適用してもよいということを理解すべきである。もちろん、SCMAは、また、通信分野における他の名称によって示されてもよい。さらに、例えば、非直交多元接続技術を使用する直交周波数分割多重化(orthogonal  frequency  division  multiplexing,  OFDM)システム、フィルタバンクマルチキャリア(filter  bank  multi-carrier,  FBMC)システム、汎用周波数分割多重化(generalized  frequency  division  multiplexing,  GFDM)システム、非直交多元接続技術を使用するフィルタリング直交周波数分割多重化(filtered-OFDM,  F-OFDM)システム等のマルチキャリア伝送システムに、この出願のそれらの複数の実施形態における複数の技術的解決方法を適用してもよい。
【００４１】
また、この出願の複数の実施形態における端末デバイスは、無線アクセスネットワーク(radio  access  network,  RAN)を介して1つ又は複数のコアネットワークと通信してもよいということを理解すべきである。端末デバイスは、アクセス端末、ユーザ機器(user  equipment,  UE)、加入者ユニット、加入者局、移動局、移動コンソール、リモート局、リモート端末、モバイルデバイス、ユーザ端末、端末、無線通信デバイス、ユーザエージェント、又はユーザ装置と称されてもよい。アクセス端末は、セルラ電話、コードレス電話、セッション開始プロトコル(Session  Initiation  Protocol,  SIP)電話、無線ローカルループ(Wireless  Local  Loop,  WLL)局、パーソナルディジタルアシスタント(Personal  Digital  Assistant,  PDA)、無線通信機能を有するハンドヘルドデバイス、コンピューティングデバイス、無線モデムに接続されている他の処理デバイス、車載型デバイス、ウェアラブルデバイス、将来的な5Gネットワークの中の端末デバイス、又は将来的な進化型の公衆陸上モバイルネットワーク(Public  Land  Mobile  Network,  PLMN)の中の端末デバイスであってもよい。
【００４２】
さらに、この出願の複数の実施形態において、ネットワークデバイスは、端末デバイスと通信するように構成されてもよいということを理解すべきである。ネットワークデバイスは、GSMシステム又はCDMAシステムの中の基地局装置(base  transceiver  station,  BTS)であってもよく、或いは、WCDMAシステムの中のノードB(node  B,  NB)であってもよく、LTEシステムの中の進化型ノードB(evolved  node  B、eNB、又は、eNodeB)であってもよく、或いは、ネットワークデバイスは、中継局、アクセスポイント、車載型デバイス、ウェアラブルデバイス、将来的な5Gネットワークの中のネットワーク側デバイス、又は、将来的な進化型PLMNネットワークの中のネットワークデバイス等であってもよい。
【００４３】
この出願のそれらの複数の実施形態は、LTEシステム及び5G等の以降の進化型システム、或いは、例えば、符号分割多元接続、周波数分割多元接続、時分割多元接続、直交周波数分割多元接続、及び単一キャリア周波数分割多元接続等のアクセス技術を使用するシステム等のさまざまな無線アクセス技術を使用する他の無線通信システムに適用されてもよく、特に、チャネル情報フィードバックが必要とされ及び/又は二次プリコーディング技術が適用されるシナリオ、例えば、大規模MIMO技術を適用する無線ネットワーク及び分散アンテナ技術を適用する無線ネットワークに適用可能である。
【００４４】
多入力多出力(multiple-input  multiple-output,  MIMO)技術は、送信端末デバイス及び受信端末デバイスのためにそれぞれ複数の送信アンテナ及び複数の受信アンテナを使用し、それによって、送信端末デバイス及び受信端末デバイスのそれらの複数のアンテナによって信号を送信し及び受信し、それにより、通信品質を改善するということを意味する。多入力多出力技術によれば、複数のアンテナを使用することによって、空間的なリソースを完全に使用することを可能とし、そして、多入力多出力を実装し、それによって、スペクトラムリソース及びアンテナ送信電力を増加させることなく、システムチャネル容量を増大させる。
【００４５】
MIMOは、シングルユーザ多入力多出力(single-user  MIMO,  SU-MIMO)及びマルチユーザ多入力多出力(multi-user  MIMO,  MU-MIMO)に分けることが可能である。大規模MIMOにおいては、何百ものアンテナは、マルチユーザビームフォーミングの原理にしたがって、送信端末デバイスに配置されて、何十ものターゲット受信機のビームを変調し、そして、空間的な信号分離によって同じ周波数リソースにおいて何十もの信号を同時に送信する。したがって、大規模なMIMO技術にしたがって、大規模なアンテナ構成が生成する空間的な自由度を完全に使用することを可能とし、それにより、スペクトル効率を改善する。
【００４６】
図1は、この出願のある1つの実施形態にしたがった通信システムの概略的な図である。図1に示されているように、通信システム100は、ネットワークデバイス102を含み、ネットワークデバイス102は、複数のアンテナグループを含んでもよい。各々のアンテナグループは、1つ又は複数のアンテナを含んでもよい。例えば、ある1つのアンテナグループは、アンテナ104及び106を含んでもよく、他のアンテナグループは、アンテナ108及び110を含んでもよく、追加的なグループは、アンテナ112及び114を含んでもよい。各々のアンテナグループについて、2つのアンテナが図1に示されている。しかしながら、各々のグループについて、より多くのアンテナ又はより少ないアンテナを使用してもよい。ネットワークデバイス102は、追加的に、送信機チェーン及び受信機チェーンを含んでもよい。当業者は、送信機チェーン及び受信機チェーンが、双方、例えば、プロセッサ、変調器、マルチプレクサ、復調器、デマルチプレクサ、又はアンテナ等の信号の送信及び受信に関連する複数の構成要素を含んでもよいということを理解することが可能である。
【００４７】
ネットワークデバイス102は、複数の端末デバイスと通信してもよい。例えば、ネットワークデバイス102は、端末デバイス116及び端末デバイス122と通信してもよい。一方で、ネットワークデバイス102は、端末デバイス116又は122と同様に、いずれかの数の端末デバイスと通信してもよいということを理解することが可能である。端末デバイス116及び122は、例えば、セルラ電話、スマートフォン、携帯用コンピュータ、ハンドヘルド通信デバイス、ハンドヘルドコンピューティングデバイス、衛星無線装置、全地球的測位システム、PDA、及び/又は無線通信システム100の中で通信のために使用されるいずれかの他の適切なデバイスであってもよい。
【００４８】
図1に示されているように、端末デバイス116は、アンテナ112及び114と通信する。アンテナ112及び114は、順方向リンク118を介して端末デバイス116に情報を送信し、逆方向リンク120を介して端末デバイス116から情報を受信する。加えて、端末デバイス122は、アンテナ104及び106と通信する。アンテナ104及び106は、順方向リンク124を介して端末デバイス122に情報を送信し、逆方向リンク126を介して端末デバイス122から情報を受信する。
【００４９】
例えば、周波数分割複信FDDシステムにおいて、順方向リンク118は、逆方向リンク120が使用する周波数帯とは異なる周波数帯を使用してもよく、順方向リンク124は、逆方向リンク126が使用する周波数帯とは異なる周波数帯を使用してもよい。
【００５０】
他の例では、時分割複信TDDシステム及び全二重(full  duplex)システムにおいて、順方向リンク118及び逆方向リンク120は、共通の周波数帯域を使用してもよく、順方向リンク124及び逆方向リンク126は、共通の周波数帯域を使用してもよい。
【００５１】
アンテナの各々のグループ及び/又は通信のために設計されるエリアは、ネットワークデバイス102のセクタと称される。例えば、アンテナグループは、ネットワークデバイス102のカバレッジの範囲内のセクタの中の端末デバイスと通信するように設計されてもよい。ネットワークデバイス102がそれぞれ順方向リンク118及び124を使用することによって端末デバイス116及び122と通信するプロセスにおいて、ネットワークデバイス102の送信アンテナは、ビームフォーミングによって順方向リンク118及び124の信号対雑音比を改善してもよい。加えて、ネットワークデバイスが、単一のアンテナを使用することによって、ネットワークデバイスがサービスを提供する端末デバイスのすべてに信号を送信する方式と比較して、ネットワークデバイス102が、関連するカバレッジの中でランダムに分布している端末デバイス116及び122にビームフォーミングによって信号を送信するときに、隣接するセルの中のモバイルデバイスに対して引き起こす干渉がより少なくなる。
【００５２】
ある与えられた時間において、ネットワークデバイス102及び端末デバイス116又は端末デバイス122は、無線通信のための送信装置であってもよく及び/又は無線通信のための受信装置であってもよい。データを送信するときに、無線通信のための送信装置は、送信のためにデータを符号化してもよい。具体的には、無線通信送信装置は、チャネルを使用することによって、無線通信受信装置に送信されるある特定の数のデータビットを取得してもよい。例えば、無線通信送信装置は、チャネルを使用することによって無線通信受信装置に送信されるその特定の数のデータビットを、生成し、他の通信装置から受信し、又は、メモリの中に格納してもよい。そのようなデータビットは、データのある1つのトランスポートブロック又は複数のトランスポートブロックの中に含まれてもよく、そのトランスポートブロックは、複数の符号ブロックを生成するようにセグメント化されてもよい。
【００５３】
加えて、通信システム100は、公衆陸上モバイルネットワークPLMNネットワーク、デバイストゥデバイス(device  to  device,  D2D)ネットワーク、マシントゥマシン(machine  to  machine,  M2M)ネットワーク、又は他のネットワークであってもよい。図1は、理解を容易にするためのある1つの例の簡素化されている概略的な図である。ネットワークは、図1には示されていない他のネットワークデバイスをさらに含んでもよい。
【００５４】
理解を容易にするために、以下の記載は、最初に、本明細書における関連する用語を簡単に説明する。
【００５５】
リソースユニット(resource  unit):  LTE規格におけるRB及びRB対(RB  pair)と同様に、リソースユニットは、スケジューリングされている端末にリソースを割り当てるのに使用される基本単位として使用されてもよく、又は、複数の参照信号の配信方式を記述するのに使用されてもよい。
【００５６】
リソースユニットは、周波数領域において複数の連続的なサブキャリアを含んでもよく、時間領域においてある時間間隔(time  interval,  TI)を含んでもよい。複数の異なるスケジューリングプロセスにおいて、リソースユニットは、同じサイズ又は異なるサイズを有してもよい。本明細書におけるTIは、LTEシステムにおける送信時間間隔(transmission  time  interval,  TTI)であってもよく、或いは、短いシンボルレベルのTTI又は高周波数システムにおける大きなサブキャリア間隔の短いTTIであってもよく、或いは、5Gシステムにおけるスロット又はミニスロット(mini-slot)等であってもよい。このことは、この出願においては限定されない。
【００５７】
選択的に、リソースユニットは、1つ又は複数のRB、1つ又は複数のRB対(RB  pair)等を含んでもよく、或いは、RBの半分であってもよい。加えて、リソースユニットは、さらに、他の時間周波数リソースであってもよい。このことは、この出願においては限定されない。ある1つのRB対は、周波数領域において12個の連続的なサブキャリアを含むとともに時間領域において1つのサブフレームを含む。周波数領域においてサブキャリアを含むとともに時間領域においてシンボルを含む時間周波数リソースは、図2に示されているリソースエレメント(resource  element,  RE)である。図2のRB対は、周波数領域において(0乃至11の番号を付されている)12個の連続的なサブキャリアを含むとともに、時間領域において(0乃至13個の番号を付されている)14個のシンボルを含む。図2において、水平座標は、時間領域を示し、垂直座標は、周波数領域を示す。この出願において、時間領域リソースを示す添付の図面は、ある1つの例として図2に示されているRB対を使用することによって説明されるということに留意すべきである。当業者は、ある特定の実装が上記のことに限定されるものではないということを理解することが可能である。
【００５８】
この出願における"シンボル"は、これらには限定されないが、直交周波数分割多重化(orthogonal  frequency  division  multiplexing,  OFDM)シンボル、ユニバーサルフィルタリングマルチキャリア(universal  filtered  multi-carrier,  UFMC)信号、フィルタバンドマルチキャリア(filter-band  multi-carrier,  FBMC)シンボル、及び汎用周波数分割多重化(generalized  frequency-division  multiplexing,  GFDM)シンボル等のうちのいずれか1つを含んでもよいということを理解すべきである。
【００５９】
さらに、説明を容易にするために、時間領域においてリソースユニットに含まれるシンボルは、連続的に0から番号を付され、周波数領域に含まれるサブキャリアは、連続的に0から番号が付されているということを理解すべきである。例えば、リソースユニットは、RB対であり、そのRB対は、時間領域においてシンボル0乃至13を含んでもよく、周波数領域においてサブキャリア0乃至11を含んでもよい。もちろん、ある特定の実装は、これらには限定されず、例えば、時間領域におけるリソースユニットは、シンボル1乃至14を含んでもよく、周波数領域においてサブキャリア1乃至12を含んでもよい。上記の説明は、この出願の範囲を限定するのではなく、この出願の複数の実施形態によって提供される複数の技術的解決方法の説明を容易にするために提供されるということに留意すべきである。
【００６０】
構成要素パターン:  構成要素パターンは、連続的な複数のサブキャリア及び連続的な複数のシンボルを含む時間周波数ユニットであり、参照信号リソースを形成するのに使用されるパターンである。あるリソースユニットにおいて、参照信号のパターンは、1つの構成要素パターンを含んでもよく、又は、複数の構成要素パターンを含んでもよい。端末デバイスは、参照信号に対応する構成要素パターン及び少なくとも1つの構成要素パターンが占有する時間周波数リソースに基づいて、その参照信号が物理層送信ユニットの中で占有している時間周波数リソースを決定してもよい。参照信号リソースは、複数の構成要素パターンの組み合わせに基づいて柔軟に構成されてもよい。
【００６１】
ある1つの可能な実装において、構成要素パターンは、また、"構成要素パターン"又は"構成要素"と称され、構成要素(X,Y)によって示される。X及びYの双方は、1以上の整数であり、Xは、リソースユニットの中で構成要素パターンが占有する連続的なサブキャリアの数を示すのに使用され、Yは、そのリソースユニットの中でその構成要素パターンが占有する連続的なシンボルの数を示すのに使用される。選択的に、構成要素(X,Y)は、(2,1)、(4,1)、又は(2,2)であってもよく、このことは、ネットワークデバイスの構成に依存する。このことは、この出願の実施形態においては限定されない。
【００６２】
図3は、この出願のある1つの実施形態にしたがったリソース指示方法300の概略的なフローチャートである。その方法300は、図1に示されている通信システム100に適用されてもよいが、この出願のこの実施形態は、これらには限定されない。
【００６３】
S310:  ネットワークデバイスは、第1の指示情報を決定し、その第1の指示情報は、リソースユニットの中で参照信号の構成要素パターンが占有する時間領域位置を示すのに使用される。
【００６４】
S320:  ネットワークデバイスは、端末デバイスにその第1の指示情報を送信し、それに対応して、端末デバイスは、ネットワークデバイスが送信するその第1の指示情報を受信する。
【００６５】
S330:  端末デバイスは、その第1の指示情報に基づいて、リソースユニットの中で参照信号が占有する時間領域位置を決定する。
【００６６】
具体的には、ネットワークデバイスは、リソースユニットの中で参照信号の構成要素パターン(すなわち、component  pattern)が占有する時間領域位置を示すのに使用される第1の指示情報を決定し、そして、端末デバイスにその第1の指示情報を送信してもよい。端末デバイスは、第1の指示情報を受信し、その第1の指示情報に基づいて、リソースユニットの中で参照信号が占有する時間領域位置を決定する。選択的に、第1の指示情報は、無線リソース制御(Radio  Resource  Control,  RRC)シグナリングによって搬送されてもよい。
【００６７】
さらに、端末デバイスは、さらに、リソースユニットの中で参照信号が占有する周波数領域位置を決定してもよい。リソースユニットの中で参照信号が占有する時間領域位置及び周波数領域位置を決定した後に、端末デバイスは、ネットワークデバイスに参照信号を送信するか、又は、ネットワークデバイスが送信する参照信号を受信してもよい。参照信号の時間領域位置及び周波数領域位置は、ネットワークデバイスによって端末デバイスのために構成されるので、その端末デバイスは、正しい位置で参照信号を受信し及び処理し、そして、チャネル推定を完了することが可能である。
【００６８】
端末デバイスは、複数の異なるマッピングモードにおいて複数の異なる時間領域位置を取得してもよく、端末デバイスは、リソースユニットの中で参照信号の各々の構成要素パターンが占有する時間周波数位置を決定して、リソースユニットの中で参照信号が占有する時間周波数位置を最終的に決定してもよいということを理解すべきである。さらに、この出願のこの実施形態において、参照信号の1つ又は複数の構成要素パターンが存在してもよいということを理解すべきである。このことは、この出願のこの実施形態においては限定されない。
【００６９】
この出願のこの実施形態におけるリソース指示方法において、ネットワークデバイスは、リソースユニットの中で参照信号の構成要素パターンが占有する時間領域位置を示すのに使用される指示情報を端末デバイスに送信し、それによって、その端末デバイスは、その指示情報に基づいて、リソースユニットの中で参照信号が占有する時間領域位置を決定して、参照信号の複数の異なるマッピングモード及び正確なチャネル推定の実装を支援することが可能であるとともに、データ伝送効率を改善することが可能である。
【００７０】
ある1つの選択的な実施形態において、第1の指示情報は、
リソースユニットの中で構成要素パターンが占有する開始シンボル位置、参照シンボルに対する開始シンボル位置のオフセット、リソースユニットの中で構成要素パターンが占有するシンボルのインデックス、及び第1のビットマップbitmap、のうちのいずれか1つの情報を含み、第1のビットマップは、リソースユニットの中での構成要素パターンのシンボル占有状態を示すのに使用される。
【００７１】
具体的には、第1の指示情報は、リソースユニットの中で構成要素パターンが占有する時間領域位置を示すのに使用され、具体的には、以下の情報のうちのいずれか1つの情報であってもよい。
【００７２】
(1)  リソースユニットの中で構成要素パターンが占有する開始シンボル位置
【００７３】
開始シンボル位置は、具体的には、リソースユニットの中で構成要素パターンが占有する開始シンボルのインデックスであってもよい。選択的に、参照信号の構成要素パターンは、少なくとも2つの構成要素パターンを含み、リソースユニットの中で少なくとも2つの構成要素パターンが占有するシンボル位置は、非連続的である。第1の指示情報は、リソースユニットの中で少なくとも2つの構成要素パターンの各々が占有する開始シンボル位置を含む。
【００７４】
具体的には、参照信号のパターンが、リソースユニットの中の非連続的なシンボル位置を占有する少なくとも2つの構成要素パターンを含むときに、第1の指示情報は、それらの少なくとも2つの構成要素パターンの各々の開始シンボル位置を示す必要がある。例えば、図5において、参照信号は、6つの構成要素(2,2)を含む。合計で2つの列が存在し、各々の列は、3つの構成要素を含む。最初の列の3つの構成要素(2,2)及び他の列の1つの構成要素(2,2)は、時間領域において非連続的である、すなわち、2つの個別の時間領域開始位置が存在する。この場合には、第1の指示情報は、2つの時間領域開始位置を個別に示す5及び9であってもよく、それによって、端末デバイスは、各々の構成要素パターンの時間領域位置を決定する。他の例では、図6において、参照信号は、6つの構成要素(2,2)を含む。合計で2つの列が存在し、各々の列は、3つの構成要素を含む。最初の列の3つの構成要素(2,2)及び他の列の1つの構成要素(2,2)は、時間領域において連続的である。この場合には、第1の指示情報は、1つの時間領域開始位置のみを示す5であってもよく、それによって、端末デバイスは、その時間領域開始位置に基づいて、各々の構成要素パターンの時間領域位置を決定することが可能である。
【００７５】
端末デバイスは、他の方式によって、リソースユニットの中で搬送される構成要素パターンのタイプ及び数を決定し、そして、各々の列の中の構成要素パターンの数を決定してもよいということを理解すべきである。このようにして、時間領域における参照信号のある特定の分布状態は、ネットワークデバイスが端末デバイスに示す構成要素パターンの時間領域開始位置を参照して決定されてもよい。しかしながら、このことは、この出願のこの実施形態においては限定されない。
【００７６】
ある1つの選択的な実施形態において、第1の指示情報は、リソースユニットの中で各々の構成要素パターンが占有する開始シンボル位置を含むか、又は、
第1の指示情報は、開始シンボル位置セットを含み、開始シンボル位置セットは、リソースユニットの中で各々の構成要素パターンが占有する開始シンボル位置を含むか、又は、
第1の指示情報は、開始シンボル位置セットのインデックスを含む。
【００７７】
具体的には、第1の指示情報は、そのまま、構成要素パターンの開始シンボルのインデックスであってもよく、或いは、開始シンボル位置セット(又は、アレイ)であってもよく、或いは、開始シンボル位置セットのインデックスであってもよい。このことは、この出願のこの実施形態においては限定されない。構成要素パターンの開始シンボルを示すのに開始シンボル位置セットのインデックスを使用するときに、複数の開始シンボル位置セットを構成し及び番号を付して、ネットワークデバイスによる指示を容易にしてもよい。例えば、3つの開始シンボル位置セット{5,8}、{5,9}、及び{5,10}が存在し、それらの開始シンボル位置セットのインデックスは、順番に、0、1、及び2である。図5において、第1の指示情報は、そのまま、5及び9の2つの値であってもよく、或いは、第1の指示情報は、2つのシンボル位置5及び9を含むセット又はアレイであってもよく、或いは、第1の指示情報は、セット{5,9}のインデックス1であってもよい。端末デバイスは、インデックス1に基づいて、対応する開始シンボル位置セット{5,9}を決定して、さらに、参照信号の時間領域位置を決定してもよい。
【００７８】
ある1つの可能な実装において、第1の指示情報は、1つ又は2つの整数を含む以下のフィールドを含む。firstOFDMSymbolInTimeDomain-1は、時間領域開始位置を示すのに使用され、firstOFDMSymbolInTimeDomain-1は、(選択的な)他の時間領域開始位置を示すのに使用される。
【数１】
2021510276.tif 000003
【００７９】
(2)  参照シンボルに対する開始シンボル位置のオフセット
【００８０】
具体的にいうと、構成要素パターンの時間領域位置は、時間領域における複数のシンボルの間の相対的な距離又は複数の構成要素パターンの間の相対的な距離を使用することによって示される。
【００８１】
参照シンボルは、リソースユニットの中のいずれかのシンボルであってもよく、或いは、いずれかの参照信号の構成要素パターンの最初のシンボル又は最後のシンボル等であってもよいということを理解すべきである。1つ又は複数の参照記号を提供することが可能である。このことは、この出願のこの実施形態においては限定されない。加えて、参照シンボルは、プロトコルによって前もって合意されていてもよく、又は、シグナリングによってネットワークデバイスが端末デバイスのために構成してもよい。このことは、この出願のこの実施形態においては限定されない。
【００８２】
参照信号のパターンが、時間領域において連続的な構成要素パターンのみを含むときに、第1の指示情報は、連続的な構成要素パターンの時間領域開始位置と参照シンボルとの間のオフセットのみを示してもよい。例えば、図6において、参照シンボルが中央のシンボル7であると仮定すると、第1の指示情報は、シンボル7に対する構成要素パターンの時間領域開始位置の間のオフセットを搬送してもよい、すなわち、7に対する5のオフセットは、−2である。参照シンボルが5であると仮定すると、第1の指示情報は、5に対する5のオフセット0を搬送してもよい。このことは、この出願のこの実施形態においては限定されない。
【００８３】
参照信号のパターンが、時間領域において少なくとも2つの非連続的な構成要素パターンを含むときに、第1の指示情報は、非連続的な構成要素パターンの時間領域位置を個別に示す必要がある。ある1つの可能な実装において、参照信号のパターンは、第1の構成要素パターン及び第2の構成要素パターンを含み、第1の構成要素パターン及び第2の構成要素パターンは、時間領域において非連続的である。ネットワークデバイス及び端末デバイスは、参照シンボルとして、第1のシンボル及び第1の構成要素パターンの最後のシンボルを使用してもよい。第1の指示情報は、その第1のシンボルに対する第1の構成要素パターンの最初のシンボルのオフセット及び第1の構成要素パターンの最後のシンボルに対する第2の構成要素パターンの開始シンボル位置のオフセットを搬送する。このことは、この出願のこの実施形態においては限定されない。例えば、図5において、シンボル0及びシンボル6は、参照シンボルとして使用され、0は、第1のシンボルであり、6は、第1の構成要素パターンの最後のシンボルである。第1の指示情報は、オフセット5及びオフセット3を含む。端末デバイスは、最初に、第1の構成要素パターンの時間領域位置が5及び6であるということを決定し、そして、その次に、第2の構成要素パターンの時間領域位置が9及び10であるということを決定してもよい。
【００８４】
ある1つの可能な実装において、第1の指示情報は、以下のフィールドを含む。OFDMSymbolInTimeDomain-set1は、個別にDelta1及びDelta2となるオフセットを示すのに使用される2つの整数を含む。
【数２】
2021510276.tif 000004
【００８５】
(3)  リソースユニットの中で構成要素パターンが占有するシンボルのインデックス
【００８６】
すなわち、リソースユニットにおける構成要素パターンの時間領域位置は、ある特定のシンボルインデックスを使用することによって直接的に示される。例えば、図5において、第1の指示情報は、4つのシンボル5、6、9、及び10を含んでもよく、図6において、第1の指示情報は、4つのシンボル5、6、7、及び8を含んでもよい。
【００８７】
ある1つの可能な実装において、第1の指示情報は、以下のフィールドを含む。OFDMSymbolInTimeDomain-set1は、4つの整数を含む。Symbol-1、Symbol-2、Symbol-3、及びSymbol-4は、4つのシンボルのシンボルインデックスを示すのに個別に使用される。
【数３】
2021510276.tif 000005
【００８８】
(4)  第1のビットマップ
【００８９】
第1のビットマップは、リソースユニットの中での参照信号の時間領域占有状態を示すのに使用され、又は、"時間領域ビットマップ"と称されてもよく、具体的には、14つのビットを含んでもよい。各々のビットは、時間領域におけるシンボルに1対1で対応する。1は、シンボルが占有されているということを示し、0は、シンボルが占有されていないということを示し、又は、0は、シンボルが占有されているということを示し、1は、シンボルが占有されていないということを示す。このことは、この出願のこの実施形態においては限定されない。例えば、1は、シンボルが占有されているということを示し、0は、シンボルが占有されていないということを示すと仮定すると、図5において、第1の指示情報は、00000110011000であってもよく、図6において、第1の指示情報は、00000111100000であってもよい。
【００９０】
ある1つの可能な実装において、第1の指示情報は、以下のフィールドを含む。TimeDomainAllocationは、14つのビットを含み、各々のビットは、時間領域におけるシンボルに1対1で対応する。
【数４】
2021510276.tif 000006
【００９１】
上記の4つの異なる指示方式は、端末デバイスに、リソースユニットの中での参照信号の時間領域位置を直接的に又は非直接的に示すことが可能であるということを理解すべきである。ある特定の指示方式は、プロトコルにによって前もって合意されていてもよく、又は、シグナリングによってネットワークデバイスが端末デバイスのために構成してもよい。このことは、この出願のこの実施形態においては限定されない。
【００９２】
この出願のこの実施形態におけるリソース指示方法において、ネットワークデバイスは、複数の異なる方式によって、端末デバイスに、リソースユニットの中で参照信号の構成要素パターンが占有する時間領域位置を示すことが可能であり、それによって、その端末デバイスは、その指示情報に基づいて、複数の異なるマッピングモードを正しく判別し、そして、リソースユニットの中での参照信号の時間領域位置を決定することが可能であり、それにより、正確なチャネル推定の実装を支援することが可能であるとともに、データ伝送効率を改善することが可能である。
【００９３】
ある1つの可能な実装において、端末デバイスは、第1の指示情報を使用することによって、参照信号の時間領域位置を決定し、そして、第2のビットマップを使用することによって、参照信号の周波数領域位置を決定してもよい。第1の指示情報は、2つの整数を含んでもよく、又は、14つのビットを含んでもよい。第2のビットマップは、また、"周波数領域ビットマップ"と称されてもよく、12/Xのビット数を含み、Xは、構成要素(X,Y)の中の連続的なサブキャリアの数である。これは、構成要素パターンが、周波数領域においては固定マッピングモードのみを使用可能であるということによる、すなわち、参照信号の周波数領域位置は、Xの倍数にしかならないということによる。例えば、構成要素(2,2)の場合に、個々に0、2、4、6、8、及び10である6つの可能な周波数領域位置のみが存在する。したがって、6ビットのビットマップを使用することが可能である。構成要素(4,1)の場合には、個々に0、 4、及び8である3つの可能な周波数領域位置のみが存在する。したがって、3ビットのビットマップを使用することが可能である。
【００９４】
ある1つの選択的な実施形態において、端末デバイスによって、第1の指示情報に基づいて、リソースユニットの中での参照信号の時間領域位置を決定するステップの前に、当該方法は、
ネットワークデバイスが送信する第2の指示情報を端末デバイスによって受信するステップであって、第2の指示情報は、ネットワークデバイスが参照信号を送信するのに使用するポート数、ポート密度、リソースユニットの中で構成要素パターンが占有する周波数領域位置、及び符号分割多重化CDMタイプのうちの少なくとも1つの情報を示すのに使用される、ステップと、
端末デバイスによって、第2の指示情報及び第1のマッピング関係に基づいて、構成要素パターンのタイプ及び数を決定するステップであって、第1のマッピング関係は、構成要素パターンのタイプ及び数と第2の指示情報との間の対応関係を示すのに使用される、ステップと、をさらに含み、
端末デバイスによって、第1の指示情報に基づいて、リソースユニットの中で参照信号が占有する時間領域位置を決定するステップは、
端末デバイスによって、構成要素パターンのタイプ及び数と第1の指示情報とに基づいて、リソースユニットの中で参照信号が占有する時間領域位置を決定するステップを含む。
【００９５】
具体的には、端末デバイスは、ネットワークデバイスが送信する第2の指示情報を受信し、そして、その第2の指示情報に基づいて、ポート数、ポート密度、リソースユニットの中で構成要素パターンが占有する周波数領域位置、及びネットワークデバイスが参照信号を送信するのに使用するCDMタイプのうちのうちの少なくとも1つを決定することが可能である。端末デバイスは、ポート数、ポート密度、構成要素パターンの周波数領域位置、ネットワークデバイスが参照信号を送信するのに使用するCDMタイプ、及び第1のマッピング関係のうちの少なくとも1つに基づいて、構成要素パターンのタイプ及び数を決定することが可能である。端末デバイスは、その次に、第1の指示情報を参照して、リソースユニットの中で参照信号が占有する時間領域位置を決定する。選択的に、第2の指示情報は、無線リソース制御(Radio  Resource  Control,  RRC)シグナリングによって搬送されてもよい。
【００９６】
第1の指示情報が、リソースユニットの中で構成要素パターンが占有する開始シンボル位置を示すのに使用される場合に、端末デバイスは、構成要素パターンのタイプ及び数とリソースユニットの中で構成要素パターンが占有する開始シンボル位置とに基づいて、リソースユニットの中で参照信号が占有する時間領域位置を決定してもよく、第1の指示情報が、参照シンボルに対する開始シンボル位置のオフセットを示すのに使用される場合に、端末デバイスは、構成要素パターンのタイプ及び数と参照シンボルに対する開始シンボル位置のオフセットとに基づいて、リソースユニットの中で参照信号が占有する時間領域位置を決定してもよく、第1の指示情報が、リソースユニットの中で構成要素パターンが占有するシンボルのインデックスを示すのに使用される場合に、端末デバイスは、構成要素パターンのタイプ及び数とリソースユニットの中で構成要素パターンが占有するシンボルのインデックスとに基づいて、リソースユニットの中で参照信号が占有する時間領域位置を決定してもよく、第1の指示情報が、第1のビットマップを示すのに使用される場合に、端末デバイスは、構成要素パターンのタイプ及び数と第1のビットマップとに基づいて、リソースユニットの中で参照信号が占有する時間領域位置を決定してもよいということを理解すべきである。
【００９７】
ある1つの選択的な実施形態において、参照信号は、チャネル状態情報参照信号CSI-RSである。
【００９８】
図4は、この出願のある1つの実施形態にしたがった他のリソース指示方法400の概略的なフローチャートである。その方法400は、図1に示されている通信システム100に適用されてもよいが、この出願のこの実施形態は、これらには限定されない。
【００９９】
S410:  ネットワークデバイスは、端末デバイスに第2のビットマップを送信し、それに対応して、端末デバイスは、ネットワークデバイスが送信する第2のビットマップを受信し、第2のビットマップは、リソースユニットの中での参照信号の構成要素パターンの周波数領域占有状態を示すのに使用される。
【０１００】
S420:  ネットワークデバイスは、端末デバイスに第3の指示情報を送信し、それに対応して、端末デバイスは、ネットワークデバイスが送信する第3の指示情報を受信し、第3の指示情報は、ネットワークデバイスが参照信号を送信するのに使用するポート数、ポート密度、及び符号分割多重化CDMタイプのうちの少なくとも1つの情報を示すのに使用される。
【０１０１】
S430:  端末デバイスは、第2のビットマップの長さ及び内容と第3の指示情報とに基づいて、構成要素パターンのタイプ及び数を決定する。
【０１０２】
具体的には、端末デバイスは、ポート数、ポート密度、及び符号分割多重化CDMタイプを示すのに使用される第2の指示情報を参照するとともに、リソースユニットの中での参照信号の構成要素パターンの周波数領域占有状態を示すのに使用される第2のビットマップの長さ及び内容を参照して、その参照信号の構成要素パターンのタイプ及び数を決定してもよい。これは、端末デバイスは、第2の指示情報のみに基づいて、構成要素パターンのタイプ及び数を決定することができない場合があり、第2のビットマップの長さ及び内容を参照して、構成要素パターンの異なるタイプ及び数を判別することが可能であるということによる。第2のビットマップの内容は、各々の特定のビットの値であってもよく、又は、占有されているサブキャリアの数であってもよく、又は、占有されていないサブキャリアの数であってもよい。このことは、この出願のこの実施形態においては限定されない。
【０１０３】
第2のビットマップは、また、"周波数領域ビットマップ"と称されてもよく、12/Xのビット数を含み、Xは、構成要素(X,Y)の中の連続的なサブキャリアの数であるということを理解すべきである。これは、構成要素パターンが、周波数領域においては固定マッピングモードのみを使用可能であるということによる、すなわち、参照信号の周波数領域位置は、Xの倍数にしかならないということによる。例えば、構成要素(2,2)の場合に、個々に0、2、4、6、8、及び10である6つの可能な周波数領域位置のみが存在する。したがって、6ビットのビットマップを使用することが可能である。構成要素(4,1)の場合には、個々に0、 4、及び8である3つの可能な周波数領域位置のみが存在する。したがって、3ビットのビットマップを使用することが可能である。
【０１０４】
さらに、参照信号の構成要素パターンのタイプ及び数を決定した後に、端末デバイスは、他の情報に基づいて、参照信号の構成要素パターンの時間領域位置及び周波数領域位置を決定してもよく、端末デバイスは、その次に、ネットワークデバイスに参照信号を送信するか又はネットワークデバイスが送信する参照信号を受信してもよい。参照信号の時間領域位置及び周波数領域位置は、ネットワークデバイスによって端末デバイスのために構成されるので、その端末デバイスは、正しい位置で参照信号を受信し及び処理し、そして、チャネル推定を完了することが可能である。
【０１０５】
この出願のこの実施形態におけるリソース指示方法において、端末デバイスは、構成要素パターンの周波数領域占有状態を示すのに使用されるビットマップの内容を参照して、構成要素パターンのタイプ及び数を決定し、したがって、リソースユニットの中で参照信号が占有する時間領域位置及び周波数領域位置を決定することが可能であり、その結果、正確なチャネル推定の実装を支援するとともに、データ伝送効率を改善する。
【０１０６】
選択的に、端末デバイスは、最初に、ポート数、ポート密度、及び符号分割多重化CDMタイプに基づいて、構成要素パターンのタイプ及び数を決定し、構成要素パターンのタイプ及び数を決定することが不可能であるときに、端末デバイスは、さらに、第2のビットマップに含まれているビット数を参照して、構成要素パターンのタイプ及び数を決定し、依然として、構成要素パターンのタイプ及び数を決定することが不可能である場合には、端末デバイスは、さらに、第2のビットマップの特定の内容を参照して、構成要素パターンのタイプ及び数を決定する。しかしながら、このことは、この出願のこの実施形態においては限定されない。
【０１０７】
以下の記載は、ある特定の実施形態を参照して、この出願を詳細に説明する。
【０１０８】
ネットワークデバイス及び端末デバイスは、個別に、以下の表1をあらかじめ構成してもよい。表1において、第1の列は、行(Row)のインデックスであり、第2の列は、ポート数(Ports)であり、第3の列は、ポート密度(Density)であり、第4の列
【数５】
2021510276.tif 000007
、第5の列k'、及び第6の列l'は、リソースユニットの中での参照信号の位置を共同して示す。周波数領域位置は、
【数６】
2021510276.tif 000008
であり、時間領域位置は、
【数７】
2021510276.tif 000009
である。k0、k1、k2、k3は、ネットワークデバイスが端末デバイスのために構成する周波数領域開始位置を個別に示し、l0、l1は、ネットワークデバイスが端末デバイスのために構成する時間領域開始位置を個別に示す。少なくとも、k0及びl0が存在し、k1、k2、k3、及びl1は、複数の異なるマッピングモード及びマッピングケースに依存してもよい。
【０１０９】
具体的には、ネットワークデバイスは、端末デバイスに、Ports、Density、CDM  type、周波数領域指示情報(すなわち、第2のビットマップ)、及び時間領域指示情報(すなわち、第1の指示情報)を送信してもよい。端末デバイスは、最初に、Ports、Density、及びCDM  typeに基づいて、表を探索して、表1の中の対応する行を決定し、その次に、その行に対応する
【数８】
2021510276.tif 000010
、k'、及びl'に基づいて、構成要素パターンのタイプ及び数を計算し、最終的に、周波数領域指示情報及び時間領域指示情報を参照して、参照信号の時間周波数位置を決定してもよい。
【０１１０】
例えば、Ports＝2、Density＝1,0.5、及びCDM  type＝FD−CDM2である場合に、端末デバイスは、テーブルを探索して、行3を決定してもよく、
【数９】
2021510276.tif 000011
、k＝k0＋0,k0＋1、及びl＝l0である。すなわち、構成要素パターンは、構成要素(2,1)であり、1つの構成要素パターンのみが存在し、1つのシンボルが占有されている。端末デバイスは、その次に、6ビットを含む周波数領域指示情報及び整数を含む時間領域指示情報を参照して、参照信号の時間周波数位置を決定してもよい。
【０１１１】
他の例では、Ports＝4、Density＝1、及びCDM  type＝FD−CDM2である場合に、端末デバイスは、テーブルを探索して、行4及び行5を決定してもよい。行4において、
【数１０】
2021510276.tif 000012
、k＝k0＋0,k0＋1,k0＋3、及びl＝l0である、すなわち、構成要素パターンは、構成要素(4,1)であり、1つの構成要素パターンのみが存在し、1つのシンボルが占有されている。行5において、
【数１１】
2021510276.tif 000013
、k＝k0＋0,k0＋1、及び  l＝l0＋0,l0＋1である、すなわち、構成要素パターンは、構成要素(2,2)であり、1つの構成要素パターンのみが存在し、2つの連続的なシンボルが占有されている。第2のビットマップに含まれているビット数は、構成要素パターンのタイプに関連するため、端末デバイスは、第2のビットマップに含まれているビット数に基づいて、構成要素パターンのタイプを決定してもよい。具体的にいうと、行4において、構成要素パターンは、構成要素(4,1)であり、第2のビットマップの対応するビット数は、3ビットであり、行5において、構成要素パターンは、構成要素(2,2)であり、第2のビットマップの対応するビット数は、6ビットである。したがって、Ports、Density、及びCDM  typeに基づいて、その特定の構成要素パターンを決定することが不可能であるときに、端末デバイスは、第2のビットマップに含まれているビット数を参照して、構成要素パターンのタイプ、すなわち、表1の中の使用されるべきである行を決定することが可能である。その後、端末デバイスは、その次に、周波数領域指示情報及び時間領域指示情報を参照して、参照信号の時間周波数位置を決定してもよい。
【０１１２】
他の例では、Ports＝8、Density＝1、及びCDM  type＝FD−CDM2である場合に、端末デバイスは、テーブルを探索して、行7及び行8を決定してもよい。行7において、
【数１２】
2021510276.tif 000014
、k＝k0＋0,k0＋1,k1＋0,k1＋1,k2＋0,k2＋1,k3＋0,k3＋1、及び  l＝l0である。この場合には、構成要素パターンは、構成要素(2,1)であり、4つの構成要素パターンが存在し、1つの列のみが存在し、1つのシンボルが占有されている。行8において、
【数１３】
2021510276.tif 000015
、k＝k0＋0,k0＋1,k1＋0,k1＋1、及びl＝l0＋0,l0＋1である。この場合には、構成要素パターンは、構成要素(2,2)であり、4つの構成要素パターンが存在し、2つの連続的なシンボルが占有されている、すなわち、2つの列が存在し、各々の列は、2つの構成要素パターンを含む。構成要素パターンの周波数領域インジケータXは、すべてが2に等しい、すなわち、行7及び行8において、第2のビットマップは、6ビットを含むので、端末デバイスは、第2のビットマップのビット数のみに基づいて、構成要素パターンの特定のタイプを決定することが不可能である。この場合には、端末デバイスは、第2のビットマップの内容を参照して、構成要素パターンのタイプを決定してもよい。行7において、1つの列は、4つの構成要素パターンを含むので、第2のビットマップにおいて占有されているサブキャリアの数は、4であるべきである。行8において、1つの列は、2つの構成要素パターンを含むので、第2のビットマップにおいて占有されているサブキャリアの数は、2であるべきである。1が占有されているということを示し、0が占有されていないということを示す場合に、行7に対応する第2のビットマップは、4つの1を含み、行8に対応する第2のビットマップは、2つの1を含み、端末デバイスは、第2のビットマップの内容に基づいて、行7又は行8を使用することを決定し、そして、さらに、構成要素パターンのタイプを決定してもよい。その後、端末デバイスは、その次に、周波数領域指示情報及び時間領域指示情報を参照して、参照信号の時間周波数位置を決定してもよい。
【０１１３】
他の例では、行14及び行15において、6つの構成要素(2,2)は、上記の方法を使用することによって決定されてもよく、各々の列は、3つの構成要素を含む。周波数領域において、周波数領域指示情報、すなわち、第2のビットマップは、6つのビットを含んでもよく、それに対応して、図5及び図6において、特に、101010であってもよい(1は、占有されているということを示し、0は、占有されていないということを示す)。時間領域において、図5及び図6に示されている2つの異なるマッピングモードが存在してもよい。図5に示されている構成要素パターンは、非連続的な方式によって時間領域の中に配置され、図6に示されている構成要素パターンは、時間領域の中に連続的に配置されている。図6において、時間領域指示情報は、シンボル5のみを示す必要があり、端末デバイスは、構成要素(2,2)及びシンボル5に基づいて、参照信号の時間領域位置を決定することが可能である。図5において、時間領域指示情報は、シンボル5及びシンボル9の2つの最初のシンボルの位置を示す必要があり、それによって、端末デバイスは、図5に示されているマッピングモードを決定する。
【０１１４】
他の例では、行17及び行18において、8つの構成要素(2,2)は、上記の方法を使用することによって決定されてもよく、各々の列は、4つの構成要素を含む。周波数領域において、周波数領域指示情報、すなわち、第2のビットマップは、6つのビットを含んでもよく、それに対応して、図7及び図8において、特に、101011であってもよい(1は、占有されているということを示し、0は、占有されていないということを示す)。時間領域において、図7及び図8に示されている2つの異なるマッピングモードが存在してもよい。図7に示されている構成要素パターンは、時間領域において連続的に配置され、図8に示されている構成要素パターンは、非連続的な方式によって時間領域の中に配置されている。図7において、時間領域指示情報は、シンボル5のみを示す必要があり、端末デバイスは、構成要素(2,2)及びシンボル5に基づいて、参照信号の時間領域位置を決定することが可能である。図8において、時間領域指示情報は、シンボル5及びシンボル10の2つの最初のシンボルの位置を示す(又は、セット{5,10}を示す)必要があり、それによって、端末デバイスは、図8に示されているマッピングモードを決定する。
【表１】
2021510276.tif 000016
【０１１５】
他の行における構成要素パターンのタイプ及び数は、上記の方式と同様の方式によって決定されるということを理解すべきであり、本明細書においては、詳細は繰り返しては説明されない。
【０１１６】
上記のプロセスの順序番号は、それらのプロセスを実行する順序を意味するものではないということを理解すべきである。それらのプロセスを実行する順序は、それらのプロセスの機能及び内部論理にしたがって決定されるべきであり、この出願の複数の実施形態の実装プロセスに対するいかなる制限としても解釈されるべきではない。
【０１１７】
上記の記載は、図1乃至図8を参照して、この出願の複数の実施形態に基づく複数のリソース指示方法を詳細に説明しており、以下の記載は、図9乃至図14を参照して、この出願のそれらの複数の実施形態における端末デバイス及びネットワークデバイスを詳細に説明する。
【０１１８】
図9は、この出願のある1つの実施形態にしたがった端末デバイス900を示している。その端末デバイス900は、
ネットワークデバイスが送信する第1の指示情報を受信するように構成される受信ユニット910であって、第1の指示情報は、リソースユニットの中で参照信号の構成要素パターンが占有する時間領域位置を示すのに使用される、受信ユニット910と、
第1の指示情報に基づいて、リソースユニットの中で参照信号が占有する時間領域位置を決定するように構成される決定ユニット920と、を含む。
【０１１９】
この出願のこの実施形態において、ネットワークデバイスは、リソースユニットの中で参照信号の構成要素パターンが占有する時間領域位置を示すのに使用される指示情報を端末デバイスに送信し、それによって、その端末デバイスは、その指示情報に基づいて、リソースユニットの中で参照信号が占有する時間領域位置を決定して、参照信号の複数の異なるマッピングモード及び正確なチャネル推定の実装を支援することが可能であるとともに、データ伝送効率を改善することが可能である。
【０１２０】
選択的に、第1の指示情報は、リソースユニットの中で構成要素パターンが占有する開始シンボル位置、参照シンボルに対する開始シンボル位置のオフセット、リソースユニットの中で構成要素パターンが占有するシンボルのインデックス、及び第1のビットマップbitmap、のうちのいずれか1つの情報を含み、第1のビットマップは、リソースユニットの中での構成要素パターンのシンボル占有状態を示すのに使用される。
【０１２１】
選択的に、参照信号は、少なくとも2つの構成要素パターンを含み、リソースユニットの中で少なくとも2つの構成要素パターンが占有するシンボル位置は、非連続的であり、第1の指示情報は、リソースユニットの中で少なくとも2つの構成要素パターンの各々が占有する開始シンボル位置を示すのに使用される。
【０１２２】
選択的に、第1の指示情報は、リソースユニットの中で各々の構成要素パターンが占有する開始シンボル位置を含むか、又は、第1の指示情報は、開始シンボル位置セットを含み、開始シンボル位置セットは、リソースユニットの中で各々の構成要素パターンが占有する開始シンボル位置を含むか、又は、第1の指示情報は、開始シンボル位置セットのインデックスを含む。
【０１２３】
選択的に、受信ユニット910は、さらに、リソースユニットの中での参照信号の時間領域位置が、第1の指示情報に基づいて決定される前に、ネットワークデバイスが送信する第2の指示情報を受信するように構成され、第2の指示情報は、ネットワークデバイスが参照信号を送信するのに使用するポート数、ポート密度、リソースユニットの中で構成要素パターンが占有する周波数領域位置、及び符号分割多重化CDMタイプのうちの少なくとも1つの情報を示すのに使用され、決定ユニット920は、特に、第2の指示情報及び第1のマッピング関係に基づいて、構成要素パターンのタイプ及び数を決定し、第1のマッピング関係は、構成要素パターンのタイプ及び数と第2の指示情報との間の対応関係を示すのに使用され、そして、構成要素パターンのタイプ及び数と第1の指示情報とに基づいて、リソースユニットの中で参照信号が占有する時間領域位置を決定する、ように構成される。
【０１２４】
選択的に、参照信号は、チャネル状態情報参照信号CSI-RSである。
【０１２５】
本明細書における端末デバイス900は、複数の機能ユニットの形態で示されるということを理解すべきである。本明細書における"ユニット"の語は、特定用途向け集積回路(Application  Specific  Integrated  Circuit,  ASIC)、電子回路、1つ又は複数のソフトウェアプログラム又はファームウェアプログラムを実行するための(例えば、共有プロセッサ、専用プロセッサ、又はパケットプロセッサ等の)プロセッサ、組み合わせ論理回路、及び/又は上記の機能をサポートする他の適切な構成要素を指してもよい。ある1つの選択的な例において、当業者は、端末デバイス900が、特に、上記の複数の実施形態における端末デバイスであってもよく、端末デバイス900が、上記の方法の実施形態300における端末デバイスに対応する複数の手順及び/又は複数のステップを実行するように構成されてもよいということを理解することが可能である。繰り返しを避けるために、本明細書においては、詳細は繰り返しては説明されない。
【０１２６】
図10は、この出願のある1つの実施形態にしたがったネットワークデバイス1000を示している。そのネットワークデバイス1000は、
第1の指示情報を決定するように構成される決定ユニット1010であって、第1の指示情報は、リソースユニットの中で参照信号の構成要素パターンが占有する時間領域位置を示すのに使用される、決定ユニット1010と、
端末デバイスに第1の指示情報を送信するように構成され、それによって、端末デバイスは、リソースユニットの中で参照信号が占有する時間領域位置を決定する、送信ユニット1020と、を含む。
【０１２７】
この出願のこの実施形態において、ネットワークデバイスは、リソースユニットの中で参照信号の構成要素パターンが占有する時間領域位置を示すのに使用される指示情報を端末デバイスに送信し、それによって、その端末デバイスは、その指示情報に基づいて、リソースユニットの中で参照信号が占有する時間領域位置を決定して、参照信号の複数の異なるマッピングモード及び正確なチャネル推定の実装を支援することが可能であるとともに、データ伝送効率を改善することが可能である。
【０１２８】
選択的に、第1の指示情報は、リソースユニットの中で構成要素パターンが占有する開始シンボル位置、参照シンボルに対する開始シンボル位置のオフセット、リソースユニットの中で構成要素パターンが占有するシンボルのインデックス、及び第1のビットマップbitmap、のうちのいずれか1つの情報を含み、第1のビットマップは、リソースユニットの中での構成要素パターンのシンボル占有状態を示すのに使用される。
【０１２９】
選択的に、参照信号は、少なくとも2つの構成要素パターンを含み、リソースユニットの中で少なくとも2つの構成要素パターンが占有するシンボル位置は、非連続的であり、第1の指示情報は、リソースユニットの中で少なくとも2つの構成要素パターンの各々が占有する開始シンボル位置を示すのに使用される。
【０１３０】
選択的に、第1の指示情報は、リソースユニットの中で各々の構成要素パターンが占有する開始シンボル位置を含むか、又は、第1の指示情報は、開始シンボル位置セットを含み、開始シンボル位置セットは、リソースユニットの中で各々の構成要素パターンが占有する開始シンボル位置を含むか、又は、第1の指示情報は、開始シンボル位置セットのインデックスを含む。
【０１３１】
選択的に、送信ユニット1020は、さらに、当該ネットワークデバイスによって端末デバイスに第2の指示情報を送信するように構成され、第2の指示情報は、当該ネットワークデバイスが参照信号を送信するのに使用するポート数、ポート密度、リソースユニットの中で構成要素パターンが占有する周波数領域位置、及び符号分割多重化CDMタイプのうちの少なくとも1つの情報を示すのに使用される。
【０１３２】
選択的に、参照信号は、チャネル状態情報参照信号CSI-RSである。
【０１３３】
本明細書におけるネットワークデバイス1000は、複数の機能ユニットの形態で示されるということを理解すべきである。本明細書における"ユニット"の語は、特定用途向け集積回路(Application  Specific  Integrated  Circuit,  ASIC)、電子回路、1つ又は複数のソフトウェアプログラム又はファームウェアプログラムを実行するための(例えば、共有プロセッサ、専用プロセッサ、又はパケットプロセッサ等の)プロセッサ、組み合わせ論理回路、及び/又は上記の機能をサポートする他の適切な構成要素を指してもよい。ある1つの選択的な例において、当業者は、ネットワークデバイス1000が、特に、上記の複数の実施形態におけるネットワークデバイスであってもよく、ネットワークデバイス1000が、上記の方法の実施形態300におけるネットワークデバイスに対応する複数の手順及び/又は複数のステップを実行するように構成されてもよいということを理解することが可能である。繰り返しを避けるために、本明細書においては、詳細は繰り返しては説明されない。
【０１３４】
図11は、この出願のある1つの実施形態にしたがった他の端末デバイス1100を示している。その端末デバイス1100は、
ネットワークデバイスが送信する第2のビットマップbitmapを受信するように構成される受信ユニット1110であって、第2のビットマップは、リソースユニットの中での参照信号の構成要素パターンの周波数領域占有状態を示すのに使用され、
受信ユニット1110は、さらに、ネットワークデバイスが送信する第3の指示情報を受信するように構成され、第3の指示情報は、ネットワークデバイスが参照信号を送信するのに使用するポート数、ポート密度、及び符号分割多重化CDMタイプのうちの少なくとも1つの情報を示すのに使用される、受信ユニット1110と、
第2のビットマップの長さ及び内容と第3の指示情報とに基づいて、構成要素パターンのタイプ及び数を決定するように構成される決定ユニット1120と、を含む。
【０１３５】
この出願のこの実施形態においては、端末デバイスは、構成要素パターンの周波数領域占有状態を示すのに使用されるビットマップの内容を参照して、構成要素パターンのタイプ及び数を決定し、したがって、リソースユニットの中で参照信号が占有する時間領域位置及び周波数領域位置を決定して、正確なチャネル推定の実装を支援することが可能であるとともに、データ伝送効率を改善することが可能である。
【０１３６】
本明細書における端末デバイス1100は、複数の機能ユニットの形態で示されるということを理解すべきである。本明細書における"ユニット"の語は、特定用途向け集積回路(Application  Specific  Integrated  Circuit,  ASIC)、電子回路、1つ又は複数のソフトウェアプログラム又はファームウェアプログラムを実行するための(例えば、共有プロセッサ、専用プロセッサ、又はパケットプロセッサ等の)プロセッサ、組み合わせ論理回路、及び/又は上記の機能をサポートする他の適切な構成要素を指してもよい。ある1つの選択的な例において、当業者は、端末デバイス1100が、特に、上記の複数の実施形態における端末デバイスであってもよく、端末デバイス1100が、上記の方法の実施形態400における端末デバイスに対応する複数の手順及び/又は複数のステップを実行するように構成されてもよいということを理解することが可能である。繰り返しを避けるために、本明細書においては、詳細は繰り返しては説明されない。
【０１３７】
図12は、この出願のある1つの実施形態にしたがった他の端末デバイス1200を示している。装置1200は、プロセッサ1210、トランシーバー1220、及びメモリ1230を含む。プロセッサ1210、トランシーバー1220、及びメモリ1230は、内部接続経路を介して互いに通信する。メモリ1230は、命令を格納するように構成され、プロセッサ1210は、メモリ1230が格納している命令を実行して、信号を送信し及び/又は信号を受信するようにトランシーバー1220を制御するように構成される。
【０１３８】
メモリ1203が格納しているプログラム命令がプロセッサ1201によって実行されるときに、プロセッサ1201は、トランシーバー1220を使用することによって、ネットワークデバイスが送信する第1の指示情報を受信し、第1の指示情報は、リソースユニットの中で参照信号の構成要素パターンが占有する時間領域位置を示すのに使用され、そして、第1の指示情報に基づいて、リソースユニットの中で参照信号が占有する時間領域位置を決定する、ように構成される。
【０１３９】
プロセッサ1201及びメモリ1203を一体化して、処理装置としてもよく、プロセッサ1201は、メモリ1203が格納しているプログラムコードを実行して、上記の機能を実行するように構成される。特定の実装の際に、メモリ1203は、代替的に、プロセッサ1201の中に一体化されていてもよく、又は、プロセッサ1201から独立していてもよい。端末デバイス1200は、アンテナ1204をさらに含んでもよく、そのアンテナ1204は、無線信号を使用することによって、トランシーバー1202が出力するアップリンクデータ又はアップリンク制御シグナリングを送信するように構成される。
【０１４０】
端末デバイス1200は、具体的には、実施形態300における端末デバイスであってもよく、方法の実施形態300における端末デバイスに対応する複数のステップ及び/又は複数の手順を実行するように構成されてもよいということを理解すべきである。選択的に、メモリ1203は、読み出し専用メモリ及びランダムアクセスメモリを含み、プロセッサに命令及びデータを提供してもよい。メモリの一部は、不揮発性ランダムアクセスメモリをさらに含んでもよい。例えば、メモリは、さらに、デバイスタイプの情報を格納してもよい。プロセッサ1201は、メモリが格納している命令を実行するように構成されてもよい。プロセッサ1201が、メモリが格納している命令を実行するときに、プロセッサ1201は、端末デバイスに対応する方法の実施形態における複数のステップ及び/又は複数の手順を実行するように構成される。
【０１４１】
プロセッサ1201は、上記の方法の実施形態において端末によって実行される複数の動作を実行するように構成されてもよく、一方で、トランシーバー1202は、上記の方法の実施形態において端末から端末デバイスへの伝送又は送信の動作を実行するように構成されてもよい。細部については、上記の方法の実施形態における説明を参照するべきであり、本明細書においては、詳細は繰り返しては説明されない。
【０１４２】
端末デバイス1200は、電源1206をさらに含んでもよく、その電源1206は、端末デバイス1200のさまざまな構成要素又は回路に電力を供給するように構成される。
【０１４３】
加えて、端末デバイスの機能をさらに改善するために、端末デバイス1200は、入力ユニット1206、ディスプレイユニット1207、オーディオ回路1208、カメラ12012、及びセンサ1210等のうちの1つ又は複数をさらに含んでもよく、オーディオ回路は、スピーカ12082及びマイクロホン12084等をさらに含んでもよい。
【０１４４】
図13は、この出願のある1つの実施形態にしたがった他の端末デバイス1300を示している。装置1300は、プロセッサ1310、トランシーバー1320、及びメモリ1330を含む。プロセッサ1310、トランシーバー1320、及びメモリ1330は、内部接続経路を介して互いに通信する。メモリ1330は、命令を格納するように構成され、プロセッサ1310は、メモリ1330が格納している命令を実行して、信号を送信し及び/又は信号を受信するようにトランシーバー1320を制御するように構成される。
【０１４５】
メモリ1330が格納しているプログラム命令がプロセッサ1310によって実行されるときに、プロセッサ1310は、第1の指示情報を決定し、第1の指示情報は、リソースユニットの中で参照信号の構成要素パターンが占有する時間領域位置を示すのに使用され、そして、トランシーバー1320を使用することによって、端末デバイスに第1の指示情報を送信する、ように構成され、それによって、その端末デバイスは、リソースユニットの中で参照信号が占有する時間領域位置を決定する。
【０１４６】
プロセッサ1310及びメモリ1330を一体化して、処理装置としてもよく、プロセッサ1310は、メモリ1330が格納しているプログラムコードを実行して、上記の機能を実行するように構成される。特定の実装の際に、メモリ1330は、代替的に、プロセッサ1310の中に一体化されていてもよく、又は、プロセッサ1310から独立していてもよい。
【０１４７】
端末デバイス1300は、アンテナ1340をさらに含んでもよく、そのアンテナ1340は、無線信号を使用することによって、トランシーバー1320が出力するダウンリンクデータ又はダウンリンク制御シグナリングを送信するように構成される。端末デバイス1300は、具体的には、実施形態200におけるネットワークデバイスであってもよく、方法の実施形態300におけるネットワークデバイスに対応する複数のステップ及び/又は複数の手順を実行するように構成されてもよいということを理解すべきである。選択的に、メモリ1330は、読み出し専用メモリ及びランダムアクセスメモリを含み、プロセッサに命令及びデータを提供してもよい。メモリの一部は、不揮発性ランダムアクセスメモリをさらに含んでもよい。例えば、メモリは、さらに、デバイスタイプの情報を格納してもよい。プロセッサ1310は、メモリの中に格納されている命令を実行するように構成されてもよく、プロセッサ1310が、メモリの中に格納されている命令を実行するときに、プロセッサ1310は、ネットワークデバイスに対応する方法の実施形態における複数のステップ及び/又は複数の手順を実行するように構成される。
【０１４８】
図14は、この出願のある1つの実施形態にしたがった他の端末デバイス1400を示している。装置1400は、プロセッサ1410、トランシーバー1420、及びメモリ1430を含む。プロセッサ1410、トランシーバー1420、及びメモリ1430は、内部接続経路を介して互いに通信する。メモリ1430は、命令を格納するように構成され、プロセッサ1410は、メモリ1430が格納している命令を実行して、信号を送信し及び/又は信号を受信するようにトランシーバー1420を制御するように構成される。
【０１４９】
メモリ1403が格納しているプログラム命令がプロセッサ1401によって実行されるときに、プロセッサ1401は、トランシーバー1420を使用することによって、ネットワークデバイスが送信する第2のビットマップbitmapを受信し、第2のビットマップは、リソースユニットの中での参照信号の構成要素パターンの周波数領域占有状態を示すのに使用され、ネットワークデバイスが送信する第3の指示情報を受信し、第3の指示情報は、ネットワークデバイスが参照信号を送信するのに使用するポート数、ポート密度、及び符号分割多重化CDMタイプのうちの少なくとも1つの情報を示すのに使用され、そして、第2のビットマップの長さ及び内容と第3の指示情報とに基づいて、構成要素パターンのタイプ及び数を決定する、ように構成される。
【０１５０】
プロセッサ1401及びメモリ1403を一体化して、処理装置としてもよく、プロセッサ1401は、メモリ1403が格納しているプログラムコードを実行して、上記の機能を実行するように構成される。特定の実装の際に、メモリ1403は、代替的に、プロセッサ1401の中に一体化されていてもよく、又は、プロセッサ1401から独立していてもよい。端末デバイス1400は、アンテナ1404をさらに含んでもよく、そのアンテナ1404は、無線信号を使用することによって、トランシーバー1402が出力するアップリンクデータ又はアップリンク制御シグナリングを送信するように構成される。
【０１５１】
端末デバイス1400は、具体的には、実施形態300における端末デバイスであってもよく、方法の実施形態300における端末デバイスに対応する複数のステップ及び/又は複数の手順を実行するように構成されてもよいということを理解すべきである。選択的に、メモリ1403は、読み出し専用メモリ及びランダムアクセスメモリを含み、プロセッサに命令及びデータを提供してもよい。メモリの一部は、不揮発性ランダムアクセスメモリをさらに含んでもよい。例えば、メモリは、さらに、デバイスタイプの情報を格納してもよい。プロセッサ1401は、メモリが格納している命令を実行するように構成されてもよい。プロセッサ1401が、メモリが格納している命令を実行するときに、プロセッサ1401は、端末デバイスに対応する上記の方法の実施形態における複数のステップ及び/又は複数の手順を実行するように構成される。
【０１５２】
プロセッサ1401は、上記の方法の実施形態において端末によって実行される複数の動作を実行するように構成されてもよく、一方で、トランシーバー1402は、上記の方法の実施形態において端末から端末デバイスへの伝送又は送信の動作を実行するように構成されてもよい。細部については、上記の方法の実施形態における説明を参照するべきであり、本明細書においては、詳細は繰り返しては説明されない。
【０１５３】
端末デバイス1400は、電源1406をさらに含んでもよく、その電源1406は、端末デバイス1400のさまざまな構成要素又は回路に電力を供給するように構成される。
【０１５４】
加えて、端末デバイスの機能をさらに改善するために、端末デバイス1400は、入力ユニット1406、ディスプレイユニット1407、オーディオ回路1408、カメラ14014、及びセンサ1410等のうちの1つ又は複数をさらに含んでもよく、オーディオ回路は、スピーカ14082及びマイクロホン14084等をさらに含んでもよい。
【０１５５】
この出願の実施形態において、上記のネットワークデバイス及び端末デバイスの中のプロセッサは、中央処理ユニット(central  processing  unit,  CPU)であってもよく、或いは、プロセッサは、他の汎用プロセッサ、ディジタル信号プロセッサ(DSP)、特定用途向け集積回路(ASIC)、フィールドプログラマブルゲートアレイ(FPGA)、又は、他のプログラム可能な論理デバイス、個別のゲート又はトランジスタ論理デバイス、又は個別のハードウェア構成要素等であってもよいということを理解すべきである。汎用プロセッサは、マイクロプロセッサであってもよく、又は、プロセッサは、いずれかの従来のプロセッサ等であってもよい。
【０１５６】
ある1つの実装プロセスにおいて、プロセッサの中のハードウェア集積論理回路を使用することによって、又は、ソフトウェアの形態の命令を使用することによって、上記の複数の方法における複数のステップを実装することが可能である。この出願のそれらの複数の実施形態を参照して開示される方法の複数のステップは、ハードウェアプロセッサによって直接的に実行されてもよく、又は、プロセッサの中のハードウェア及びソフトウェアユニットの組み合わせを使用することによって実行されてもよい。ソフトウェアユニットは、ランダムアクセスメモリ、フラッシュメモリ、読み取り専用メモリ、プログラム可能な読み取り専用メモリ、電気的に消去可能且つプログラム可能なメモリ、又はレジスタ等の当該技術分野における成熟した記憶媒体の中に位置していてもよい。記憶媒体は、メモリの中に位置しており、プロセッサは、メモリの中の命令を実行し、そして、そのプロセッサのハードウェアと関連する上記の方法のそれらの複数のステップを完了する。繰り返しを避けるために、本明細書においては、詳細は繰り返しては説明されない。
【０１５７】
本明細書における"及び/又は"の語は、複数の関連する対象を説明するための関連性関係を説明しているにすぎず、3つの関係が存在していてもよいということを表すということを理解すべきである。例えば、A及び/又はBは、Aのみ存在する場合、A及びBの双方が存在する場合、及び、Bのみ存在する場合の3つの場合を表していてもよい。加えて、本明細書における"/"の記号は、通常、複数の関連する対象の間の"又は"の関係を示す。
【０１５８】
当業者は、本明細書において開示されている複数の実施形態において説明されている複数の例と関連して、電子的なハードウェアによって、又は、コンピュータソフトウェアによって、或いは、それらの組み合わせによって、方法のステップ及びユニットを実装することが可能であるということを認識することが可能である。ハードウェアとソフトウェアとの間の互換性を明確に説明するために、上記の記載は、複数の機能にしたがって、各々の実施形態のステップ及び構成要素を一般的に説明している。それらの複数の機能がハードウェアによって実行されるか又はソフトウェアによって実行されるかは、それらの複数の技術的解決方法の特定の用途及び設計上の制約によって決まる。当業者は、複数の異なる方法を使用して、各々の特定の用途について、説明されている複数の機能を実装してもよいが、その実装がこの出願の範囲を超えるものであると解釈されるべきではない。
【０１５９】
当業者は、利便性があり且つ簡単な説明のために、上記のシステム、装置、及びユニットの詳細な動作プロセスについては、上記の方法の実施形態における対応するプロセスを参照すべきであるということを明確に理解することが可能であり、本明細書においては、詳細は繰り返しては説明されない。
【０１６０】
この出願によって提供される複数の実施形態において、他の方式によって、開示されているシステム、装置、及び方法を実装してもよいということを理解すべきである。例えば、説明されている装置の実施形態は、ある1つの例であるにすぎない。例えば、ユニットの分割は、論理的な機能の分割であるにすぎず、実際の実装においては、他の分割であってもよい。例えば、複数のユニット又は構成要素を組み合わせるか又は一体化して、他のシステムとしてもよく、或いは、いくつかの特徴を無視してもよく又は実行しなくてもよい。加えて、示され又は説明されている相互の結合、直接的な結合、又は通信接続は、複数のインターフェイスのうちのいくつかによって、或いは、複数の装置又は複数のユニットの間の非直接的な結合又は通信接続、電気的な接続、機械的な接続、又は他の形態の接続によって実装されてもよい。
【０１６１】
個別の部分として説明されている複数のユニットは、物理的に分離されていてもよく、又は、物理的に分離されていなくてもよく、複数のユニットとして示されている部分は、複数の物理的なユニットであってもよく、又は、複数の物理的なユニットでなくてもよく、1つの場所に位置していてもよく、又は、複数のネットワークユニットに分散されていてもよい。それらの複数のユニットのうちの一部又はすべては、実際の要件にしたがって選択されて、この出願のそれらの複数の実施形態の複数の解決方法の目的を達成してもよい。
【０１６２】
加えて、この出願のそれらの複数の実施形態における複数の機能的なユニットを一体化して、1つの処理ユニットとしてもよく、又は、それらの複数のユニットのうちの各々は、物理的に単独で存在していてもよく、又は、2つ又はそれ以上のユニットを一体化して、1つのユニットとしてもよい。一体化されたユニットは、ハードウェアの形態で実装されてもよく、又は、ソフトウェアの機能的なユニットの形態で実装されてもよい。
【０１６３】
その一体化されたユニットが、ソフトウェアの機能的なユニットの形態で実装され、独立した製品として販売され又は使用されるときに、その一体化されたユニットは、コンピュータ読み取り可能な記憶媒体の中に格納されてもよい。そのような理解に基づいて、この出願の複数の技術的解決方法は、本質的に、或いは、先行技術に寄与する部分又はそれらの複数の技術的解決方法のうちのすべて又は一部は、ソフトウェア製品の形態で実装されてもよい。そのソフトウェア製品は、記憶媒体の中に格納され、いくつかの命令を含み、それらのいくつかの命令は、この出願のそれらの複数の実施形態において説明されている複数の方法の複数のステップのうちのすべて又は一部を実行するように、(パーソナルコンピュータ、サーバ、又はネットワークデバイスであってもよい)コンピュータデバイスに指示する。上記の記憶媒体は、プログラムコードを格納することが可能であるUSBフラッシュドライブ、取り外し可能なハードディスク、読み取り専用メモリ(read-only  memory,  ROM)、ランダムアクセスメモリ(random  access  memory,  RAM)、磁気ディスク、又は光ディスク等のいずれかの媒体を含む。
【０１６４】
上記の説明は、この出願の特定の実施形態であるにすぎず、この出願の保護の範囲を限定することを意図してはいない。この出願によって開示されている技術的範囲の中で当業者が容易に考え出すことが可能であるいずれかの等価な修正又は置換は、この出願の保護の範囲に属するものとする。したがって、この出願の保護の範囲は、特許請求の範囲の保護の範囲にしたがうものとする。
【図１】
2021510276.tif 000017
【図２】
2021510276.tif 000018
【図３】
2021510276.tif 000019
【図４】
2021510276.tif 000020
【図５】
2021510276.tif 000021
【図６】
2021510276.tif 000022
【図７】
2021510276.tif 000023
【図８】
2021510276.tif 000024
【図９】
2021510276.tif 000025
【図１０】
2021510276.tif 000026
【図１１】
2021510276.tif 000027
【図１２】
2021510276.tif 000028
【図１３】
2021510276.tif 000029
【図１４】
2021510276.tif 000030
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
リソース指示方法であって、
ネットワークデバイスが送信する第1の指示情報を端末デバイスによって受信するステップであって、前記第1の指示情報は、リソースユニットの中で参照信号の構成要素パターンが占有する時間領域位置を示す、ステップと、
前記端末デバイスによって、前記第1の指示情報に基づいて、前記リソースユニットの中で前記参照信号が占有する前記時間領域位置を決定するステップと、を含む、
方法。
【請求項２】
当該方法は、
前記時間領域位置を決定する前記ステップの前に、前記ネットワークデバイスが送信する第2の指示情報を前記端末デバイスによって受信するステップであって、前記第2の指示情報は、ポート数、ポート密度、前記リソースユニットの中で前記構成要素パターンが占有する周波数領域位置、又は符号分割多重化(CDM)タイプのうちの少なくとも1つを示す指標を含み、前記指標は、前記参照信号を送信するのに前記ネットワークデバイスによって使用される、ステップと、
前記端末デバイスによって、前記第2の指示情報及び第1のマッピング関係に基づいて、構成要素パターンのタイプ及び数を決定するステップであって、前記第1のマッピング関係は、前記構成要素パターンの前記タイプ及び前記数と前記第2の指示情報との間の対応関係を示す、ステップと、をさらに含み、
前記時間領域位置を決定する前記ステップは、さらに、前記構成要素パターンの前記タイプ及び前記数に基づく、請求項1に記載の方法。
【請求項３】
前記第1の指示情報は、
前記構成要素パターンの第1のシンボルの位置、参照シンボルに対する前記第1のシンボルの前記位置のオフセット、前記構成要素パターンのシンボルのインデックス、及び第1のビットマップ、のうちの1つ又は複数を含み、前記第1のビットマップは、前記リソースユニットの中での前記構成要素パターンのシンボル占有状態を示す、請求項1又は2に記載の方法。
【請求項４】
前記参照信号は、前記リソースユニットの中で占有されている少なくとも2つの非連続的な構成要素パターンを含み、
前記第1の指示情報は、前記少なくとも2つの非連続的な構成要素パターンの各々に対応する第1のシンボルの位置を示す、請求項1乃至3のうちのいずれか1項に記載の方法。
【請求項５】
前記第1の指示情報は、各々の構成要素パターンの第1のシンボルの位置を含むか、又は、
前記第1の指示情報は、位置セットを含み、前記位置セットは、各々の構成要素パターンの前記第1のシンボルの前記位置を含むか、又は、
前記第1の指示情報は、前記位置セットのインデックスを含む、請求項1乃至4のうちのいずれか1項に記載の方法。
【請求項６】
前記参照信号は、チャネル状態情報参照信号(CSI-RS)である、請求項1乃至5のうちのいずれか1項に記載の方法。
【請求項７】
リソース指示方法であって、
ネットワークデバイスによって第1の指示情報を決定するステップであって、前記第1の指示情報は、リソースユニットの中で占有されている参照信号の構成要素パターンを決定する時間領域位置を示す、ステップと、
前記ネットワークデバイスによって端末デバイスに、前記第1の指示情報を送信するステップと、を含む、
方法。
【請求項８】
当該方法は、
前記ネットワークデバイスによって前記端末デバイスに、第2の指示情報を送信するステップであって、前記第2の指示情報は、ポート数、ポート密度、前記リソースユニットの中で前記構成要素パターンが占有する周波数領域位置、及び符号分割多重化(CDM)タイプのうちの少なくとも1つを示す指標を含み、前記指標は、前記参照信号を送信するのに前記ネットワークデバイスによって使用される、ステップをさらに含む、請求項7に記載の方法。
【請求項９】
前記第1の指示情報は、
前記構成要素パターンの第1のシンボルの位置、参照シンボルに対する前記第1のシンボルの前記位置のオフセット、前記構成要素パターンのシンボルのインデックス、及び第1のビットマップ、のうちの1つ又は複数を含み、前記第1のビットマップは、前記リソースユニットの中での前記構成要素パターンのシンボル占有状態を示す、請求項7又は8に記載の方法。
【請求項１０】
前記参照信号は、前記リソースユニットの中で占有されている少なくとも2つの非連続的な構成要素パターンを含み、
前記第1の指示情報は、前記少なくとも2つの非連続的な構成要素パターンの各々に対応する第1のシンボルの位置を示す、請求項7乃至9のうちのいずれか1項に記載の方法。
【請求項１１】
前記第1の指示情報は、各々の構成要素パターンの第1のシンボルの位置を含むか、又は、
前記第1の指示情報は、位置セットを含み、前記位置セットは、各々の構成要素パターンの前記第1のシンボルの前記位置を含むか、又は、
前記第1の指示情報は、前記位置セットのインデックスを含む、請求項7乃至10のうちのいずれか1項に記載の方法。
【請求項１２】
前記参照信号は、チャネル状態情報参照信号(CSI-RS)である、請求項7乃至11のうちのいずれか1項に記載の方法。
【請求項１３】
リソース指示方法であって、
ネットワークデバイスが送信する第2のビットマップを端末デバイスによって受信するステップであって、前記第2のビットマップは、リソースユニットの中での参照信号の構成要素パターンの周波数領域割り当てを示す、ステップと、
前記ネットワークデバイスが送信する第3の指示情報を前記端末デバイスによって受信するステップであって、前記第3の指示情報は、ポート数、ポート密度、又は符号分割多重化(CDM)タイプのうちの少なくとも1つを示す指標を含み、前記指標は、前記参照信号を送信するのに前記ネットワークデバイスによって使用される、ステップと、
前記端末デバイスによって、前記第2のビットマップの長さ及び内容と前記第3の指示情報とに基づいて、前記構成要素パターンのタイプ及び数を決定するステップと、を含む、
方法。
【請求項１４】
前記参照信号は、チャネル状態情報参照信号(CSI-RS)である、請求項13に記載の方法。
【請求項１５】
端末デバイスであって、
トランシーバーと、
少なくとも1つのプロセッサと、
前記少なくとも1つのプロセッサに接続され、前記少なくとも1つのプロセッサによる実行のために、プログラミング命令を格納する非一時的な且つコンピュータ読み取り可能な記憶媒体と、を含み、前記プログラミング命令は、前記トランシーバーに、
ネットワークデバイスが送信する第1の指示情報を受信するように命令し、前記第1の指示情報は、リソースユニットの中で占有されている参照信号の構成要素パターンを決定する時間領域位置を示し、
前記プログラミング命令は、さらに、前記少なくとも1つのプロセッサに、前記第1の指示情報に基づいて、前記時間領域位置を決定するように命令する、
端末デバイス。
【請求項１６】
前記トランシーバーは、さらに、
前記時間領域位置が決定される前に、前記ネットワークデバイスが送信する第2の指示情報を受信するように構成され、前記第2の指示情報は、ポート数、ポート密度、前記リソースユニットの中で前記構成要素パターンが占有する周波数領域位置、又は符号分割多重化(CDM)タイプのうちの少なくとも1つを示す指標を含み、前記指標は、前記参照信号を送信するのに前記ネットワークデバイスによって使用され、
前記プログラミング命令は、さらに、前記少なくとも1つのプロセッサに、
前記第2の指示情報及び第1のマッピング関係に基づいて、構成要素パターンのタイプ及び数を決定するように命令し、前記第1のマッピング関係は、前記構成要素パターンの前記タイプ及び前記数と前記第2の指示情報との間の対応関係を示し、
前記時間領域位置の前記決定は、さらに、前記構成要素パターンの前記タイプ及び前記数に基づく、請求項15に記載の端末デバイス。
【請求項１７】
前記第1の指示情報は、
前記構成要素パターンの第1のシンボルの位置、参照シンボルに対する前記第1のシンボルの前記位置のオフセット、前記構成要素パターンのシンボルのインデックス、及び第1のビットマップ、のうちの1つ又は複数を含み、前記第1のビットマップは、前記リソースユニットの中での前記構成要素パターンのシンボル占有状態を示す、請求項15又は16に記載の端末デバイス。
【請求項１８】
前記参照信号は、前記リソースユニットの中で占有されている少なくとも2つの非連続的な構成要素パターンを含み、
前記第1の指示情報は、前記少なくとも2つの非連続的な構成要素パターンの各々に対応する第1のシンボルの位置を示す、請求項15乃至17のうちのいずれか1項に記載の端末デバイス。
【請求項１９】
前記第1の指示情報は、各々の構成要素パターンの第1のシンボルの位置を含むか、又は、
前記第1の指示情報は、位置セットを含み、前記位置セットは、各々の構成要素パターンの前記第1のシンボルの前記位置を含むか、又は、
前記第1の指示情報は、前記位置セットのインデックスを含む、請求項15乃至18のうちのいずれか1項に記載の端末デバイス。
【請求項２０】
前記参照信号は、チャネル状態情報参照信号(CSI-RS)である、請求項15乃至19のうちのいずれか1項に記載の端末デバイス。
【請求項２１】
ネットワークデバイスであって、
トランシーバーと、
少なくとも1つのプロセッサと、
前記少なくとも1つのプロセッサに接続され、前記少なくとも1つのプロセッサによる実行のために、プログラミング命令を格納する非一時的な且つコンピュータ読み取り可能な記憶媒体と、を含み、前記プログラミング命令は、前記少なくとも1つのプロセッサに、
第1の指示情報を決定するように命令し、前記第1の指示情報は、リソースユニットの中で占有されている参照信号の構成要素パターンを決定する時間領域位置を示し、
前記プログラミング命令は、前記トランシーバーに、端末デバイスに前記第1の指示情報を送信するように命令する、
ネットワークデバイス。
【請求項２２】
前記トランシーバーは、さらに、
前記端末デバイスに第2の指示情報を送信するように構成され、前記第2の指示情報は、ポート数、ポート密度、前記リソースユニットの中で前記構成要素パターンが占有する周波数領域位置、又は符号分割多重化(CDM)タイプのうちの少なくとも1つを示す指標を含み、前記指標は、前記参照信号を送信するのに当該ネットワークデバイスによって使用される、請求項21に記載のネットワークデバイス。
【請求項２３】
前記第1の指示情報は、
前記構成要素パターンの第1のシンボルの位置、参照シンボルに対する前記第1のシンボルの前記位置のオフセット、前記構成要素パターンのシンボルのインデックス、及び第1のビットマップ、のうちの1つ又は複数を含み、前記第1のビットマップは、前記リソースユニットの中での前記構成要素パターンのシンボル占有状態を示す、請求項21又は22に記載のネットワークデバイス。
【請求項２４】
前記参照信号は、前記リソースユニットの中で占有されている少なくとも2つの非連続的な構成要素パターンを含み、
前記第1の指示情報は、前記少なくとも2つの非連続的な構成要素パターンの各々に対応する第1のシンボルの位置を示す、請求項21乃至23のうちのいずれか1項に記載のネットワークデバイス。
【請求項２５】
前記第1の指示情報は、各々の構成要素パターンの第1のシンボルの位置を含むか、又は、
前記第1の指示情報は、位置セットを含み、前記位置セットは、各々の構成要素パターンの第1のシンボルの前記位置を含むか、又は、
前記第1の指示情報は、前記位置セットのインデックスを含む、請求項21乃至24のうちのいずれか1項に記載のネットワークデバイス。
【請求項２６】
前記参照信号は、チャネル状態情報参照信号(CSI-RS)である、請求項21乃至25のうちのいずれか1項に記載のネットワークデバイス。
【請求項２７】
端末デバイスであって、
トランシーバーと、
少なくとも1つのプロセッサと、
前記少なくとも1つのプロセッサに接続され、前記少なくとも1つのプロセッサによる実行のために、プログラミング命令を格納する非一時的な且つコンピュータ読み取り可能な記憶媒体と、を含み、前記プログラミング命令は、前記トランシーバーに、
ネットワークデバイスが送信する第2のビットマップを受信し、前記第2のビットマップは、リソースユニットの中での参照信号の構成要素パターンの周波数領域割り当てを示し、そして、
前記ネットワークデバイスが送信する第3の指示情報を受信する、ように命令し、前記第3の指示情報は、ポート数、ポート密度、又は符号分割多重化(CDM)タイプのうちの少なくとも1つを示す指標を含み、前記指標は、前記参照信号を送信するのに前記ネットワークデバイスによって使用され、
前記プログラミング命令は、さらに、前記少なくとも1つのプロセッサに、
前記第2のビットマップの長さ及び内容と前記第3の指示情報とに基づいて、前記構成要素パターンのタイプ及び数を決定するように命令する、
端末デバイス。
【請求項２８】
前記参照信号は、チャネル状態情報参照信号(CSI-RS)である、請求項27に記載の端末デバイス。
【請求項２９】
リソース指示方法であって、
ネットワークデバイスによって端末デバイスに、第2のビットマップを送信するステップであって、前記第2のビットマップは、リソースユニットの中での参照信号の構成要素パターンの周波数領域割り当てを示す、ステップと、
前記ネットワークデバイスによって前記端末デバイスに、第3の指示情報を送信するステップであって、前記第3の指示情報は、ポート数、ポート密度、又は符号分割多重化(CDM)タイプのうちの少なくとも1つを示す指標を含み、前記指標は、前記参照信号を送信するのに前記ネットワークデバイスによって使用される、ステップと、を含む、
方法。
【請求項３０】
前記参照信号は、チャネル状態情報参照信号(CSI-RS)である、請求項29に記載の方法。
【請求項３１】
ネットワークデバイスであって、
トランシーバーと、
少なくとも1つのプロセッサと、
前記少なくとも1つのプロセッサに接続され、前記少なくとも1つのプロセッサによる実行のために、プログラミング命令を格納する非一時的な且つコンピュータ読み取り可能な記憶媒体と、を含み、前記プログラミング命令は、前記トランシーバーに、
端末デバイスに第2のビットマップを送信し、前記第2のビットマップは、リソースユニットの中での参照信号の構成要素パターンの周波数領域割り当てを示し、そして、
前記端末デバイスに第3の指示情報を送信する、ように命令し、前記第3の指示情報は、ポート数、ポート密度、又は符号分割多重化(CDM)タイプのうちの少なくとも1つを示す指標を含み、前記指標は、前記参照信号を送信するのに当該ネットワークデバイスによって使用される、
ネットワークデバイス。
【請求項３２】
前記参照信号は、チャネル状態情報参照信号(CSI-RS)である、請求項31に記載のネットワークデバイス。
【請求項３３】
コンピュータプログラムを格納するように構成される非一時的なコンピュータ読み取り可能な媒体であって、前記コンピュータプログラムは、請求項1乃至14、29、及び30のうちのいずれか1項に記載の方法を実装するのに使用される命令を含む、非一時的なコンピュータ読み取り可能な媒体。
【請求項３４】
コンピュータプログラムであって、当該コンピュータプログラムは、コンピュータプログラムコードを含み、前記コンピュータプログラムコードがコンピュータによって実行されるときに、前記コンピュータが、請求項1乃至14、29、及び30のうちのいずれか1項に記載の方法を実行することを可能とする、コンピュータプログラム。
【請求項３５】
メモリの中に格納されている命令を読み出すように構成されるプロセッサを含むチップであって、前記プロセッサが前記命令を実行するときに、当該チップが、請求項1乃至14、29、及び30のうちのいずれか1項に記載の方法を実装するための前記命令を実行することを可能とする、チップ。
【請求項３６】
当該チップは、前記メモリをさらに含む、請求項35に記載のチップ。
【手続補正２】
【補正対象書類名】明細書
【補正対象項目名】全文
【補正方法】変更
【補正の内容】
【発明の詳細な説明】
【技術分野】
【０００１】
[関連出願への相互参照]
この出願は、2018年1月12日付で中国国家知的財産権管理局に出願された"リソース指示方法、端末デバイス、及びネットワークデバイス"と題する中国特許出願番号第201810031914.2号に基づく優先権を主張し、その内容は、その全体が参照により本明細書に組み込まれる。
【０００２】
[技術分野]
この出願は、通信分野に関し、特に、通信分野におけるリソース指示方法、端末デバイス、及びネットワークデバイスに関する。
【背景技術】
【０００３】
高次マルチアンテナシステムにおいてチャネル品質測定及びデータ復調を実装するために、例えば、ダウンリンクリンクにおけるセル特有参照信号(cell-specific  reference  signals,  CRS)、復調参照信号(demodulation  reference  signal,  DMRS)、及びチャネル状態情報参照信号(channel  state  information-reference  signal,  CSI-RS)等の複数の参照信号は、既存の通信システムにおいて定義される。DMRSは、物理ダウンリンク共有チャネル(physical  downlink  shared  channel,  PDSCH)の復調を支援するのに使用される。CSI-RSは、チャネル品質インジケータ(channel  quality  indicator,  CQI)、プリコーディングマトリックスインジケータ(precoding  matrix  indicator,  PMI)、及びランクインジケータ(rank  indicator,  RI)等の情報を報告するのに使用されてもよい。
【０００４】
端末デバイスの正しいチャネル推定を実装するために、端末デバイスは、リソースユニットの中の参照信号のマッピングされている位置を知る必要がある。リソースユニットの中の参照信号のマッピングされている位置は、ネットワークデバイスがシグナリングによって端末デバイスのために構成してもよい。端末デバイスは、複数の異なるマッピングモードにおいて複数の異なるマッピング位置を取得してもよい。したがって、参照信号の複数の異なるマッピングモードを示すためのシグナリングの解決方法をどのように設計するかは、解決する必要がある緊急の問題となっている。
【発明の概要】
【０００５】
この出願は、リソース指示方法、端末デバイス、及びネットワークデバイスを提供して、参照信号の複数の異なるマッピングモードの実装を支援する。
【０００６】
第1の態様によれば、リソース指示方法であって、ネットワークデバイスが送信する第1の指示情報を端末デバイスによって受信するステップであって、前記第1の指示情報は、リソースユニットの中で参照信号の構成要素パターンが占有する時間領域位置を示すのに使用される、ステップと、前記端末デバイスによって、前記第1の指示情報に基づいて、前記リソースユニットの中で前記参照信号が占有する前記時間領域位置を決定するステップと、を含む、リソース指示方法が提供される。
【０００７】
端末デバイスは、複数の異なるマッピングモードにおいて複数の異なる時間領域位置を取得することが可能であり、端末デバイスは、リソースユニットの中で参照信号の各々の構成パターンが占有する時間周波数位置を決定して、最終的に、リソースユニットの中で参照信号が占有する時間周波数位置を決定することが可能であるということを理解すべきである。さらに、この出願のこの実施形態においては、参照信号の1つ又は複数の構成要素パターンが存在してもよいということを理解すべきである。このことは、この出願のこの実施形態においては限定されない。
【０００８】
この出願のこの実施形態におけるリソース指示方法において、ネットワークデバイスは、リソースユニットの中で参照信号の構成要素パターンが占有する時間領域位置を示すのに使用される指示情報を端末デバイスに送信し、それによって、その端末デバイスは、その指示情報に基づいて、リソースユニットの中で参照信号が占有する時間領域位置を決定して、参照信号の複数の異なるマッピングモード及び正確なチャネル推定の実装を支援することが可能であるとともに、データ伝送効率を改善することが可能である。
【０００９】
第1の態様に関して、第1の態様の複数の実装のうちのいくつかにおいて、前記第1の指示情報は、前記リソースユニットの中で前記構成要素パターンが占有する開始シンボル位置、参照シンボルに対する前記開始シンボル位置のオフセット、前記リソースユニットの中で前記構成要素パターンが占有するシンボルのインデックス、及び第1のビットマップ、のうちのいずれか1つの情報を含み、前記第1のビットマップは、前記リソースユニットの中での前記構成要素パターンのシンボル占有状態を示すのに使用される。
【００１０】
上記の4つの異なる指示方式は、端末デバイスに、リソースユニットの中で参照信号が占有する時間領域位置を直接的に又は間接的に示すことが可能であるということを理解すべきである。プロトコルによって前もって、ある特定の指示方式について合意していてもよく、又は、ネットワークデバイスによって、シグナリングにより端末デバイスのためにその特定の指示方式を構成してもよい。このことは、この出願のこの実施形態においては限定されない。
【００１１】
この出願のこの実施形態におけるリソース指示方法において、ネットワークデバイスは、端末デバイスに、複数の異なる方式によって、リソースユニットの中で参照信号の構成要素パターンが占有する時間領域位置を示してもよく、それによって、その端末デバイスは、その指示情報に基づいて、複数の異なるマッピングモードを正しく判別することが可能であるとともに、リソースユニットの中で参照信号が占有する時間領域位置を決定することが可能であり、その結果、正確なチャネル推定の実装を支援するとともに、データ伝送効率を改善する。
【００１２】
第1の態様に関して、第1の態様の複数の実装のうちのいくつかにおいて、前記参照信号は、少なくとも2つの構成要素パターンを含み、前記リソースユニットの中で前記少なくとも2つの構成要素パターンが占有するシンボル位置は、非連続的であり、前記第1の指示情報は、前記リソースユニットの中で前記少なくとも2つの構成要素パターンの各々が占有する開始シンボル位置を示すのに使用される。
【００１３】
参照信号が、時間領域において非連続的である2つの構成要素パターンを含むときに、ネットワークデバイスは、端末デバイスに、それらの2つの構成要素パターンの時間領域開始位置を個別に示す必要があり、それによって、その端末デバイスは、時間領域における参照信号の分布状態を決定する。開始シンボル位置は、リソースユニットの中で参照信号が占有する時間領域位置を示すのに使用され、それによって、ネットワークデバイスのシグナリングオーバーヘッドを減少させることが可能であるということを理解すべきである。
【００１４】
第1の態様に関して、第1の態様の複数の実装のうちのいくつかにおいて、前記第1の指示情報は、前記リソースユニットの中で各々の構成要素パターンが占有する前記開始シンボル位置を含むか、又は、前記第1の指示情報は、開始シンボル位置セットを含み、前記開始シンボル位置セットは、前記リソースユニットの中で各々の構成要素パターンが占有する前記開始シンボル位置を含むか、又は、前記第1の指示情報は、前記開始シンボル位置セットのインデックスを含む。
【００１５】
具体的には、第1の指示情報は、そのまま、構成要素パターンの開始シンボルのインデックスであってもよく、或いは、開始シンボル位置セット(又は、アレイ)であってもよく、或いは、開始シンボル位置セットのインデックスであってもよい。このことは、この出願のこの実施形態においては限定されない。構成要素パターンの開始シンボルを示すのに開始シンボル位置セットのインデックスを使用するときに、複数の開始シンボル位置セットを構成し、そして、番号を付して、ネットワークデバイスによる指示を容易にしてもよい。例えば、3つの開始シンボル位置セット{5,8}、{5,9}、及び{5,10}が存在し、それらの開始シンボル位置セットのインデックスは、順次的に、0、1、及び2となる。図5において、第1の指示情報は、そのまま、5及び9の2つの値であってもよく、或いは、第1の指示情報は、2つのシンボル位置5及び9を含むセット又はアレイであってもよく、或いは、第1の指示情報は、セット{5,9}のインデックス1であってもよい。端末デバイスは、インデックス1に基づいて、対応する開始シンボル位置セット{5,9}を決定して、さらに、参照信号が占有する時間領域位置を決定してもよい。
【００１６】
第1の態様に関し、第1の態様の複数の実装のうちのいくつかにおいて、前記端末デバイスによって、前記第1の指示情報に基づいて、前記リソースユニットの中で前記参照信号が占有する前記時間領域位置を決定する前記ステップの前に、当該方法は、前記ネットワークデバイスが送信する第2の指示情報を前記端末デバイスによって受信するステップであって、前記第2の指示情報は、前記ネットワークデバイスが前記参照信号を送信するのに使用するポート数、ポート密度、前記リソースユニットの中で前記構成要素パターンが占有する周波数領域位置、及び符号分割多重化CDMタイプのうちの少なくとも1つの情報を示すのに使用される、ステップと、前記端末デバイスによって、前記第2の指示情報及び第1のマッピング関係に基づいて、構成要素パターンのタイプ及び数を決定するステップであって、前記第1のマッピング関係は、構成要素パターンの前記タイプ及び前記数と前記第2の指示情報との間の対応関係を示すのに使用される、ステップと、をさらに含み、前記端末デバイスによって、前記第1の指示情報に基づいて、前記リソースユニットの中で前記参照信号が占有する前記時間領域位置を決定する前記ステップは、前記端末デバイスによって、構成要素パターンの前記タイプ及び前記数と前記第1の指示情報とに基づいて、前記リソースユニットの中で前記参照信号が占有する前記時間領域位置を決定するステップを含む。
【００１７】
第1の指示情報が、リソースユニットの中で構成要素パターンが占有する開始シンボル位置を示すのに使用される場合に、端末デバイスは、構成要素パターンのタイプ及び数とリソースユニットの中で構成要素パターンが占有する開始シンボル位置とに基づいて、リソースユニットの中で参照信号が占有する時間領域位置を決定してもよく、第1の指示情報が、参照シンボルに対する開始シンボル位置のオフセットを示すのに使用される場合に、端末デバイスは、構成要素パターンのタイプ及び数と参照シンボルに対する開始シンボル位置のオフセットとに基づいて、リソースユニットの中で参照信号が占有する時間領域位置を決定してもよく、第1の指示情報が、リソースユニットの中で構成要素パターンが占有するシンボルのインデックスを示すのに使用される場合に、端末デバイスは、構成要素パターンのタイプ及び数とリソースユニットの中で構成要素パターンが占有するシンボルのインデックスとに基づいて、リソースユニットの中で参照信号が占有する時間領域位置を決定してもよく、第1の指示情報が、第1のビットマップを示すのに使用される場合に、端末デバイスは、構成要素パターンのタイプ及び数と第1のビットマップとに基づいて、リソースユニットの中で参照信号が占有する時間領域位置を決定してもよいということを理解すべきである。
【００１８】
第1の態様に関して、第1の態様の複数の実装のうちのいくつかにおいて、前記参照信号は、チャネル状態情報参照信号CSI-RSである。
【００１９】
第2の態様によれば、他のリソース指示方法であって、ネットワークデバイスによって第1の指示情報を決定するステップであって、前記第1の指示情報は、リソースユニットの中で参照信号の構成要素パターンが占有する時間領域位置を示すのに使用される、ステップと、前記ネットワークデバイスによって端末デバイスに、前記第1の指示情報を送信し、それによって、前記端末デバイスは、前記リソースユニットの中で前記参照信号が占有する前記時間領域位置を決定する、ステップと、を含む、リソース指示方法が提供される。
【００２０】
第2の態様に関して、第2の態様の複数の実装のうちのいくつかにおいて、前記第1の指示情報は、前記リソースユニットの中で前記構成要素パターンが占有する開始シンボル位置、参照シンボルに対する前記開始シンボル位置のオフセット、前記リソースユニットの中で前記構成要素パターンが占有するシンボルのインデックス、及び第1のビットマップ、のうちのいずれか1つの情報を含み、前記第1のビットマップは、前記リソースユニットの中での前記構成要素パターンのシンボル占有状態を示すのに使用される。
【００２１】
第2の態様に関して、第2の態様の複数の実装のうちのいくつかにおいて、前記参照信号は、少なくとも2つの構成要素パターンを含み、前記リソースユニットの中で前記少なくとも2つの構成要素パターンが占有するシンボル位置は、非連続的であり、前記第1の指示情報は、前記リソースユニットの中で前記少なくとも2つの構成要素パターンの各々が占有する開始シンボル位置を示すのに使用される。
【００２２】
第2の態様に関して、第2の態様の複数の実装のうちのいくつかにおいて、前記第1の指示情報は、前記リソースユニットの中で各々の構成要素パターンが占有する前記開始シンボル位置を含むか、又は、前記第1の指示情報は、開始シンボル位置セットを含み、前記開始シンボル位置セットは、前記リソースユニットの中で各々の構成要素パターンが占有する前記開始シンボル位置を含むか、又は、前記第1の指示情報は、前記開始シンボル位置セットのインデックスを含む。
【００２３】
第2の態様に関して、第2の態様の複数の実装のうちのいくつかにおいて、当該方法は、前記ネットワークデバイスによって前記端末デバイスに、第2の指示情報を送信するステップであって、前記第2の指示情報は、前記ネットワークデバイスが前記参照信号を送信するのに使用するポート数、ポート密度、前記リソースユニットの中で前記構成要素パターンが占有する周波数領域位置、及び符号分割多重化CDMタイプのうちの少なくとも1つの情報を示すのに使用される、ステップをさらに含む。
【００２４】
第2の態様に関して、第2の態様の複数の実装のうちのいくつかにおいて、前記参照信号は、チャネル状態情報参照信号CSI-RSである。
【００２５】
第3の態様によれば、他のリソース指示方法であって、ネットワークデバイスが送信する第2のビットマップを端末デバイスによって受信するステップであって、前記第2のビットマップは、リソースユニットの中での参照信号の構成要素パターンの周波数領域占有状態を示すのに使用される、ステップと、前記ネットワークデバイスが送信する第3の指示情報を前記端末デバイスによって受信するステップであって、前記第3の指示情報は、前記ネットワークデバイスが前記参照信号を送信するのに使用するポート数、ポート密度、及び符号分割多重化CDMタイプのうちの少なくとも1つの情報を示すのに使用される、ステップと、前記端末デバイスによって、前記第2のビットマップの長さ及び内容と前記第3の指示情報とに基づいて、構成要素パターンのタイプ及び数を決定するステップと、を含む、リソース指示方法が提供される。
【００２６】
この出願のこの実施形態におけるリソース指示方法においては、端末デバイスは、構成要素パターンの周波数領域占有状態を示すのに使用されるビットマップの内容を参照して、構成要素パターンのタイプ及び数を決定し、したがって、リソースユニットの中で参照信号が占有する時間領域位置及び周波数領域位置を決定して、正確なチャネル推定の実装を支援することが可能であるとともに、データ伝送効率を改善することが可能である。
【００２７】
第3の態様に関し、第3の態様の複数の実装のうちのいくつかにおいて、端末デバイスは、最初に、ポート数、ポート密度、及び符号分割多重化CDMタイプに基づいて、構成要素パターンのタイプ及び数を決定し、構成要素パターンのタイプ及び数を決定することが不可能であるときに、端末デバイスは、さらに、第2のビットマップの中に含まれているビット数を参照して、構成要素パターンのタイプ及び数を決定し、依然として、構成要素パターンのタイプ及び数を決定することが不可能である場合に、端末デバイスは、さらに、第2のビットマップの特定の内容を参照して、構成要素パターンのタイプ及び数を決定する。しかしながら、このことは、この出願のこの実施形態においては限定されない。
【００２８】
第4の態様によれば、端末デバイスが提供される。その端末デバイスは、第1の態様又は第1の態様の複数の可能な実装のうちのいずれか1つにしたがった方法を実行するように構成される。具体的には、装置は、第1の態様又は第1の態様の複数の可能な実装のうちのいずれか1つにしたがった方法を実行するように構成されるユニットを含む。
【００２９】
第5の態様によれば、ネットワークデバイスが提供される。そのネットワークデバイスは、第2の態様又は第2の態様の複数の可能な実装のうちのいずれか1つにしたがった方法を実行するように構成される。具体的には、装置は、第2の態様又は第2の態様の複数の可能な実装のうちのいずれか1つにしたがった方法を実行するように構成されるユニットを含む。
【００３０】
第6の態様によれば、端末デバイスが提供される。その端末デバイスは、第3の態様又は第3の態様の複数の可能な実装のうちのいずれか1つにしたがった方法を実行するように構成される。具体的には、装置は、第3の態様又は第3の態様の複数の可能な実装のうちのいずれか1つにしたがった方法を実行するように構成されるユニットを含む。
【００３１】
第7の態様によれば、他の端末デバイスが提供される。装置は、トランシーバー、メモリ、及びプロセッサを含む。トランシーバー、メモリ、及びプロセッサは、内部接続経路を介して互いに通信する。メモリは、命令を格納するように構成される。プロセッサは、メモリが格納している命令を実行し、信号を受信するように受信機を制御し、そして、信号を送信するように送信機を制御するように構成される。加えて、プロセッサが、メモリが格納している命令を実行するときに、そのプロセッサが、第1の態様又は第1の態様の複数の可能な実装のうちのいずれか1つにしたがった方法を実行することを可能とする。
【００３２】
第8の態様によれば、他のネットワークデバイスが提供される。装置は、トランシーバー、メモリ、及びプロセッサを含む。トランシーバー、メモリ、及びプロセッサは、内部接続経路を介して互いに通信する。メモリは、命令を格納するように構成される。プロセッサは、メモリが格納している命令を実行し、信号を受信するように受信機を制御し、そして、信号を送信するように送信機を制御するように構成される。加えて、プロセッサが、メモリが格納している命令を実行するときに、そのプロセッサが、第2の態様又は第2の態様の複数の可能な実装のうちのいずれか1つにしたがった方法を実行することを可能とする。
【００３３】
第9の態様によれば、他の端末デバイスが提供される。装置は、トランシーバー、メモリ、及びプロセッサを含む。トランシーバー、メモリ、及びプロセッサは、内部接続経路を介して互いに通信する。メモリは、命令を格納するように構成される。プロセッサは、メモリが格納している命令を実行し、信号を受信するように受信機を制御し、そして、信号を送信するように送信機を制御するように構成される。加えて、プロセッサが、メモリが格納している命令を実行するときに、そのプロセッサが、第3の態様又は第3の態様の複数の可能な実装のうちのいずれか1つにしたがった方法を実行することを可能とする。
【００３４】
第10の態様によれば、コンピュータプログラム製品が提供される。そのコンピュータプログラム製品は、コンピュータプログラムコードを含み、そのコンピュータプログラムコードがコンピュータによって実行されるときに、そのコンピュータが、上記の複数の態様にしたがった方法を実行することを可能とする。
【００３５】
第11の態様によれば、コンピュータ読み取り可能な媒体が提供され、そのコンピュータ読み取り可能な媒体は、コンピュータプログラムを格納するように構成される。そのコンピュータプログラムは、命令を含み、その命令は、上記の複数の態様にしたがった方法を実行するのに使用される。
【００３６】
第12の態様によれば、チップシステムが提供され、そのチップシステムは、プロセッサを含む。プロセッサは、メモリからコンピュータプログラムを呼び出し、そして、そのコンピュータプログラムを実行するように構成され、コンピュータプログラムは、上記の複数の態様にしたがった方法を実行するように構成される。
【図面の簡単な説明】
【００３７】
【図１】この出願のある1つの実施形態にしたがった通信システムの概略的な図である。
【図２】この出願のある1つの実施形態にしたがったリソースユニットの概略的な図である。
【図３】この出願のある1つの実施形態にしたがったリソース指示方法の概略的なフローチャートである。
【図４】この出願のある1つの実施形態にしたがった他のリソース指示方法の概略的なフローチャートである。
【図５】この出願のある1つの実施形態にしたがったCSI-RSパターンの概略的な図である。
【図６】この出願のある1つの実施形態にしたがった他のCSI-RSパターンの概略的な図である。
【図７】この出願のある1つの実施形態にしたがった他のCSI-RSパターンの概略的な図である。
【図８】この出願のある1つの実施形態にしたがった他のCSI-RSパターンの概略的な図である。
【図９】この出願のある1つの実施形態にしたがった端末デバイスの概略的なブロック図である。
【図１０】この出願のある1つの実施形態にしたがったネットワークデバイスの概略的なブロック図である。
【図１１】この出願のある1つの実施形態にしたがった他の端末デバイスの概略的なブロック図である。
【図１２】この出願のある1つの実施形態にしたがった他の端末デバイスの概略的なブロック図である。
【図１３】この出願のある1つの実施形態にしたがった他のネットワークデバイスの概略的なブロック図である。
【図１４】この出願のある1つの実施形態にしたがった他の端末デバイスの概略的なブロック図である。
【発明を実施するための形態】
【００３８】
以下の記載は、複数の添付の図面を参照して、この出願の複数の技術的解決方法を説明する。
【００３９】
汎欧州ディジタル移動体通信システム(global  system  for  mobile  communications,  GSM)、符号分割多元接続(code  division  multiple  access,  CDMA)システム、広帯域符号分割多元接続(wideband  code  division  multiple  access,  WCDMA)システム、汎用パケット無線サービス(general  packet  radio  service,  GPRS)システム、ロングタームエボリューション(long  term  evolution,  LTE)システム、LTE周波数分割複信(frequency  division  duplex,  FDD)システム、LTE時分割複信(time  division  duplex,  TDD)システム、ユニバーサル移動体通信システム(universal  mobile  telecommunication  system,  UMTS)、マイクロ波アクセスのための世界的相互運用性(worldwide  interoperability  for  microwave  access,  WiMAX)通信システム、将来的な第5世代(5th  generation,  5G)システム、又は新たな無線(new  radio,  NR)システム等のさまざまな通信システムに、この出願の複数の実施形態の複数の技術的解決方法を適用してもよいということを理解すべきである。
【００４０】
さらに、例えば、非直交多元接続技術に基づくスパース符号多元接続(sparse  code  multiple  access,  SCMA)システム等のさまざまな通信システムに、この出願の複数の実施形態における複数の技術的解決方法を適用してもよいということを理解すべきである。もちろん、SCMAは、また、通信分野における他の名称によって示されてもよい。さらに、例えば、非直交多元接続技術を使用する直交周波数分割多重化(orthogonal  frequency  division  multiplexing,  OFDM)システム、フィルタバンクマルチキャリア(filter  bank  multi-carrier,  FBMC)システム、汎用周波数分割多重化(generalized  frequency  division  multiplexing,  GFDM)システム、非直交多元接続技術を使用するフィルタリング直交周波数分割多重化(filtered-OFDM,  F-OFDM)システム等のマルチキャリア伝送システムに、この出願のそれらの複数の実施形態における複数の技術的解決方法を適用してもよい。
【００４１】
また、この出願の複数の実施形態における端末デバイスは、無線アクセスネットワーク(radio  access  network,  RAN)を介して1つ又は複数のコアネットワークと通信してもよいということを理解すべきである。端末デバイスは、アクセス端末、ユーザ機器(user  equipment,  UE)、加入者ユニット、加入者局、移動局、移動コンソール、リモート局、リモート端末、モバイルデバイス、ユーザ端末、端末、無線通信デバイス、ユーザエージェント、又はユーザ装置と称されてもよい。アクセス端末は、セルラ電話、コードレス電話、セッション開始プロトコル(Session  Initiation  Protocol,  SIP)電話、無線ローカルループ(Wireless  Local  Loop,  WLL)局、パーソナルディジタルアシスタント(Personal  Digital  Assistant,  PDA)、無線通信機能を有するハンドヘルドデバイス、コンピューティングデバイス、無線モデムに接続されている他の処理デバイス、車載型デバイス、ウェアラブルデバイス、将来的な5Gネットワークの中の端末デバイス、又は将来的な進化型の公衆陸上モバイルネットワーク(Public  Land  Mobile  Network,  PLMN)の中の端末デバイスであってもよい。
【００４２】
さらに、この出願の複数の実施形態において、ネットワークデバイスは、端末デバイスと通信するように構成されてもよいということを理解すべきである。ネットワークデバイスは、GSMシステム又はCDMAシステムの中の基地局装置(base  transceiver  station,  BTS)であってもよく、或いは、WCDMAシステムの中のノードB(node  B,  NB)であってもよく、LTEシステムの中の進化型ノードB(evolved  node  B、eNB、又は、eNodeB)であってもよく、或いは、ネットワークデバイスは、中継局、アクセスポイント、車載型デバイス、ウェアラブルデバイス、将来的な5Gネットワークの中のネットワーク側デバイス、又は、将来的な進化型PLMNネットワークの中のネットワークデバイス等であってもよい。
【００４３】
この出願のそれらの複数の実施形態は、LTEシステム及び5G等の以降の進化型システム、或いは、例えば、符号分割多元接続、周波数分割多元接続、時分割多元接続、直交周波数分割多元接続、及び単一キャリア周波数分割多元接続等のアクセス技術を使用するシステム等のさまざまな無線アクセス技術を使用する他の無線通信システムに適用されてもよく、特に、チャネル情報フィードバックが必要とされ及び/又は二次プリコーディング技術が適用されるシナリオ、例えば、大規模MIMO技術を適用する無線ネットワーク及び分散アンテナ技術を適用する無線ネットワークに適用可能である。
【００４４】
多入力多出力(multiple-input  multiple-output,  MIMO)技術は、送信端末デバイス及び受信端末デバイスのためにそれぞれ複数の送信アンテナ及び複数の受信アンテナを使用し、それによって、送信端末デバイス及び受信端末デバイスのそれらの複数のアンテナによって信号を送信し及び受信し、それにより、通信品質を改善するということを意味する。多入力多出力技術によれば、複数のアンテナを使用することによって、空間的なリソースを完全に使用することを可能とし、そして、多入力多出力を実装し、それによって、スペクトラムリソース及びアンテナ送信電力を増加させることなく、システムチャネル容量を増大させる。
【００４５】
MIMOは、シングルユーザ多入力多出力(single-user  MIMO,  SU-MIMO)及びマルチユーザ多入力多出力(multi-user  MIMO,  MU-MIMO)に分けることが可能である。大規模MIMOにおいては、何百ものアンテナは、マルチユーザビームフォーミングの原理にしたがって、送信端末デバイスに配置されて、何十ものターゲット受信機のビームを変調し、そして、空間的な信号分離によって同じ周波数リソースにおいて何十もの信号を同時に送信する。したがって、大規模なMIMO技術にしたがって、大規模なアンテナ構成が生成する空間的な自由度を完全に使用することを可能とし、それにより、スペクトル効率を改善する。
【００４６】
図1は、この出願のある1つの実施形態にしたがった通信システムの概略的な図である。図1に示されているように、通信システム100は、ネットワークデバイス102を含み、ネットワークデバイス102は、複数のアンテナグループを含んでもよい。各々のアンテナグループは、1つ又は複数のアンテナを含んでもよい。例えば、ある1つのアンテナグループは、アンテナ104及び106を含んでもよく、他のアンテナグループは、アンテナ108及び110を含んでもよく、追加的なグループは、アンテナ112及び114を含んでもよい。各々のアンテナグループについて、2つのアンテナが図1に示されている。しかしながら、各々のグループについて、より多くのアンテナ又はより少ないアンテナを使用してもよい。ネットワークデバイス102は、追加的に、送信機チェーン及び受信機チェーンを含んでもよい。当業者は、送信機チェーン及び受信機チェーンが、双方、例えば、プロセッサ、変調器、マルチプレクサ、復調器、デマルチプレクサ、又はアンテナ等の信号の送信及び受信に関連する複数の構成要素を含んでもよいということを理解することが可能である。
【００４７】
ネットワークデバイス102は、複数の端末デバイスと通信してもよい。例えば、ネットワークデバイス102は、端末デバイス116及び端末デバイス122と通信してもよい。一方で、ネットワークデバイス102は、端末デバイス116又は122と同様に、いずれかの数の端末デバイスと通信してもよいということを理解することが可能である。端末デバイス116及び122は、例えば、セルラ電話、スマートフォン、携帯用コンピュータ、ハンドヘルド通信デバイス、ハンドヘルドコンピューティングデバイス、衛星無線装置、全地球的測位システム、PDA、及び/又は無線通信システム100の中で通信のために使用されるいずれかの他の適切なデバイスであってもよい。
【００４８】
図1に示されているように、端末デバイス116は、アンテナ112及び114と通信する。アンテナ112及び114は、順方向リンク118を介して端末デバイス116に情報を送信し、逆方向リンク120を介して端末デバイス116から情報を受信する。加えて、端末デバイス122は、アンテナ104及び106と通信する。アンテナ104及び106は、順方向リンク124を介して端末デバイス122に情報を送信し、逆方向リンク126を介して端末デバイス122から情報を受信する。
【００４９】
例えば、周波数分割複信FDDシステムにおいて、順方向リンク118は、逆方向リンク120が使用する周波数帯とは異なる周波数帯を使用してもよく、順方向リンク124は、逆方向リンク126が使用する周波数帯とは異なる周波数帯を使用してもよい。
【００５０】
他の例では、時分割複信TDDシステム及び全二重(full  duplex)システムにおいて、順方向リンク118及び逆方向リンク120は、共通の周波数帯域を使用してもよく、順方向リンク124及び逆方向リンク126は、共通の周波数帯域を使用してもよい。
【００５１】
アンテナの各々のグループ及び/又は通信のために設計されるエリアは、ネットワークデバイス102のセクタと称される。例えば、アンテナグループは、ネットワークデバイス102のカバレッジの範囲内のセクタの中の端末デバイスと通信するように設計されてもよい。ネットワークデバイス102がそれぞれ順方向リンク118及び124を使用することによって端末デバイス116及び122と通信するプロセスにおいて、ネットワークデバイス102の送信アンテナは、ビームフォーミングによって順方向リンク118及び124の信号対雑音比を改善してもよい。加えて、ネットワークデバイスが、単一のアンテナを使用することによって、ネットワークデバイスがサービスを提供する端末デバイスのすべてに信号を送信する方式と比較して、ネットワークデバイス102が、関連するカバレッジの中でランダムに分布している端末デバイス116及び122にビームフォーミングによって信号を送信するときに、隣接するセルの中のモバイルデバイスに対して引き起こす干渉がより少なくなる。
【００５２】
ある与えられた時間において、ネットワークデバイス102及び端末デバイス116又は端末デバイス122は、無線通信のための送信装置であってもよく及び/又は無線通信のための受信装置であってもよい。データを送信するときに、無線通信のための送信装置は、送信のためにデータを符号化してもよい。具体的には、無線通信送信装置は、チャネルを使用することによって、無線通信受信装置に送信されるある特定の数のデータビットを取得してもよい。例えば、無線通信送信装置は、チャネルを使用することによって無線通信受信装置に送信されるその特定の数のデータビットを、生成し、他の通信装置から受信し、又は、メモリの中に格納してもよい。そのようなデータビットは、データのある1つのトランスポートブロック又は複数のトランスポートブロックの中に含まれてもよく、そのトランスポートブロックは、複数の符号ブロックを生成するようにセグメント化されてもよい。
【００５３】
加えて、通信システム100は、公衆陸上モバイルネットワークPLMN、デバイストゥデバイス(device  to  device,  D2D)ネットワーク、マシントゥマシン(machine  to  machine,  M2M)ネットワーク、又は他のネットワークであってもよい。図1は、理解を容易にするためのある1つの例の簡素化されている概略的な図である。ネットワークは、図1には示されていない他のネットワークデバイスをさらに含んでもよい。
【００５４】
理解を容易にするために、以下の記載は、最初に、本明細書における関連する用語を簡単に説明する。
【００５５】
リソースユニット(resource  unit):  LTE規格におけるRB及びRB対(RB  pair)と同様に、リソースユニットは、スケジューリングされている端末にリソースを割り当てるのに使用される基本単位として使用されてもよく、又は、複数の参照信号の配信方式を記述するのに使用されてもよい。
【００５６】
リソースユニットは、周波数領域において複数の連続的なサブキャリアを含んでもよく、時間領域においてある時間間隔(time  interval,  TI)を含んでもよい。複数の異なるスケジューリングプロセスにおいて、リソースユニットは、同じサイズ又は異なるサイズを有してもよい。本明細書におけるTIは、LTEシステムにおける送信時間間隔(transmission  time  interval,  TTI)であってもよく、或いは、短いシンボルレベルのTTI又は高周波数システムにおける大きなサブキャリア間隔の短いTTIであってもよく、或いは、5Gシステムにおけるスロット又はミニスロット(mini-slot)等であってもよい。このことは、この出願においては限定されない。
【００５７】
選択的に、リソースユニットは、1つ又は複数のRB、1つ又は複数のRB対(RB  pair)等を含んでもよく、或いは、RBの半分であってもよい。加えて、リソースユニットは、さらに、他の時間周波数リソースであってもよい。このことは、この出願においては限定されない。ある1つのRB対は、周波数領域において12個の連続的なサブキャリアを含むとともに時間領域において1つのサブフレームを含む。周波数領域においてサブキャリアを含むとともに時間領域においてシンボルを含む時間周波数リソースは、図2に示されているリソースエレメント(resource  element,  RE)である。図2のRB対は、周波数領域において(0乃至11の番号を付されている)12個の連続的なサブキャリアを含むとともに、時間領域において(0乃至13個の番号を付されている)14個のシンボルを含む。図2において、水平座標は、時間領域を示し、垂直座標は、周波数領域を示す。この出願において、時間領域リソースを示す添付の図面は、ある1つの例として図2に示されているRB対を使用することによって説明されるということに留意すべきである。当業者は、ある特定の実装が上記のことに限定されるものではないということを理解することが可能である。
【００５８】
この出願における"シンボル"は、これらには限定されないが、直交周波数分割多重化(orthogonal  frequency  division  multiplexing,  OFDM)シンボル、ユニバーサルフィルタリングマルチキャリア(universal  filtered  multi-carrier,  UFMC)シンボル、フィルタバンドマルチキャリア(filter-band  multi-carrier,  FBMC)シンボル、及び汎用周波数分割多重化(generalized  frequency-division  multiplexing,  GFDM)シンボル等のうちのいずれか1つを含んでもよいということを理解すべきである。
【００５９】
さらに、説明を容易にするために、時間領域においてリソースユニットに含まれるシンボルは、連続的に0から番号を付され、周波数領域に含まれるサブキャリアは、連続的に0から番号が付されているということを理解すべきである。例えば、リソースユニットは、RB対であり、そのRB対は、時間領域においてシンボル0乃至13を含んでもよく、周波数領域においてサブキャリア0乃至11を含んでもよい。もちろん、ある特定の実装は、これらには限定されず、例えば、時間領域におけるリソースユニットは、シンボル1乃至14を含んでもよく、周波数領域においてサブキャリア1乃至12を含んでもよい。上記の説明は、この出願の範囲を限定するのではなく、この出願の複数の実施形態によって提供される複数の技術的解決方法の説明を容易にするために提供されるということに留意すべきである。
【００６０】
構成要素パターン:  構成要素パターンは、連続的な複数のサブキャリア及び連続的な複数のシンボルを含む時間周波数ユニットであり、参照信号リソースを形成するのに使用されるパターンである。あるリソースユニットにおいて、参照信号のパターンは、1つの構成要素パターンを含んでもよく、又は、複数の構成要素パターンを含んでもよい。端末デバイスは、参照信号に対応する構成要素パターン及び少なくとも1つの構成要素パターンが占有する時間周波数リソースに基づいて、その参照信号が物理層送信ユニットの中で占有している時間周波数リソースを決定してもよい。参照信号リソースは、複数の構成要素パターンの組み合わせに基づいて柔軟に構成されてもよい。
【００６１】
ある1つの可能な実装において、構成要素パターンは、また、"構成要素パターン"又は"構成要素"と称され、構成要素(X,Y)によって示される。X及びYの双方は、1以上の整数であり、Xは、リソースユニットの中で構成要素パターンが占有する連続的なサブキャリアの数を示すのに使用され、Yは、そのリソースユニットの中でその構成要素パターンが占有する連続的なシンボルの数を示すのに使用される。選択的に、構成要素(X,Y)は、(2,1)、(4,1)、又は(2,2)であってもよく、このことは、ネットワークデバイスの構成に依存する。このことは、この出願の実施形態においては限定されない。
【００６２】
図3は、この出願のある1つの実施形態にしたがったリソース指示方法300の概略的なフローチャートである。その方法300は、図1に示されている通信システム100に適用されてもよいが、この出願のこの実施形態は、これらには限定されない。
【００６３】
S310:  ネットワークデバイスは、第1の指示情報を決定し、その第1の指示情報は、リソースユニットの中で参照信号の構成要素パターンが占有する時間領域位置を示すのに使用される。
【００６４】
S320:  ネットワークデバイスは、端末デバイスにその第1の指示情報を送信し、それに対応して、端末デバイスは、ネットワークデバイスが送信するその第1の指示情報を受信する。
【００６５】
S330:  端末デバイスは、その第1の指示情報に基づいて、リソースユニットの中で参照信号が占有する時間領域位置を決定する。
【００６６】
具体的には、ネットワークデバイスは、リソースユニットの中で参照信号の構成要素パターン(すなわち、component  pattern)が占有する時間領域位置を示すのに使用される第1の指示情報を決定し、そして、端末デバイスにその第1の指示情報を送信してもよい。端末デバイスは、第1の指示情報を受信し、その第1の指示情報に基づいて、リソースユニットの中で参照信号が占有する時間領域位置を決定する。選択的に、第1の指示情報は、無線リソース制御(Radio  Resource  Control,  RRC)シグナリングによって搬送されてもよい。
【００６７】
さらに、端末デバイスは、さらに、リソースユニットの中で参照信号が占有する周波数領域位置を決定してもよい。リソースユニットの中で参照信号が占有する時間領域位置及び周波数領域位置を決定した後に、端末デバイスは、ネットワークデバイスに参照信号を送信するか、又は、ネットワークデバイスが送信する参照信号を受信してもよい。参照信号の時間領域位置及び周波数領域位置は、ネットワークデバイスによって端末デバイスのために構成されるので、その端末デバイスは、正しい位置で参照信号を受信し及び処理し、そして、チャネル推定を完了することが可能である。
【００６８】
端末デバイスは、複数の異なるマッピングモードにおいて複数の異なる時間領域位置を取得してもよく、端末デバイスは、リソースユニットの中で参照信号の各々の構成要素パターンが占有する時間周波数位置を決定して、リソースユニットの中で参照信号が占有する時間周波数位置を最終的に決定してもよいということを理解すべきである。さらに、この出願のこの実施形態において、参照信号の1つ又は複数の構成要素パターンが存在してもよいということを理解すべきである。このことは、この出願のこの実施形態においては限定されない。
【００６９】
この出願のこの実施形態におけるリソース指示方法において、ネットワークデバイスは、リソースユニットの中で参照信号の構成要素パターンが占有する時間領域位置を示すのに使用される指示情報を端末デバイスに送信し、それによって、その端末デバイスは、その指示情報に基づいて、リソースユニットの中で参照信号が占有する時間領域位置を決定して、参照信号の複数の異なるマッピングモード及び正確なチャネル推定の実装を支援することが可能であるとともに、データ伝送効率を改善することが可能である。
【００７０】
ある1つの選択的な実施形態において、第1の指示情報は、
リソースユニットの中で構成要素パターンが占有する開始シンボル位置、参照シンボルに対する開始シンボル位置のオフセット、リソースユニットの中で構成要素パターンが占有するシンボルのインデックス、及び第1のビットマップ、のうちのいずれか1つの情報を含み、第1のビットマップは、リソースユニットの中での構成要素パターンのシンボル占有状態を示すのに使用される。
【００７１】
具体的には、第1の指示情報は、リソースユニットの中で構成要素パターンが占有する時間領域位置を示すのに使用され、具体的には、以下の情報のうちのいずれか1つの情報であってもよい。
【００７２】
(1)  リソースユニットの中で構成要素パターンが占有する開始シンボル位置
【００７３】
開始シンボル位置は、具体的には、リソースユニットの中で構成要素パターンが占有する開始シンボルのインデックスであってもよい。選択的に、参照信号の構成要素パターンは、少なくとも2つの構成要素パターンを含み、リソースユニットの中で少なくとも2つの構成要素パターンが占有するシンボル位置は、非連続的である。第1の指示情報は、リソースユニットの中で少なくとも2つの構成要素パターンの各々が占有する開始シンボル位置を含む。
【００７４】
具体的には、参照信号のパターンが、リソースユニットの中の非連続的なシンボル位置を占有する少なくとも2つの構成要素パターンを含むときに、第1の指示情報は、それらの少なくとも2つの構成要素パターンの各々の開始シンボル位置を示す必要がある。例えば、図5において、参照信号は、6つの構成要素(2,2)を含む。合計で2つの列が存在し、各々の列は、3つの構成要素を含む。最初の列の3つの構成要素(2,2)及び他の列の1つの構成要素(2,2)は、時間領域において非連続的である、すなわち、2つの個別の時間領域開始位置が存在する。この場合には、第1の指示情報は、2つの時間領域開始位置を個別に示す5及び9であってもよく、それによって、端末デバイスは、各々の構成要素パターンの時間領域位置を決定する。他の例では、図6において、参照信号は、6つの構成要素(2,2)を含む。合計で2つの列が存在し、各々の列は、3つの構成要素を含む。最初の列の3つの構成要素(2,2)及び他の列の1つの構成要素(2,2)は、時間領域において連続的である。この場合には、第1の指示情報は、1つの時間領域開始位置のみを示す5であってもよく、それによって、端末デバイスは、その時間領域開始位置に基づいて、各々の構成要素パターンの時間領域位置を決定することが可能である。
【００７５】
端末デバイスは、他の方式によって、リソースユニットの中で搬送される構成要素パターンのタイプ及び数を決定し、そして、各々の列の中の構成要素パターンの数を決定してもよいということを理解すべきである。このようにして、時間領域における参照信号のある特定の分布状態は、ネットワークデバイスが端末デバイスに示す構成要素パターンの時間領域開始位置を参照して決定されてもよい。しかしながら、このことは、この出願のこの実施形態においては限定されない。
【００７６】
ある1つの選択的な実施形態において、第1の指示情報は、リソースユニットの中で各々の構成要素パターンが占有する開始シンボル位置を含むか、又は、
第1の指示情報は、開始シンボル位置セットを含み、開始シンボル位置セットは、リソースユニットの中で各々の構成要素パターンが占有する開始シンボル位置を含むか、又は、
第1の指示情報は、開始シンボル位置セットのインデックスを含む。
【００７７】
具体的には、第1の指示情報は、そのまま、構成要素パターンの開始シンボルのインデックスであってもよく、或いは、開始シンボル位置セット(又は、アレイ)であってもよく、或いは、開始シンボル位置セットのインデックスであってもよい。このことは、この出願のこの実施形態においては限定されない。構成要素パターンの開始シンボルを示すのに開始シンボル位置セットのインデックスを使用するときに、複数の開始シンボル位置セットを構成し及び番号を付して、ネットワークデバイスによる指示を容易にしてもよい。例えば、3つの開始シンボル位置セット{5,8}、{5,9}、及び{5,10}が存在し、それらの開始シンボル位置セットのインデックスは、順番に、0、1、及び2である。図5において、第1の指示情報は、そのまま、5及び9の2つの値であってもよく、或いは、第1の指示情報は、2つのシンボル位置5及び9を含むセット又はアレイであってもよく、或いは、第1の指示情報は、セット{5,9}のインデックス1であってもよい。端末デバイスは、インデックス1に基づいて、対応する開始シンボル位置セット{5,9}を決定して、さらに、参照信号が占有する時間領域位置を決定してもよい。
【００７８】
ある1つの可能な実装において、第1の指示情報は、1つ又は2つの整数を含む以下のフィールドを含む。firstOFDMSymbolInTimeDomain-1は、時間領域開始位置を示すのに使用され、firstOFDMSymbolInTimeDomain-2は、(選択的な)他の時間領域開始位置を示すのに使用される。
【数１】
2021510276.tif 000031
【００７９】
(2)  参照シンボルに対する開始シンボル位置のオフセット
【００８０】
具体的にいうと、構成要素パターンの時間領域位置は、時間領域における複数のシンボルの間の相対的な距離又は複数の構成要素パターンの間の相対的な距離を使用することによって示される。
【００８１】
参照シンボルは、リソースユニットの中のいずれかのシンボルであってもよく、或いは、いずれかの参照信号の構成要素パターンの最初のシンボル又は最後のシンボル等であってもよいということを理解すべきである。1つ又は複数の参照記号を提供することが可能である。このことは、この出願のこの実施形態においては限定されない。加えて、参照シンボルは、プロトコルによって前もって合意されていてもよく、又は、シグナリングによってネットワークデバイスが端末デバイスのために構成してもよい。このことは、この出願のこの実施形態においては限定されない。
【００８２】
参照信号のパターンが、時間領域において連続的な構成要素パターンのみを含むときに、第1の指示情報は、連続的な構成要素パターンの時間領域開始位置と参照シンボルとの間のオフセットのみを示してもよい。例えば、図6において、参照シンボルが中央のシンボル7であると仮定すると、第1の指示情報は、シンボル7に対する構成要素パターンの時間領域開始位置の間のオフセットを搬送してもよい、すなわち、7に対する5のオフセットは、−2である。参照シンボルが5であると仮定すると、第1の指示情報は、5に対する5のオフセット0を搬送してもよい。このことは、この出願のこの実施形態においては限定されない。
【００８３】
参照信号のパターンが、時間領域において少なくとも2つの非連続的な構成要素パターンを含むときに、第1の指示情報は、非連続的な構成要素パターンの時間領域位置を個別に示す必要がある。ある1つの可能な実装において、参照信号のパターンは、第1の構成要素パターン及び第2の構成要素パターンを含み、第1の構成要素パターン及び第2の構成要素パターンは、時間領域において非連続的である。ネットワークデバイス及び端末デバイスは、参照シンボルとして、第1のシンボル及び第1の構成要素パターンの最後のシンボルを使用してもよい。第1の指示情報は、その第1のシンボルに対する第1の構成要素パターンの最初のシンボルのオフセット及び第1の構成要素パターンの最後のシンボルに対する第2の構成要素パターンの開始シンボル位置のオフセットを搬送する。このことは、この出願のこの実施形態においては限定されない。例えば、図5において、シンボル0及びシンボル6は、参照シンボルとして使用され、0は、第1のシンボルであり、6は、第1の構成要素パターンの最後のシンボルである。第1の指示情報は、オフセット5及びオフセット3を含む。端末デバイスは、最初に、第1の構成要素パターンの時間領域位置が5及び6であるということを決定し、そして、その次に、第2の構成要素パターンの時間領域位置が9及び10であるということを決定してもよい。
【００８４】
ある1つの可能な実装において、第1の指示情報は、以下のフィールドを含む。OFDMSymbolInTimeDomain-set1は、個別にDelta1及びDelta2となるオフセットを示すのに使用される2つの整数を含む。
【数２】
2021510276.tif 000032
【００８５】
(3)  リソースユニットの中で構成要素パターンが占有するシンボルのインデックス
【００８６】
すなわち、リソースユニットにおける構成要素パターンの時間領域位置は、ある特定のシンボルインデックスを使用することによって直接的に示される。例えば、図5において、第1の指示情報は、4つのシンボル5、6、9、及び10を含んでもよく、図6において、第1の指示情報は、4つのシンボル5、6、7、及び8を含んでもよい。
【００８７】
ある1つの可能な実装において、第1の指示情報は、以下のフィールドを含む。OFDMSymbolInTimeDomain-set1は、4つの整数を含む。Symbol-1、Symbol-2、Symbol-3、及びSymbol-4は、4つのシンボルのシンボルインデックスを示すのに個別に使用される。
【数３】
2021510276.tif 000033
【００８８】
(4)  第1のビットマップ
【００８９】
第1のビットマップは、リソースユニットの中での参照信号の時間領域占有状態を示すのに使用され、又は、"時間領域ビットマップ"と称されてもよく、具体的には、14つのビットを含んでもよい。各々のビットは、時間領域におけるシンボルに1対1で対応する。1は、シンボルが占有されているということを示し、0は、シンボルが占有されていないということを示し、又は、0は、シンボルが占有されているということを示し、1は、シンボルが占有されていないということを示す。このことは、この出願のこの実施形態においては限定されない。例えば、1は、シンボルが占有されているということを示し、0は、シンボルが占有されていないということを示すと仮定すると、図5において、第1の指示情報は、00000110011000であってもよく、図6において、第1の指示情報は、00000111100000であってもよい。
【００９０】
ある1つの可能な実装において、第1の指示情報は、以下のフィールドを含む。TimeDomainAllocationは、14つのビットを含み、各々のビットは、時間領域におけるシンボルに1対1で対応する。
【数４】
2021510276.tif 000034
【００９１】
上記の4つの異なる指示方式は、端末デバイスに、リソースユニットの中で参照信号が占有する時間領域位置を直接的に又は非直接的に示すことが可能であるということを理解すべきである。ある特定の指示方式は、プロトコルにによって前もって合意されていてもよく、又は、シグナリングによってネットワークデバイスが端末デバイスのために構成してもよい。このことは、この出願のこの実施形態においては限定されない。
【００９２】
この出願のこの実施形態におけるリソース指示方法において、ネットワークデバイスは、複数の異なる方式によって、端末デバイスに、リソースユニットの中で参照信号の構成要素パターンが占有する時間領域位置を示すことが可能であり、それによって、その端末デバイスは、その指示情報に基づいて、複数の異なるマッピングモードを正しく判別し、そして、リソースユニットの中で参照信号が占有する時間領域位置を決定することが可能であり、それにより、正確なチャネル推定の実装を支援することが可能であるとともに、データ伝送効率を改善することが可能である。
【００９３】
ある1つの可能な実装において、端末デバイスは、第1の指示情報を使用することによって、参照信号が占有する時間領域位置を決定し、そして、第2のビットマップを使用することによって、参照信号の周波数領域位置を決定してもよい。第1の指示情報は、2つの整数を含んでもよく、又は、14つのビットを含んでもよい。第2のビットマップは、また、"周波数領域ビットマップ"と称されてもよく、12/Xのビット数を含み、Xは、構成要素(X,Y)の中の連続的なサブキャリアの数である。これは、構成要素パターンが、周波数領域においては固定マッピングモードのみを使用可能であるということによる、すなわち、参照信号の周波数領域位置は、Xの倍数にしかならないということによる。例えば、構成要素(2,2)の場合に、個々に0、2、4、6、8、及び10である6つの可能な周波数領域位置のみが存在する。したがって、6ビットのビットマップを使用することが可能である。構成要素(4,1)の場合には、個々に0、 4、及び8である3つの可能な周波数領域位置のみが存在する。したがって、3ビットのビットマップを使用することが可能である。
【００９４】
ある1つの選択的な実施形態において、端末デバイスによって、第1の指示情報に基づいて、リソースユニットの中で参照信号が占有する時間領域位置を決定するステップの前に、当該方法は、
ネットワークデバイスが送信する第2の指示情報を端末デバイスによって受信するステップであって、第2の指示情報は、ネットワークデバイスが参照信号を送信するのに使用するポート数、ポート密度、リソースユニットの中で構成要素パターンが占有する周波数領域位置、及び符号分割多重化CDMタイプのうちの少なくとも1つの情報を示すのに使用される、ステップと、
端末デバイスによって、第2の指示情報及び第1のマッピング関係に基づいて、構成要素パターンのタイプ及び数を決定するステップであって、第1のマッピング関係は、構成要素パターンのタイプ及び数と第2の指示情報との間の対応関係を示すのに使用される、ステップと、をさらに含み、
端末デバイスによって、第1の指示情報に基づいて、リソースユニットの中で参照信号が占有する時間領域位置を決定するステップは、
端末デバイスによって、構成要素パターンのタイプ及び数と第1の指示情報とに基づいて、リソースユニットの中で参照信号が占有する時間領域位置を決定するステップを含む。
【００９５】
具体的には、端末デバイスは、ネットワークデバイスが送信する第2の指示情報を受信し、そして、その第2の指示情報に基づいて、ポート数、ポート密度、リソースユニットの中で構成要素パターンが占有する周波数領域位置、及びネットワークデバイスが参照信号を送信するのに使用するCDMタイプのうちのうちの少なくとも1つを決定することが可能である。端末デバイスは、ポート数、ポート密度、構成要素パターンの周波数領域位置、ネットワークデバイスが参照信号を送信するのに使用するCDMタイプ、及び第1のマッピング関係のうちの少なくとも1つに基づいて、構成要素パターンのタイプ及び数を決定することが可能である。端末デバイスは、その次に、第1の指示情報を参照して、リソースユニットの中で参照信号が占有する時間領域位置を決定する。選択的に、第2の指示情報は、無線リソース制御(Radio  Resource  Control,  RRC)シグナリングによって搬送されてもよい。
【００９６】
第1の指示情報が、リソースユニットの中で構成要素パターンが占有する開始シンボル位置を示すのに使用される場合に、端末デバイスは、構成要素パターンのタイプ及び数とリソースユニットの中で構成要素パターンが占有する開始シンボル位置とに基づいて、リソースユニットの中で参照信号が占有する時間領域位置を決定してもよく、第1の指示情報が、参照シンボルに対する開始シンボル位置のオフセットを示すのに使用される場合に、端末デバイスは、構成要素パターンのタイプ及び数と参照シンボルに対する開始シンボル位置のオフセットとに基づいて、リソースユニットの中で参照信号が占有する時間領域位置を決定してもよく、第1の指示情報が、リソースユニットの中で構成要素パターンが占有するシンボルのインデックスを示すのに使用される場合に、端末デバイスは、構成要素パターンのタイプ及び数とリソースユニットの中で構成要素パターンが占有するシンボルのインデックスとに基づいて、リソースユニットの中で参照信号が占有する時間領域位置を決定してもよく、第1の指示情報が、第1のビットマップを示すのに使用される場合に、端末デバイスは、構成要素パターンのタイプ及び数と第1のビットマップとに基づいて、リソースユニットの中で参照信号が占有する時間領域位置を決定してもよいということを理解すべきである。
【００９７】
ある1つの選択的な実施形態において、参照信号は、チャネル状態情報参照信号CSI-RSである。
【００９８】
図4は、この出願のある1つの実施形態にしたがった他のリソース指示方法400の概略的なフローチャートである。その方法400は、図1に示されている通信システム100に適用されてもよいが、この出願のこの実施形態は、これらには限定されない。
【００９９】
S410:  ネットワークデバイスは、端末デバイスに第2のビットマップを送信し、それに対応して、端末デバイスは、ネットワークデバイスが送信する第2のビットマップを受信し、第2のビットマップは、リソースユニットの中での参照信号の構成要素パターンの周波数領域占有状態を示すのに使用される。
【０１００】
S420:  ネットワークデバイスは、端末デバイスに第3の指示情報を送信し、それに対応して、端末デバイスは、ネットワークデバイスが送信する第3の指示情報を受信し、第3の指示情報は、ネットワークデバイスが参照信号を送信するのに使用するポート数、ポート密度、及び符号分割多重化CDMタイプのうちの少なくとも1つの情報を示すのに使用される。
【０１０１】
S430:  端末デバイスは、第2のビットマップの長さ及び内容と第3の指示情報とに基づいて、構成要素パターンのタイプ及び数を決定する。
【０１０２】
具体的には、端末デバイスは、ポート数、ポート密度、及び符号分割多重化CDMタイプを示すのに使用される第3の指示情報を参照するとともに、リソースユニットの中での参照信号の構成要素パターンの周波数領域占有状態を示すのに使用される第2のビットマップの長さ及び内容を参照して、その参照信号の構成要素パターンのタイプ及び数を決定してもよい。これは、端末デバイスは、第2の指示情報のみに基づいて、構成要素パターンのタイプ及び数を決定することができない場合があり、第2のビットマップの長さ及び内容を参照して、構成要素パターンの異なるタイプ及び数を判別することが可能であるということによる。第2のビットマップの内容は、各々の特定のビットの値であってもよく、又は、占有されているサブキャリアの数であってもよく、又は、占有されていないサブキャリアの数であってもよい。このことは、この出願のこの実施形態においては限定されない。
【０１０３】
第2のビットマップは、また、"周波数領域ビットマップ"と称されてもよく、12/Xのビット数を含み、Xは、構成要素(X,Y)の中の連続的なサブキャリアの数であるということを理解すべきである。これは、構成要素パターンが、周波数領域においては固定マッピングモードのみを使用可能であるということによる、すなわち、参照信号の周波数領域位置は、Xの倍数にしかならないということによる。例えば、構成要素(2,2)の場合に、個々に0、2、4、6、8、及び10である6つの可能な周波数領域位置のみが存在する。したがって、6ビットのビットマップを使用することが可能である。構成要素(4,1)の場合には、個々に0、 4、及び8である3つの可能な周波数領域位置のみが存在する。したがって、3ビットのビットマップを使用することが可能である。
【０１０４】
さらに、参照信号の構成要素パターンのタイプ及び数を決定した後に、端末デバイスは、他の情報に基づいて、参照信号の構成要素パターンの時間領域位置及び周波数領域位置を決定してもよく、端末デバイスは、その次に、ネットワークデバイスに参照信号を送信するか又はネットワークデバイスが送信する参照信号を受信してもよい。参照信号の時間領域位置及び周波数領域位置は、ネットワークデバイスによって端末デバイスのために構成されるので、その端末デバイスは、正しい位置で参照信号を受信し及び処理し、そして、チャネル推定を完了することが可能である。
【０１０５】
この出願のこの実施形態におけるリソース指示方法において、端末デバイスは、構成要素パターンの周波数領域占有状態を示すのに使用されるビットマップの内容を参照して、構成要素パターンのタイプ及び数を決定し、したがって、リソースユニットの中で参照信号が占有する時間領域位置及び周波数領域位置を決定することが可能であり、その結果、正確なチャネル推定の実装を支援するとともに、データ伝送効率を改善する。
【０１０６】
選択的に、端末デバイスは、最初に、ポート数、ポート密度、及び符号分割多重化CDMタイプに基づいて、構成要素パターンのタイプ及び数を決定し、構成要素パターンのタイプ及び数を決定することが不可能であるときに、端末デバイスは、さらに、第2のビットマップに含まれているビット数を参照して、構成要素パターンのタイプ及び数を決定し、依然として、構成要素パターンのタイプ及び数を決定することが不可能である場合には、端末デバイスは、さらに、第2のビットマップの特定の内容を参照して、構成要素パターンのタイプ及び数を決定する。しかしながら、このことは、この出願のこの実施形態においては限定されない。
【０１０７】
以下の記載は、ある特定の実施形態を参照して、この出願を詳細に説明する。
【０１０８】
ネットワークデバイス及び端末デバイスは、個別に、以下の表1をあらかじめ構成してもよい。表1において、第1の列は、行のインデックスであり、第2の列は、ポート数であり、第3の列は、ポート密度であり、第4の列
【数５】
2021510276.tif 000035
、第5の列k'、及び第6の列l'は、リソースユニットの中での参照信号の位置を共同して示す。周波数領域位置は、
【数６】
2021510276.tif 000036
であり、時間領域位置は、
【数７】
2021510276.tif 000037
である。k0、k1、k2、k3は、ネットワークデバイスが端末デバイスのために構成する周波数領域開始位置を個別に示し、l0、l1は、ネットワークデバイスが端末デバイスのために構成する時間領域開始位置を個別に示す。少なくとも、k0及びl0が存在し、k1、k2、k3、及びl1は、複数の異なるマッピングモード及びマッピングケースに依存してもよい。
【０１０９】
具体的には、ネットワークデバイスは、端末デバイスに、Ports、Density、CDM  type、周波数領域指示情報(すなわち、第2のビットマップ)、及び時間領域指示情報(すなわち、第1の指示情報)を送信してもよい。端末デバイスは、最初に、Ports、Density、及びCDM  typeに基づいて、表を探索して、表1の中の対応する行を決定し、その次に、その行に対応する
【数８】
2021510276.tif 000038
、k'、及びl'に基づいて、構成要素パターンのタイプ及び数を計算し、最終的に、周波数領域指示情報及び時間領域指示情報を参照して、参照信号の時間周波数位置を決定してもよい。
【０１１０】
例えば、Ports＝2、Density＝1,0.5、及びCDM  type＝FD−CDM2である場合に、端末デバイスは、テーブルを探索して、行3を決定してもよく、
【数９】
2021510276.tif 000039
、k＝k0＋0,k0＋1、及びl＝l0である。すなわち、構成要素パターンは、構成要素(2,1)であり、1つの構成要素パターンのみが存在し、1つのシンボルが占有されている。端末デバイスは、その次に、6ビットを含む周波数領域指示情報及び整数を含む時間領域指示情報を参照して、参照信号の時間周波数位置を決定してもよい。
【０１１１】
他の例では、Ports＝4、Density＝1、及びCDM  type＝FD−CDM2である場合に、端末デバイスは、テーブルを探索して、行4及び行5を決定してもよい。行4において、
【数１０】
2021510276.tif 000040
、k＝k0＋0,k0＋1,k0＋3、及びl＝l0である、すなわち、構成要素パターンは、構成要素(4,1)であり、1つの構成要素パターンのみが存在し、1つのシンボルが占有されている。行5において、
【数１１】
2021510276.tif 000041
、k＝k0＋0,k0＋1、及び  l＝l0＋0,l0＋1である、すなわち、構成要素パターンは、構成要素(2,2)であり、1つの構成要素パターンのみが存在し、2つの連続的なシンボルが占有されている。第2のビットマップに含まれているビット数は、構成要素パターンのタイプに関連するため、端末デバイスは、第2のビットマップに含まれているビット数に基づいて、構成要素パターンのタイプを決定してもよい。具体的にいうと、行4において、構成要素パターンは、構成要素(4,1)であり、第2のビットマップの対応するビット数は、3ビットであり、行5において、構成要素パターンは、構成要素(2,2)であり、第2のビットマップの対応するビット数は、6ビットである。したがって、Ports、Density、及びCDM  typeに基づいて、その特定の構成要素パターンを決定することが不可能であるときに、端末デバイスは、第2のビットマップに含まれているビット数を参照して、構成要素パターンのタイプ、すなわち、表1の中の使用されるべきである行を決定することが可能である。その後、端末デバイスは、その次に、周波数領域指示情報及び時間領域指示情報を参照して、参照信号の時間周波数位置を決定してもよい。
【０１１２】
他の例では、Ports＝8、Density＝1、及びCDM  type＝FD−CDM2である場合に、端末デバイスは、テーブルを探索して、行7及び行8を決定してもよい。行7において、
【数１２】
2021510276.tif 000042
、k＝k0＋0,k0＋1,k1＋0,k1＋1,k2＋0,k2＋1,k3＋0,k3＋1、及び  l＝l0である。この場合には、構成要素パターンは、構成要素(2,1)であり、4つの構成要素パターンが存在し、1つの列のみが存在し、1つのシンボルが占有されている。行8において、
【数１３】
2021510276.tif 000043
、k＝k0＋0,k0＋1,k1＋0,k1＋1、及びl＝l0＋0,l0＋1である。この場合には、構成要素パターンは、構成要素(2,2)であり、4つの構成要素パターンが存在し、2つの連続的なシンボルが占有されている、すなわち、2つの列が存在し、各々の列は、2つの構成要素パターンを含む。構成要素パターンの周波数領域インジケータXは、すべてが2に等しい、すなわち、行7及び行8において、第2のビットマップは、6ビットを含むので、端末デバイスは、第2のビットマップのビット数のみに基づいて、構成要素パターンの特定のタイプを決定することが不可能である。この場合には、端末デバイスは、第2のビットマップの内容を参照して、構成要素パターンのタイプを決定してもよい。行7において、1つの列は、4つの構成要素パターンを含むので、第2のビットマップにおいて占有されているサブキャリアの数は、4であるべきである。行8において、1つの列は、2つの構成要素パターンを含むので、第2のビットマップにおいて占有されているサブキャリアの数は、2であるべきである。1が占有されているということを示し、0が占有されていないということを示す場合に、行7に対応する第2のビットマップは、4つの1を含み、行8に対応する第2のビットマップは、2つの1を含み、端末デバイスは、第2のビットマップの内容に基づいて、行7又は行8を使用することを決定し、そして、さらに、構成要素パターンのタイプを決定してもよい。その後、端末デバイスは、その次に、周波数領域指示情報及び時間領域指示情報を参照して、参照信号の時間周波数位置を決定してもよい。
【０１１３】
他の例では、行14及び行15において、6つの構成要素(2,2)は、上記の方法を使用することによって決定されてもよく、各々の列は、3つの構成要素を含む。周波数領域において、周波数領域指示情報、すなわち、第2のビットマップは、6つのビットを含んでもよく、それに対応して、図5及び図6において、特に、101010であってもよい(1は、占有されているということを示し、0は、占有されていないということを示す)。時間領域において、図5及び図6に示されている2つの異なるマッピングモードが存在してもよい。図5に示されている構成要素パターンは、非連続的な方式によって時間領域の中に配置され、図6に示されている構成要素パターンは、時間領域の中に連続的に配置されている。図6において、時間領域指示情報は、シンボル5のみを示す必要があり、端末デバイスは、構成要素(2,2)及びシンボル5に基づいて、参照信号が占有する時間領域位置を決定することが可能である。図5において、時間領域指示情報は、シンボル5及びシンボル9の2つの最初のシンボルの位置を示す必要があり、それによって、端末デバイスは、図5に示されているマッピングモードを決定する。
【０１１４】
他の例では、行17及び行18において、8つの構成要素(2,2)は、上記の方法を使用することによって決定されてもよく、各々の列は、4つの構成要素を含む。周波数領域において、周波数領域指示情報、すなわち、第2のビットマップは、6つのビットを含んでもよく、それに対応して、図7及び図8において、特に、101011であってもよい(1は、占有されているということを示し、0は、占有されていないということを示す)。時間領域において、図7及び図8に示されている2つの異なるマッピングモードが存在してもよい。図7に示されている構成要素パターンは、時間領域において連続的に配置され、図8に示されている構成要素パターンは、非連続的な方式によって時間領域の中に配置されている。図7において、時間領域指示情報は、シンボル5のみを示す必要があり、端末デバイスは、構成要素(2,2)及びシンボル5に基づいて、参照信号が占有する時間領域位置を決定することが可能である。図8において、時間領域指示情報は、シンボル5及びシンボル10の2つの最初のシンボルの位置を示す(又は、セット{5,10}を示す)必要があり、それによって、端末デバイスは、図8に示されているマッピングモードを決定する。
【表１】
2021510276.tif 000044
【０１１５】
他の行における構成要素パターンのタイプ及び数は、上記の方式と同様の方式によって決定されるということを理解すべきであり、本明細書においては、詳細は繰り返しては説明されない。
【０１１６】
上記のプロセスの順序番号は、それらのプロセスを実行する順序を意味するものではないということを理解すべきである。それらのプロセスを実行する順序は、それらのプロセスの機能及び内部論理にしたがって決定されるべきであり、この出願の複数の実施形態の実装プロセスに対するいかなる制限としても解釈されるべきではない。
【０１１７】
上記の記載は、図1乃至図8を参照して、この出願の複数の実施形態に基づく複数のリソース指示方法を詳細に説明しており、以下の記載は、図9乃至図14を参照して、この出願のそれらの複数の実施形態における端末デバイス及びネットワークデバイスを詳細に説明する。
【０１１８】
図9は、この出願のある1つの実施形態にしたがった端末デバイス900を示している。その端末デバイス900は、
ネットワークデバイスが送信する第1の指示情報を受信するように構成される受信ユニット910であって、第1の指示情報は、リソースユニットの中で参照信号の構成要素パターンが占有する時間領域位置を示すのに使用される、受信ユニット910と、
第1の指示情報に基づいて、リソースユニットの中で参照信号が占有する時間領域位置を決定するように構成される決定ユニット920と、を含む。
【０１１９】
この出願のこの実施形態において、ネットワークデバイスは、リソースユニットの中で参照信号の構成要素パターンが占有する時間領域位置を示すのに使用される指示情報を端末デバイスに送信し、それによって、その端末デバイスは、その指示情報に基づいて、リソースユニットの中で参照信号が占有する時間領域位置を決定して、参照信号の複数の異なるマッピングモード及び正確なチャネル推定の実装を支援することが可能であるとともに、データ伝送効率を改善することが可能である。
【０１２０】
選択的に、第1の指示情報は、リソースユニットの中で構成要素パターンが占有する開始シンボル位置、参照シンボルに対する開始シンボル位置のオフセット、リソースユニットの中で構成要素パターンが占有するシンボルのインデックス、及び第1のビットマップ、のうちのいずれか1つの情報を含み、第1のビットマップは、リソースユニットの中での構成要素パターンのシンボル占有状態を示すのに使用される。
【０１２１】
選択的に、参照信号は、少なくとも2つの構成要素パターンを含み、リソースユニットの中で少なくとも2つの構成要素パターンが占有するシンボル位置は、非連続的であり、第1の指示情報は、リソースユニットの中で少なくとも2つの構成要素パターンの各々が占有する開始シンボル位置を示すのに使用される。
【０１２２】
選択的に、第1の指示情報は、リソースユニットの中で各々の構成要素パターンが占有する開始シンボル位置を含むか、又は、第1の指示情報は、開始シンボル位置セットを含み、開始シンボル位置セットは、リソースユニットの中で各々の構成要素パターンが占有する開始シンボル位置を含むか、又は、第1の指示情報は、開始シンボル位置セットのインデックスを含む。
【０１２３】
選択的に、受信ユニット910は、さらに、リソースユニットの中で参照信号が占有する時間領域位置が、第1の指示情報に基づいて決定される前に、ネットワークデバイスが送信する第2の指示情報を受信するように構成され、第2の指示情報は、ネットワークデバイスが参照信号を送信するのに使用するポート数、ポート密度、リソースユニットの中で構成要素パターンが占有する周波数領域位置、及び符号分割多重化CDMタイプのうちの少なくとも1つの情報を示すのに使用され、決定ユニット920は、特に、第2の指示情報及び第1のマッピング関係に基づいて、構成要素パターンのタイプ及び数を決定し、第1のマッピング関係は、構成要素パターンのタイプ及び数と第2の指示情報との間の対応関係を示すのに使用され、そして、構成要素パターンのタイプ及び数と第1の指示情報とに基づいて、リソースユニットの中で参照信号が占有する時間領域位置を決定する、ように構成される。
【０１２４】
選択的に、参照信号は、チャネル状態情報参照信号CSI-RSである。
【０１２５】
本明細書における端末デバイス900は、複数の機能ユニットの形態で示されるということを理解すべきである。本明細書における"ユニット"の語は、特定用途向け集積回路(Application  Specific  Integrated  Circuit,  ASIC)、電子回路、1つ又は複数のソフトウェアプログラム又はファームウェアプログラムを実行するための(例えば、共有プロセッサ、専用プロセッサ、又はパケットプロセッサ等の)プロセッサ、組み合わせ論理回路、及び/又は上記の機能をサポートする他の適切な構成要素を指してもよい。ある1つの選択的な例において、当業者は、端末デバイス900が、特に、上記の複数の実施形態における端末デバイスであってもよく、端末デバイス900が、上記の方法の実施形態300における端末デバイスに対応する複数の手順及び/又は複数のステップを実行するように構成されてもよいということを理解することが可能である。繰り返しを避けるために、本明細書においては、詳細は繰り返しては説明されない。
【０１２６】
図10は、この出願のある1つの実施形態にしたがったネットワークデバイス1000を示している。そのネットワークデバイス1000は、
第1の指示情報を決定するように構成される決定ユニット1010であって、第1の指示情報は、リソースユニットの中で参照信号の構成要素パターンが占有する時間領域位置を示すのに使用される、決定ユニット1010と、
端末デバイスに第1の指示情報を送信するように構成され、それによって、端末デバイスは、リソースユニットの中で参照信号が占有する時間領域位置を決定する、送信ユニット1020と、を含む。
【０１２７】
この出願のこの実施形態において、ネットワークデバイスは、リソースユニットの中で参照信号の構成要素パターンが占有する時間領域位置を示すのに使用される指示情報を端末デバイスに送信し、それによって、その端末デバイスは、その指示情報に基づいて、リソースユニットの中で参照信号が占有する時間領域位置を決定して、参照信号の複数の異なるマッピングモード及び正確なチャネル推定の実装を支援することが可能であるとともに、データ伝送効率を改善することが可能である。
【０１２８】
選択的に、第1の指示情報は、リソースユニットの中で構成要素パターンが占有する開始シンボル位置、参照シンボルに対する開始シンボル位置のオフセット、リソースユニットの中で構成要素パターンが占有するシンボルのインデックス、及び第1のビットマップ、のうちのいずれか1つの情報を含み、第1のビットマップは、リソースユニットの中での構成要素パターンのシンボル占有状態を示すのに使用される。
【０１２９】
選択的に、参照信号は、少なくとも2つの構成要素パターンを含み、リソースユニットの中で少なくとも2つの構成要素パターンが占有するシンボル位置は、非連続的であり、第1の指示情報は、リソースユニットの中で少なくとも2つの構成要素パターンの各々が占有する開始シンボル位置を示すのに使用される。
【０１３０】
選択的に、第1の指示情報は、リソースユニットの中で各々の構成要素パターンが占有する開始シンボル位置を含むか、又は、第1の指示情報は、開始シンボル位置セットを含み、開始シンボル位置セットは、リソースユニットの中で各々の構成要素パターンが占有する開始シンボル位置を含むか、又は、第1の指示情報は、開始シンボル位置セットのインデックスを含む。
【０１３１】
選択的に、送信ユニット1020は、さらに、端末デバイスに第2の指示情報を送信するように構成され、第2の指示情報は、当該ネットワークデバイスが参照信号を送信するのに使用するポート数、ポート密度、リソースユニットの中で構成要素パターンが占有する周波数領域位置、及び符号分割多重化CDMタイプのうちの少なくとも1つの情報を示すのに使用される。
【０１３２】
選択的に、参照信号は、チャネル状態情報参照信号CSI-RSである。
【０１３３】
本明細書におけるネットワークデバイス1000は、複数の機能ユニットの形態で示されるということを理解すべきである。本明細書における"ユニット"の語は、特定用途向け集積回路(Application  Specific  Integrated  Circuit,  ASIC)、電子回路、1つ又は複数のソフトウェアプログラム又はファームウェアプログラムを実行するための(例えば、共有プロセッサ、専用プロセッサ、又はパケットプロセッサ等の)プロセッサ、組み合わせ論理回路、及び/又は上記の機能をサポートする他の適切な構成要素を指してもよい。ある1つの選択的な例において、当業者は、ネットワークデバイス1000が、特に、上記の複数の実施形態におけるネットワークデバイスであってもよく、ネットワークデバイス1000が、上記の方法の実施形態300におけるネットワークデバイスに対応する複数の手順及び/又は複数のステップを実行するように構成されてもよいということを理解することが可能である。繰り返しを避けるために、本明細書においては、詳細は繰り返しては説明されない。
【０１３４】
図11は、この出願のある1つの実施形態にしたがった他の端末デバイス1100を示している。その端末デバイス1100は、
ネットワークデバイスが送信する第2のビットマップを受信するように構成される受信ユニット1110であって、第2のビットマップは、リソースユニットの中での参照信号の構成要素パターンの周波数領域占有状態を示すのに使用され、
受信ユニット1110は、さらに、ネットワークデバイスが送信する第3の指示情報を受信するように構成され、第3の指示情報は、ネットワークデバイスが参照信号を送信するのに使用するポート数、ポート密度、及び符号分割多重化CDMタイプのうちの少なくとも1つの情報を示すのに使用される、受信ユニット1110と、
第2のビットマップの長さ及び内容と第3の指示情報とに基づいて、構成要素パターンのタイプ及び数を決定するように構成される決定ユニット1120と、を含む。
【０１３５】
この出願のこの実施形態においては、端末デバイスは、構成要素パターンの周波数領域占有状態を示すのに使用されるビットマップの内容を参照して、構成要素パターンのタイプ及び数を決定し、したがって、リソースユニットの中で参照信号が占有する時間領域位置及び周波数領域位置を決定して、正確なチャネル推定の実装を支援することが可能であるとともに、データ伝送効率を改善することが可能である。
【０１３６】
本明細書における端末デバイス1100は、複数の機能ユニットの形態で示されるということを理解すべきである。本明細書における"ユニット"の語は、特定用途向け集積回路(Application  Specific  Integrated  Circuit,  ASIC)、電子回路、1つ又は複数のソフトウェアプログラム又はファームウェアプログラムを実行するための(例えば、共有プロセッサ、専用プロセッサ、又はパケットプロセッサ等の)プロセッサ、組み合わせ論理回路、及び/又は上記の機能をサポートする他の適切な構成要素を指してもよい。ある1つの選択的な例において、当業者は、端末デバイス1100が、特に、上記の複数の実施形態における端末デバイスであってもよく、端末デバイス1100が、上記の方法の実施形態400における端末デバイスに対応する複数の手順及び/又は複数のステップを実行するように構成されてもよいということを理解することが可能である。繰り返しを避けるために、本明細書においては、詳細は繰り返しては説明されない。
【０１３７】
図12は、この出願のある1つの実施形態にしたがった他の端末デバイス1200を示している。装置1200は、プロセッサ1201、トランシーバー1202、及びメモリ1203を含む。プロセッサ1210、トランシーバー1220、及びメモリ1230は、内部接続経路を介して互いに通信する。メモリ1230は、命令を格納するように構成され、プロセッサ1210は、メモリ1230が格納している命令を実行して、信号を送信し及び/又は信号を受信するようにトランシーバー1220を制御するように構成される。
【０１３８】
メモリ1203が格納しているプログラム命令がプロセッサ1201によって実行されるときに、プロセッサ1201は、トランシーバー1202を使用することによって、ネットワークデバイスが送信する第1の指示情報を受信し、第1の指示情報は、リソースユニットの中で参照信号の構成要素パターンが占有する時間領域位置を示すのに使用され、そして、第1の指示情報に基づいて、リソースユニットの中で参照信号が占有する時間領域位置を決定する、ように構成される。
【０１３９】
プロセッサ1201及びメモリ1203を一体化して、処理装置としてもよく、プロセッサ1201は、メモリ1203が格納しているプログラムコードを実行して、上記の機能を実行するように構成される。特定の実装の際に、メモリ1203は、代替的に、プロセッサ1201の中に一体化されていてもよく、又は、プロセッサ1201から独立していてもよい。端末デバイス1200は、アンテナ1204をさらに含んでもよく、そのアンテナ1204は、無線信号を使用することによって、トランシーバー1202が出力するアップリンクデータ又はアップリンク制御シグナリングを送信するように構成される。
【０１４０】
端末デバイス1200は、具体的には、実施形態300における端末デバイスであってもよく、方法の実施形態300における端末デバイスに対応する複数のステップ及び/又は複数の手順を実行するように構成されてもよいということを理解すべきである。選択的に、メモリ1203は、読み出し専用メモリ及びランダムアクセスメモリを含み、プロセッサに命令及びデータを提供してもよい。メモリの一部は、不揮発性ランダムアクセスメモリをさらに含んでもよい。例えば、メモリは、さらに、デバイスタイプの情報を格納してもよい。プロセッサ1201は、メモリが格納している命令を実行するように構成されてもよい。プロセッサ1201が、メモリが格納している命令を実行するときに、プロセッサ1201は、端末デバイスに対応する方法の実施形態における複数のステップ及び/又は複数の手順を実行するように構成される。
【０１４１】
プロセッサ1201は、上記の方法の実施形態において端末によって実行される複数の動作を実行するように構成されてもよく、一方で、トランシーバー1202は、上記の方法の実施形態において端末から端末デバイスへの伝送又は送信の動作を実行するように構成されてもよい。細部については、上記の方法の実施形態における説明を参照するべきであり、本明細書においては、詳細は繰り返しては説明されない。
【０１４２】
端末デバイス1200は、電源1205をさらに含んでもよく、その電源1206は、端末デバイス1200のさまざまな構成要素又は回路に電力を供給するように構成される。
【０１４３】
加えて、端末デバイスの機能をさらに改善するために、端末デバイス1200は、入力ユニット1206、ディスプレイユニット1207、オーディオ回路1208、カメラ1209、及びセンサ1210等のうちの1つ又は複数をさらに含んでもよく、オーディオ回路は、スピーカ12082及びマイクロホン12084等をさらに含んでもよい。
【０１４４】
図13は、この出願のある1つの実施形態にしたがった他の端末デバイス1300を示している。装置1300は、プロセッサ1310、トランシーバー1320、及びメモリ1330を含む。プロセッサ1310、トランシーバー1320、及びメモリ1330は、内部接続経路を介して互いに通信する。メモリ1330は、命令を格納するように構成され、プロセッサ1310は、メモリ1330が格納している命令を実行して、信号を送信し及び/又は信号を受信するようにトランシーバー1320を制御するように構成される。
【０１４５】
メモリ1330が格納しているプログラム命令がプロセッサ1310によって実行されるときに、プロセッサ1310は、第1の指示情報を決定し、第1の指示情報は、リソースユニットの中で参照信号の構成要素パターンが占有する時間領域位置を示すのに使用され、そして、トランシーバー1320を使用することによって、端末デバイスに第1の指示情報を送信する、ように構成され、それによって、その端末デバイスは、リソースユニットの中で参照信号が占有する時間領域位置を決定する。
【０１４６】
プロセッサ1310及びメモリ1330を一体化して、処理装置としてもよく、プロセッサ1310は、メモリ1330が格納しているプログラムコードを実行して、上記の機能を実行するように構成される。特定の実装の際に、メモリ1330は、代替的に、プロセッサ1310の中に一体化されていてもよく、又は、プロセッサ1310から独立していてもよい。
【０１４７】
端末デバイス1300は、アンテナ1340をさらに含んでもよく、そのアンテナ1340は、無線信号を使用することによって、トランシーバー1320が出力するダウンリンクデータ又はダウンリンク制御シグナリングを送信するように構成される。端末デバイス1300は、具体的には、実施形態200におけるネットワークデバイスであってもよく、方法の実施形態300におけるネットワークデバイスに対応する複数のステップ及び/又は複数の手順を実行するように構成されてもよいということを理解すべきである。選択的に、メモリ1330は、読み出し専用メモリ及びランダムアクセスメモリを含み、プロセッサに命令及びデータを提供してもよい。メモリの一部は、不揮発性ランダムアクセスメモリをさらに含んでもよい。例えば、メモリは、さらに、デバイスタイプの情報を格納してもよい。プロセッサ1310は、メモリの中に格納されている命令を実行するように構成されてもよく、プロセッサ1310が、メモリの中に格納されている命令を実行するときに、プロセッサ1310は、ネットワークデバイスに対応する方法の実施形態における複数のステップ及び/又は複数の手順を実行するように構成される。
【０１４８】
図14は、この出願のある1つの実施形態にしたがった他の端末デバイス1400を示している。装置1400は、プロセッサ1401、トランシーバー1402、及びメモリ1403を含む。プロセッサ1401、トランシーバー1402、及びメモリ1403は、内部接続経路を介して互いに通信する。メモリ1403は、命令を格納するように構成され、プロセッサ1401は、メモリ1403が格納している命令を実行して、信号を送信し及び/又は信号を受信するようにトランシーバー1402を制御するように構成される。
【０１４９】
メモリ1403が格納しているプログラム命令がプロセッサ1401によって実行されるときに、プロセッサ1401は、トランシーバー1402を使用することによって、ネットワークデバイスが送信する第2のビットマップを受信し、第2のビットマップは、リソースユニットの中での参照信号の構成要素パターンの周波数領域占有状態を示すのに使用され、ネットワークデバイスが送信する第3の指示情報を受信し、第3の指示情報は、ネットワークデバイスが参照信号を送信するのに使用するポート数、ポート密度、及び符号分割多重化CDMタイプのうちの少なくとも1つの情報を示すのに使用され、そして、第2のビットマップの長さ及び内容と第3の指示情報とに基づいて、構成要素パターンのタイプ及び数を決定する、ように構成される。
【０１５０】
プロセッサ1401及びメモリ1403を一体化して、処理装置としてもよく、プロセッサ1401は、メモリ1403が格納しているプログラムコードを実行して、上記の機能を実行するように構成される。特定の実装の際に、メモリ1403は、代替的に、プロセッサ1401の中に一体化されていてもよく、又は、プロセッサ1401から独立していてもよい。端末デバイス1400は、アンテナ1404をさらに含んでもよく、そのアンテナ1404は、無線信号を使用することによって、トランシーバー1402が出力するアップリンクデータ又はアップリンク制御シグナリングを送信するように構成される。
【０１５１】
端末デバイス1400は、具体的には、実施形態300における端末デバイスであってもよく、方法の実施形態300における端末デバイスに対応する複数のステップ及び/又は複数の手順を実行するように構成されてもよいということを理解すべきである。選択的に、メモリ1403は、読み出し専用メモリ及びランダムアクセスメモリを含み、プロセッサに命令及びデータを提供してもよい。メモリの一部は、不揮発性ランダムアクセスメモリをさらに含んでもよい。例えば、メモリは、さらに、デバイスタイプの情報を格納してもよい。プロセッサ1401は、メモリが格納している命令を実行するように構成されてもよい。プロセッサ1401が、メモリが格納している命令を実行するときに、プロセッサ1401は、端末デバイスに対応する上記の方法の実施形態における複数のステップ及び/又は複数の手順を実行するように構成される。
【０１５２】
プロセッサ1401は、上記の方法の実施形態において端末によって実行される複数の動作を実行するように構成されてもよく、一方で、トランシーバー1402は、上記の方法の実施形態において端末から端末デバイスへの伝送又は送信の動作を実行するように構成されてもよい。細部については、上記の方法の実施形態における説明を参照するべきであり、本明細書においては、詳細は繰り返しては説明されない。
【０１５３】
端末デバイス1400は、電源1405をさらに含んでもよく、その電源1406は、端末デバイス1400のさまざまな構成要素又は回路に電力を供給するように構成される。
【０１５４】
加えて、端末デバイスの機能をさらに改善するために、端末デバイス1400は、入力ユニット1406、ディスプレイユニット1407、オーディオ回路1408、カメラ1409、及びセンサ1410等のうちの1つ又は複数をさらに含んでもよく、オーディオ回路は、スピーカ14082及びマイクロホン14084等をさらに含んでもよい。
【０１５５】
この出願の実施形態において、上記のネットワークデバイス及び端末デバイスの中のプロセッサは、中央処理ユニット(central  processing  unit,  CPU)であってもよく、或いは、プロセッサは、他の汎用プロセッサ、ディジタル信号プロセッサ(DSP)、特定用途向け集積回路(ASIC)、フィールドプログラマブルゲートアレイ(FPGA)、又は、他のプログラム可能な論理デバイス、個別のゲート又はトランジスタ論理デバイス、又は個別のハードウェア構成要素等であってもよいということを理解すべきである。汎用プロセッサは、マイクロプロセッサであってもよく、又は、プロセッサは、いずれかの従来のプロセッサ等であってもよい。
【０１５６】
ある1つの実装プロセスにおいて、プロセッサの中のハードウェア集積論理回路を使用することによって、又は、ソフトウェアの形態の命令を使用することによって、上記の複数の方法における複数のステップを実装することが可能である。この出願のそれらの複数の実施形態を参照して開示される方法の複数のステップは、ハードウェアプロセッサによって直接的に実行されてもよく、又は、プロセッサの中のハードウェア及びソフトウェアユニットの組み合わせを使用することによって実行されてもよい。ソフトウェアユニットは、ランダムアクセスメモリ、フラッシュメモリ、読み取り専用メモリ、プログラム可能な読み取り専用メモリ、電気的に消去可能且つプログラム可能なメモリ、又はレジスタ等の当該技術分野における成熟した記憶媒体の中に位置していてもよい。記憶媒体は、メモリの中に位置しており、プロセッサは、メモリの中の命令を実行し、そして、そのプロセッサのハードウェアと関連する上記の方法のそれらの複数のステップを完了する。繰り返しを避けるために、本明細書においては、詳細は繰り返しては説明されない。
【０１５７】
本明細書における"及び/又は"の語は、複数の関連する対象を説明するための関連性関係を説明しているにすぎず、3つの関係が存在していてもよいということを表すということを理解すべきである。例えば、A及び/又はBは、Aのみ存在する場合、A及びBの双方が存在する場合、及び、Bのみ存在する場合の3つの場合を表していてもよい。加えて、本明細書における"/"の記号は、通常、複数の関連する対象の間の"又は"の関係を示す。
【０１５８】
当業者は、本明細書において開示されている複数の実施形態において説明されている複数の例と関連して、電子的なハードウェアによって、又は、コンピュータソフトウェアによって、或いは、それらの組み合わせによって、方法のステップ及びユニットを実装することが可能であるということを認識することが可能である。ハードウェアとソフトウェアとの間の互換性を明確に説明するために、上記の記載は、複数の機能にしたがって、各々の実施形態のステップ及び構成要素を一般的に説明している。それらの複数の機能がハードウェアによって実行されるか又はソフトウェアによって実行されるかは、それらの複数の技術的解決方法の特定の用途及び設計上の制約によって決まる。当業者は、複数の異なる方法を使用して、各々の特定の用途について、説明されている複数の機能を実装してもよいが、その実装がこの出願の範囲を超えるものであると解釈されるべきではない。
【０１５９】
当業者は、利便性があり且つ簡単な説明のために、上記のシステム、装置、及びユニットの詳細な動作プロセスについては、上記の方法の実施形態における対応するプロセスを参照すべきであるということを明確に理解することが可能であり、本明細書においては、詳細は繰り返しては説明されない。
【０１６０】
この出願によって提供される複数の実施形態において、他の方式によって、開示されているシステム、装置、及び方法を実装してもよいということを理解すべきである。例えば、説明されている装置の実施形態は、ある1つの例であるにすぎない。例えば、ユニットの分割は、論理的な機能の分割であるにすぎず、実際の実装においては、他の分割であってもよい。例えば、複数のユニット又は構成要素を組み合わせるか又は一体化して、他のシステムとしてもよく、或いは、いくつかの特徴を無視してもよく又は実行しなくてもよい。加えて、示され又は説明されている相互の結合、直接的な結合、又は通信接続は、複数のインターフェイスのうちのいくつかによって、或いは、複数の装置又は複数のユニットの間の非直接的な結合又は通信接続、電気的な接続、機械的な接続、又は他の形態の接続によって実装されてもよい。
【０１６１】
個別の部分として説明されている複数のユニットは、物理的に分離されていてもよく、又は、物理的に分離されていなくてもよく、複数のユニットとして示されている部分は、複数の物理的なユニットであってもよく、又は、複数の物理的なユニットでなくてもよく、1つの場所に位置していてもよく、又は、複数のネットワークユニットに分散されていてもよい。それらの複数のユニットのうちの一部又はすべては、実際の要件にしたがって選択されて、この出願のそれらの複数の実施形態の複数の解決方法の目的を達成してもよい。
【０１６２】
加えて、この出願のそれらの複数の実施形態における複数の機能的なユニットを一体化して、1つの処理ユニットとしてもよく、又は、それらの複数のユニットのうちの各々は、物理的に単独で存在していてもよく、又は、2つ又はそれ以上のユニットを一体化して、1つのユニットとしてもよい。一体化されたユニットは、ハードウェアの形態で実装されてもよく、又は、ソフトウェアの機能的なユニットの形態で実装されてもよい。
【０１６３】
その一体化されたユニットが、ソフトウェアの機能的なユニットの形態で実装され、独立した製品として販売され又は使用されるときに、その一体化されたユニットは、コンピュータ読み取り可能な記憶媒体の中に格納されてもよい。そのような理解に基づいて、この出願の複数の技術的解決方法は、本質的に、或いは、先行技術に寄与する部分又はそれらの複数の技術的解決方法のうちのすべて又は一部は、ソフトウェア製品の形態で実装されてもよい。そのソフトウェア製品は、記憶媒体の中に格納され、いくつかの命令を含み、それらのいくつかの命令は、この出願のそれらの複数の実施形態において説明されている複数の方法の複数のステップのうちのすべて又は一部を実行するように、(パーソナルコンピュータ、サーバ、又はネットワークデバイスであってもよい)コンピュータデバイスに指示する。上記の記憶媒体は、プログラムコードを格納することが可能であるUSBフラッシュドライブ、取り外し可能なハードディスク、読み取り専用メモリ(read-only  memory,  ROM)、ランダムアクセスメモリ(random  access  memory,  RAM)、磁気ディスク、又は光ディスク等のいずれかの媒体を含む。
【０１６４】
上記の説明は、この出願の特定の実施形態であるにすぎず、この出願の保護の範囲を限定することを意図してはいない。この出願によって開示されている技術的範囲の中で当業者が容易に考え出すことが可能であるいずれかの等価な修正又は置換は、この出願の保護の範囲に属するものとする。したがって、この出願の保護の範囲は、特許請求の範囲の保護の範囲にしたがうものとする。
【手続補正３】
【補正対象書類名】図面
【補正対象項目名】図４
【補正方法】変更
【補正の内容】
【図４】
2021510276.tif 000045
【国際調査報告】
2021510276.tif 000046
2021510276.tif 000047
2021510276.tif 000048
2021510276.tif 000049